(57)【要約】      （修正有）【課題】基地局と端末が通信する無線通信システムにおいて、基地局が端末に対する制御情報を効率的に通知する。【解決手段】基地局は、第１のアンテナポートおよび第２のアンテナポートの参照信号を生成する参照信号生成部１４１と、第１のアンテナポートおよび第２のアンテナポートに関連付けられるＥＰＤＣＣＨを生成するＥＰＤＣＣＨ生成部１２０と、参照信号とＥＰＤＣＣＨをＥＰＤＣＣＨ領域にマッピングする多重部１５１とを備える。【選択図】図１
2014064068.tif 000002
【特許請求の範囲】
【請求項１】
ＯＦＤＭシンボルとサブキャリアとで構成されるリソースエレメントと、所定数の前記リソースエレメントで構成されるリソースブロックペアとを用いて、端末と通信する基地局であって、
第１のアンテナポートおよび第２のアンテナポートの参照信号を生成する参照信号生成部と、
前記端末に通知する制御チャネルであり、前記第１のアンテナポートおよび前記第２のアンテナポートに関連付けられるＥＰＤＣＣＨを生成するＥＰＤＣＣＨ生成部と、
前記参照信号と前記ＥＰＤＣＣＨを、所定数の前記リソースブロックペアで構成されるＥＰＤＣＣＨ領域にマッピングする多重部と、を備え、
前記ＥＰＤＣＣＨは、前記ＥＰＤＣＣＨ領域における、所定数のＥＣＣＥで構成され、
前記ＥＣＣＥは、所定数のＥＲＥＧで構成され、
前記ＥＲＥＧは、前記ＥＰＤＣＣＨ領域のそれぞれのリソースブロックペアにおける、所定数のリソースエレメントで構成される、
基地局。
【請求項２】
前記ＥＰＤＣＣＨ生成部は、
それぞれの前記ＥＲＥＧにおける前記リソースエレメントに対して、前記第１のアンテナポートまたは前記第２のアンテナポートを、周波数優先規則によって交互に関連付け、
前記ＥＰＤＣＣＨの複素シンボルを、前記第１のアンテナポートまたは前記第２のアンテナポートに関連付けられた前記リソースエレメントであり、前記ＥＰＤＣＣＨの送信に割り当てられたＥＲＥＧに含まれるリソースエレメントにマッピングする、
請求項１に記載の基地局。
【請求項３】
前記ＥＰＤＣＣＨ生成部は、
前記ＥＰＤＣＣＨの複素シンボルに対して、前記第１のアンテナポートまたは前記第２のアンテナポートを交互に関連付け、
前記第１のアンテナポートまたは前記第２のアンテナポートに関連付けられた前記ＥＰＤＣＣＨの複素シンボルを、周波数優先規則によって、前記ＥＰＤＣＣＨの送信に割り当てられたＥＲＥＧに含まれるリソースエレメントにマッピングする、
請求項１に記載の基地局。
【請求項４】
前記ＥＰＤＣＣＨ生成部は、前記ＥＰＤＣＣＨとは異なる信号が、前記ＥＲＥＧを構成する前記リソースエレメントにマッピングされる場合、当該リソースエレメントは除外して、前記第１のアンテナポートまたは前記第２のアンテナポートを関連付ける、請求項２に記載の基地局。
【請求項５】
前記ＥＰＤＣＣＨとは異なる信号は、セル固有参照信号、ＰＤＣＣＨ領域、報知チャネル、同期信号、および／または伝送路状況測定用参照信号である、請求項４に記載の基地局。
【請求項６】
前記ＥＰＤＣＣＨ生成部は、前記リソースエレメントに対して、前記ＥＲＥＧを識別するＥＲＥＧ番号に基づいて、前記第１のアンテナポートまたは前記第２のアンテナポートからスタートして、交互に関連付ける、請求項２に記載の基地局。
【請求項７】
前記ＥＰＤＣＣＨ生成部は、前記ＥＲＥＧ番号が偶数の場合、前記リソースエレメントに対して、前記第１のアンテナポートからスタートして交互に関連付け、前記ＥＲＥＧ番号が奇数の場合、前記リソースエレメントに対して、前記第２のアンテナポートからスタートして交互に関連付ける、請求項６に記載の基地局。
【請求項８】
前記ＥＰＤＣＣＨ生成部は、前記ＥＲＥＧ番号を所定数で割った商が偶数の場合、前記リソースエレメントに対して、前記第１のアンテナポートからスタートして交互に関連付け、前記ＥＲＥＧ番号を所定数で割った商が奇数の場合、前記リソースエレメントに対して、前記第２のアンテナポートからスタートして交互に関連付ける、請求項６に記載の基地局。
【請求項９】
前記ＥＰＤＣＣＨ生成部は、前記ＥＰＤＣＣＨ領域の前記リソースブロックペアにおける、前記リソースエレメントのＥＲＥＧ番号と、前記リソースエレメントに関連付けられた前記アンテナポートとを、前記ＯＦＤＭシンボル毎に、所定数の巡回シフトを行う、請求項２に記載の基地局。
【請求項１０】
前記巡回シフトの所定数は、前記端末にＲＲＣシグナリングを通じて通知する制御情報に基づいて決定される、請求項９に記載の基地局。
【請求項１１】
前記周波数優先規則は、前記第１のアンテナポートまたは前記第２のアンテナポートが、それぞれの前記ＥＲＥＧにおける前記リソースエレメントにおいて、先頭のＯＦＤＭシンボルかつ最も低い周波数のサブキャリアのリソースエレメントから、それぞれのＯＦＤＭシンボルにおいて、周波数が高くなる方向のリソースエレメントを優先して順に関連付けられる規則である、請求項２に記載の基地局。
【請求項１２】
ＯＦＤＭシンボルとサブキャリアとで構成されるリソースエレメントと、所定数の前記リソースエレメントで構成されるリソースブロックペアとを用いて、基地局と通信する端末であって、
第１のアンテナポートおよび第２のアンテナポートの参照信号と、前記基地局から通知される制御チャネルであるＥＰＤＣＣＨとを、所定数の前記リソースブロックペアで構成されるＥＰＤＣＣＨ領域から、分離する分離部と、
前記参照信号を用いて、前記第１のアンテナポートおよび前記第２のアンテナポートにおける伝搬路推定値を推定する伝搬路推定部と、
前記伝搬路推定値を用いて、前記第１のアンテナポートおよび前記第２のアンテナポートに関連付けられる前記ＥＰＤＣＣＨを検出するＥＰＤＣＣＨ処理部と、を備え、
前記ＥＰＤＣＣＨは、前記ＥＰＤＣＣＨ領域における、所定数のＥＣＣＥで構成され、
前記ＥＣＣＥは、所定数のＥＲＥＧで構成され、
前記ＥＲＥＧは、前記ＥＰＤＣＣＨ領域のそれぞれのリソースブロックペアにおける、所定数のリソースエレメントで構成される、
端末。
【請求項１３】
前記ＥＰＤＣＣＨ処理部は、
それぞれの前記ＥＲＥＧにおける前記リソースエレメントに対して、前記第１のアンテナポートおよび前記第２のアンテナポートが、周波数優先規則によって交互に関連付けられ、
前記ＥＰＤＣＣＨの複素シンボルは、前記第１のアンテナポートまたは前記第２のアンテナポートに関連付けられた前記リソースエレメントであり、前記ＥＰＤＣＣＨの送信に割り当てられたＥＲＥＧに含まれるリソースエレメントにマッピングされると想定して検出する、
請求項１２に記載の端末。
【請求項１４】
前記ＥＰＤＣＣＨ処理部は、
前記ＥＰＤＣＣＨの複素シンボルに対して、前記第１のアンテナポートおよび前記第２のアンテナポートが交互に関連付けられ、
前記第１のアンテナポートまたは前記第２のアンテナポートに関連付けられた前記ＥＰＤＣＣＨの複素シンボルは、周波数優先規則によって、前記ＥＰＤＣＣＨの送信に割り当てられたＥＲＥＧに含まれるリソースエレメントにマッピングされると想定して検出する、
請求項１２に記載の端末。
【請求項１５】
前記ＥＰＤＣＣＨ処理部は、前記ＥＰＤＣＣＨとは異なる信号が、前記ＥＲＥＧを構成する前記リソースエレメントにマッピングされる場合、当該リソースエレメントは除外して、前記第１のアンテナポートまたは前記第２のアンテナポートが関連付けられると想定して検出する、請求項１３に記載の端末。
【請求項１６】
前記ＥＰＤＣＣＨとは異なる信号は、セル固有参照信号、ＰＤＣＣＨ領域、報知チャネル、同期信号、および／または伝送路状況測定用参照信号である、請求項１５に記載の端末。
【請求項１７】
前記ＥＰＤＣＣＨ処理部は、前記リソースエレメントに対して、前記ＥＲＥＧを識別するＥＲＥＧ番号に基づいて、前記第１のアンテナポートまたは前記第２のアンテナポートからスタートして交互に関連付けられると想定して検出する、請求項１３に記載の端末。
【請求項１８】
前記ＥＰＤＣＣＨ処理部は、前記ＥＲＥＧ番号が偶数の場合、前記リソースエレメントに対して、前記第１のアンテナポートからスタートして交互に関連付けられると想定して検出し、前記ＥＲＥＧ番号が奇数の場合、前記リソースエレメントに対して、前記第２のアンテナポートからスタートして交互に関連付けられると想定して検出する、請求項１７に記載の端末。
【請求項１９】
前記ＥＰＤＣＣＨ処理部は、前記ＥＲＥＧ番号を所定数で割った商が偶数の場合、前記リソースエレメントに対して、前記第１のアンテナポートからスタートして交互に関連付けられると想定して検出し、前記ＥＲＥＧ番号を所定数で割った商が奇数の場合、前記リソースエレメントに対して、前記第２のアンテナポートからスタートして交互に関連付けられると想定して検出する、請求項１７に記載の端末。
【請求項２０】
前記ＥＰＤＣＣＨ処理部は、前記ＥＰＤＣＣＨ領域の前記リソースブロックペアにおける、前記リソースエレメントのＥＲＥＧ番号と、前記リソースエレメントに関連付けられた前記アンテナポートとは、前記ＯＦＤＭシンボル毎に、所定数の巡回シフトが行われると想定して検出する、請求項１３に記載の端末。
【請求項２１】
前記巡回シフトの所定数は、前記基地局からＲＲＣシグナリングを通じて通知される制御情報に基づいて決定される、請求項２０に記載の端末。
【請求項２２】
前記周波数優先規則は、前記第１のアンテナポートまたは前記第２のアンテナポートが、それぞれの前記ＥＲＥＧにおける前記リソースエレメントにおいて、先頭のＯＦＤＭシンボルかつ最も低い周波数のサブキャリアのリソースエレメントから、それぞれのＯＦＤＭシンボルにおいて、周波数が高くなる方向のリソースエレメントを優先して順に関連付けられる規則である、請求項１３に記載の端末。
【請求項２３】
ＯＦＤＭシンボルとサブキャリアとで構成されるリソースエレメントと、所定数の前記リソースエレメントで構成されるリソースブロックペアとを用いて、基地局と端末とが通信する通信システムであって、
前記基地局は、
第１のアンテナポートおよび第２のアンテナポートの参照信号を生成する参照信号生成部と、
前記端末に通知する制御チャネルであり、前記第１のアンテナポートおよび前記第２のアンテナポートに関連付けられるＥＰＤＣＣＨを生成するＥＰＤＣＣＨ生成部と、
前記参照信号と前記ＥＰＤＣＣＨを、所定数の前記リソースブロックペアで構成されるＥＰＤＣＣＨ領域にマッピングする多重部と、を備え、
前記端末は、
前記参照信号と前記ＥＰＤＣＣＨとを、前記ＥＰＤＣＣＨ領域から、分離する分離部と、
前記参照信号を用いて、前記第１のアンテナポートおよび前記第２のアンテナポートにおける伝搬路推定値を推定する伝搬路推定部と、
前記伝搬路推定値を用いて、前記ＥＰＤＣＣＨを検出するＥＰＤＣＣＨ処理部と、を備え、
前記ＥＰＤＣＣＨは、前記ＥＰＤＣＣＨ領域における、所定数のＥＣＣＥで構成され、
前記ＥＣＣＥは、所定数のＥＲＥＧで構成され、
前記ＥＲＥＧは、前記ＥＰＤＣＣＨ領域のそれぞれのリソースブロックペアにおける、所定数のリソースエレメントで構成される、
通信システム。
【請求項２４】
ＯＦＤＭシンボルとサブキャリアとで構成されるリソースエレメントと、所定数の前記リソースエレメントで構成されるリソースブロックペアとを用いて、端末と通信する基地局の通信方法であって、
第１のアンテナポートおよび第２のアンテナポートの参照信号を生成する第１のステップと、
前記端末に通知する制御チャネルであり、前記第１のアンテナポートおよび前記第２のアンテナポートに関連付けられるＥＰＤＣＣＨを生成する第２のステップと、
前記参照信号と前記ＥＰＤＣＣＨを、所定数の前記リソースブロックペアで構成されるＥＰＤＣＣＨ領域にマッピングする第３のステップと、を有し、
前記ＥＰＤＣＣＨは、前記ＥＰＤＣＣＨ領域における、所定数のＥＣＣＥで構成され、
前記ＥＣＣＥは、所定数のＥＲＥＧで構成され、
前記ＥＲＥＧは、前記ＥＰＤＣＣＨ領域のそれぞれのリソースブロックペアにおける、所定数のリソースエレメントで構成される、
通信方法。
【請求項２５】
ＯＦＤＭシンボルとサブキャリアとで構成されるリソースエレメントと、所定数の前記リソースエレメントで構成されるリソースブロックペアとを用いて、基地局と通信する端末の通信方法であって、
第１のアンテナポートおよび第２のアンテナポートの参照信号と、前記基地局から通知される制御チャネルであるＥＰＤＣＣＨとを、所定数の前記リソースブロックペアで構成されるＥＰＤＣＣＨ領域から、分離する第１のステップと、
前記参照信号を用いて、前記第１のアンテナポートおよび前記第２のアンテナポートにおける伝搬路推定値を推定する第２のステップと、
前記伝搬路推定値を用いて、前記第１のアンテナポートおよび前記第２のアンテナポートに関連付けられる前記ＥＰＤＣＣＨを検出する第３のステップと、を有し、
前記ＥＰＤＣＣＨは、前記ＥＰＤＣＣＨ領域における、所定数のＥＣＣＥで構成され、
前記ＥＣＣＥは、所定数のＥＲＥＧで構成され、
前記ＥＲＥＧは、前記ＥＰＤＣＣＨ領域のそれぞれのリソースブロックペアにおける、所定数のリソースエレメントで構成される、
通信方法。
【請求項２６】
ＯＦＤＭシンボルとサブキャリアとで構成されるリソースエレメントと、所定数の前記リソースエレメントで構成されるリソースブロックペアとを用いて、基地局と端末とが通信する通信システムの通信方法であって、
前記基地局は、
第１のアンテナポートおよび第２のアンテナポートの参照信号を生成する第１のステップと、
前記端末に通知する制御チャネルであり、前記第１のアンテナポートおよび前記第２のアンテナポートに関連付けられるＥＰＤＣＣＨを生成する第２のステップと、
前記参照信号と前記ＥＰＤＣＣＨを、所定数の前記リソースブロックペアで構成されるＥＰＤＣＣＨ領域にマッピングする第３のステップと、を有し、
前記端末は、
前記参照信号と前記ＥＰＤＣＣＨとを、前記ＥＰＤＣＣＨ領域から、分離する第４のステップと、
前記参照信号を用いて、前記第１のアンテナポートおよび前記第２のアンテナポートにおける伝搬路推定値を推定する第５のステップと、
前記伝搬路推定値を用いて、前記ＥＰＤＣＣＨを検出する第６のステップと、を有し、
前記ＥＰＤＣＣＨは、前記ＥＰＤＣＣＨ領域における、所定数のＥＣＣＥで構成され、
前記ＥＣＣＥは、所定数のＥＲＥＧで構成され、
前記ＥＲＥＧは、前記ＥＰＤＣＣＨ領域のそれぞれのリソースブロックペアにおける、所定数のリソースエレメントで構成される、
通信方法。
【請求項２７】
ＯＦＤＭシンボルとサブキャリアとで構成されるリソースエレメントと、所定数の前記リソースエレメントで構成されるリソースブロックペアとを用いて、端末と通信する基地局で実現される集積回路であって、
第１のアンテナポートおよび第２のアンテナポートの参照信号を生成する第１の機能と、
前記端末に通知する制御チャネルであり、前記第１のアンテナポートおよび前記第２のアンテナポートに関連付けられるＥＰＤＣＣＨを生成する第２の機能と、
前記参照信号と前記ＥＰＤＣＣＨを、所定数の前記リソースブロックペアで構成されるＥＰＤＣＣＨ領域にマッピングする第３の機能と、を実現し、
前記ＥＰＤＣＣＨは、前記ＥＰＤＣＣＨ領域における、所定数のＥＣＣＥで構成され、
前記ＥＣＣＥは、所定数のＥＲＥＧで構成され、
前記ＥＲＥＧは、前記ＥＰＤＣＣＨ領域のそれぞれのリソースブロックペアにおける、所定数のリソースエレメントで構成される、
集積回路。
【請求項２８】
ＯＦＤＭシンボルとサブキャリアとで構成されるリソースエレメントと、所定数の前記リソースエレメントで構成されるリソースブロックペアとを用いて、基地局と通信する端末で実現される集積回路であって、
第１のアンテナポートおよび第２のアンテナポートの参照信号と、前記基地局から通知される制御チャネルであるＥＰＤＣＣＨとを、所定数の前記リソースブロックペアで構成されるＥＰＤＣＣＨ領域から、分離する第１の機能と、
前記参照信号を用いて、前記第１のアンテナポートおよび前記第２のアンテナポートにおける伝搬路推定値を推定する第２の機能と、
前記伝搬路推定値を用いて、前記第１のアンテナポートおよび前記第２のアンテナポートに関連付けられる前記ＥＰＤＣＣＨを検出する第３の機能と、を実現し、
前記ＥＰＤＣＣＨは、前記ＥＰＤＣＣＨ領域における、所定数のＥＣＣＥで構成され、
前記ＥＣＣＥは、所定数のＥＲＥＧで構成され、
前記ＥＲＥＧは、前記ＥＰＤＣＣＨ領域のそれぞれのリソースブロックペアにおける、所定数のリソースエレメントで構成される、
集積回路。
【請求項２９】
ＯＦＤＭシンボルとサブキャリアとで構成されるリソースエレメントと、所定数の前記リソースエレメントで構成されるリソースブロックペアとを用いて、基地局と端末とが通信する通信システムで実現される集積回路であって、
前記基地局は、
第１のアンテナポートおよび第２のアンテナポートの参照信号を生成する第１の機能と、
前記端末に通知する制御チャネルであり、前記第１のアンテナポートおよび前記第２のアンテナポートに関連付けられるＥＰＤＣＣＨを生成する第２の機能と、
前記参照信号と前記ＥＰＤＣＣＨを、所定数の前記リソースブロックペアで構成されるＥＰＤＣＣＨ領域にマッピングする第３の機能と、を実現し、
前記端末は、
前記参照信号と前記ＥＰＤＣＣＨとを、前記ＥＰＤＣＣＨ領域から、分離する第４の機能と、
前記参照信号を用いて、前記第１のアンテナポートおよび前記第２のアンテナポートにおける伝搬路推定値を推定する第５の機能と、
前記伝搬路推定値を用いて、前記ＥＰＤＣＣＨを検出する第６の機能と、を実現し、
前記ＥＰＤＣＣＨは、前記ＥＰＤＣＣＨ領域における、所定数のＥＣＣＥで構成され、
前記ＥＣＣＥは、所定数のＥＲＥＧで構成され、
前記ＥＲＥＧは、前記ＥＰＤＣＣＨ領域のそれぞれのリソースブロックペアにおける、所定数のリソースエレメントで構成される、
集積回路。
【発明の詳細な説明】
【技術分野】
【０００１】
本発明は、基地局、端末、通信システム、通信方法および集積回路に関する。
【背景技術】
【０００２】
３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）によるＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＬＴＥ（Ｌｏｎｇ  Ｔｅｒｍ  Ｅｖｏｌｕｔｉｏｎ）、ＬＴＥ−Ａ（ＬＴＥ−Ａｄｖａｎｃｅｄ）やＩＥＥＥ（Ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  ｅｎｇｉｎｅｅｒｓ）によるＷｉｒｅｌｅｓｓ  ＬＡＮ、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）のような無線通信システムでは、基地局（セル、送信局、送信装置、ｅＮｏｄｅＢ）および端末（移動端末、受信局、移動局、受信装置、ＵＥ（Ｕｓｅｒ  Ｅｑｕｉｐｍｅｎｔ））は、複数の送受信アンテナをそれぞれ備え、ＭＩＭＯ（Ｍｕｌｔｉ  Ｉｎｐｕｔ  Ｍｕｌｔｉ  Ｏｕｔｐｕｔ）技術を用いることにより、データ信号を空間多重し、高速なデータ通信を実現する。
【０００３】
このような無線通信システムにおいて、基地局は、端末に対して下りリンクデータ（下りリンク共用チャネル（ＤＬ−ＳＣＨ；Ｄｏｗｎｌｉｎｋ  Ｓｈａｒｅｄ  Ｃｈａｎｎｅｌ）に対するトランスポートブロック）を送信する場合、基地局と端末との間において既知の信号である復調用参照信号（ＤＭＲＳ；Ｄｅｍｏｄｕｌａｔｉｏｎ  Ｒｅｆｅｒｅｎｃｅ  Ｓｉｇｎａｌｓとも呼称される）を多重して送信する。ここで、復調用参照信号は、ユーザー装置スペシフィック参照信号（ＵＥ−ｓｐｅｃｉｆｉｃ  ＲＳ、端末固有（特有）のＲＳ）とも呼称される。
【０００４】
例えば、ＤＭＲＳは、プレコーディング処理が適用される前に、下りリンクデータと多重される。そのため、端末は、ＤＭＲＳを用いることによって、適用されたプレコーディング処理および伝送路状態を含めた等化チャネルを測定することができる。すなわち、端末は、基地局によって適用されたプレコーディング処理を通知されなくても、下りリンクデータを復調することができる。
【０００５】
ここで、下りリンクデータは、物理下りリンク共用チャネル（ＰＤＳＣＨ；Ｐｈｙｓｉｃａｌ  Ｄｏｗｎｌｉｎｋ  Ｓｈａｒｅｄ  Ｃｈａｎｎｅｌ）にマップされる。すなわち、参照信号は、ＰＤＳＣＨの復調に使用される。また、例えば、参照信号は、対応するＰＤＳＣＨがマップされるリソースブロック（物理リソースブロック、リソースとも呼称される）でのみ送信される。
【０００６】
ここで、カバレッジの広いマクロ基地局と、そのマクロ基地局よりもカバレッジの狭いＲＲＨ（Ｒｅｍｏｔｅ  Ｒａｄｉｏ  Ｈｅａｄ）などによるヘテロジーニアスネットワーク配置（ＨｅｔＮｅｔ；Ｈｅｔｅｒｏｇｅｎｅｏｕｓ  Ｎｅｔｗｏｒｋ  ｄｅｐｌｏｙｍｅｎｔ）を用いた無線通信システムが検討されている。図９は、ヘテロジーニアスネットワーク配置を用いた無線通信システムの概要図である。図１３に示すように、例えば、ヘテロジーニアスネットワークは、マクロ基地局９０１、ＲＲＨ９０２、ＲＲＨ９０３によって構成される。
【０００７】
図９において、マクロ基地局９０１はカバレッジ９０５を構築し、ＲＲＨ９０２およびＲＲＨ９０３はそれぞれカバレッジ９０６およびカバレッジ９０７を構築している。また、マクロ基地局９０１は、ＲＲＨ９０２と回線９０８を通じて接続しており、ＲＲＨ９０３と回線９０９を通じて接続している。これにより、マクロ基地局９０１は、ＲＲＨ９０２およびＲＲＨ９０３と、データ信号や制御信号（制御情報）を送受信することができる。ここで、例えば、回線９０８および回線９０９には、光ファイバ等の有線回線やリレー技術を用いた無線回線が利用される。この際、マクロ基地局９０１、ＲＲＨ９０２、ＲＲＨ９０３の一部または全てが、同一のリソースを用いることで、カバレッジ９０５のエリア内の総合的な周波数利用効率（伝送容量）を向上することができる。
【０００８】
また、端末９０４は、カバレッジ９０６の中に位置している場合、ＲＲＨ９０２とシングルセル通信を行うことができる。また、端末９０４がカバレッジ９０６の端付近（セルエッジ）に位置する場合、マクロ基地局９０１からの同一チャネルの干渉に対する対策が必要になる。ここで、マクロ基地局９０１とＲＲＨ９０２とのマルチセル通信（協調通信）として、隣接基地局間で互いに協調する基地局間協調通信を行うことによって、セルエッジ領域の端末９０４に対する干渉を軽減または抑圧する方法が検討されている。例えば、基地局間協調通信による干渉の軽減または抑圧に対する方式として、ＣｏＭＰ（Ｃｏｏｐｅｒａｔｉｖｅ  Ｍｕｌｔｉｐｏｉｎｔ）伝送方式などが検討されている（非特許文献１）。
【先行技術文献】
【非特許文献】
【０００９】
【非特許文献１】３ｒｄ  Ｇｅｎｅｒａｔｉｏｎ  Ｐａｒｔｎｅｒｓｈｉｐ  Ｐｒｏｊｅｃｔ；  Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；  Ｃｏｏｒｄｉｎａｔｅｄ  ｍｕｌｔｉ−ｐｏｉｎｔ  ｏｐｅｒａｔｉｏｎ  ｆｏｒ  ＬＴＥ  ｐｈｙｓｉｃａｌ  ｌａｙｅｒ  ａｓｐｅｃｔｓ  （Ｒｅｌｅａｓｅ  １１）、２０１１年９月、３ＧＰＰ  ＴＲ  ３６．８１９  Ｖ１１．０．０  （２０１１−０９）。
【発明の概要】
【発明が解決しようとする課題】
【００１０】
しかしながら、ヘテロジーニアスネットワーク配置および／またはＣｏＭＰ伝送方式等において、基地局から端末に対する制御情報の通知方法として従来方法を用いる場合、制御情報の通知領域のキャパシティの問題が生じる。その結果、基地局から端末に対する制御情報を効率的に通知することが出来ないため、基地局と端末との通信における伝送効率の向上が妨げられる要因となる。
【００１１】
本発明は、上記問題を鑑みてなされたものであり、その目的は、基地局と端末が通信する通信システムにおいて、基地局が端末に対する制御情報を効率的に通知することができる基地局、端末、通信システム、通信方法および集積回路を提供することにある。
【課題を解決するための手段】
【００１２】
（１）この発明は上述した課題を解決するためになされたもので、本発明の一態様による基地局は、ＯＦＤＭシンボルとサブキャリアとで構成されるリソースエレメントと、所定数のリソースエレメントで構成されるリソースブロックペアとを用いて、端末と通信する基地局である。基地局は、第１のアンテナポートおよび第２のアンテナポートの参照信号を生成する参照信号生成部と、端末に通知する制御チャネルであり、第１のアンテナポートおよび第２のアンテナポートに関連付けられるＥＰＤＣＣＨを生成するＥＰＤＣＣＨ生成部と、参照信号とＥＰＤＣＣＨを、所定数のリソースブロックペアで構成されるＥＰＤＣＣＨ領域にマッピングする多重部と、を備える。ＥＰＤＣＣＨは、ＥＰＤＣＣＨ領域における、所定数のＥＣＣＥで構成され、ＥＣＣＥは、所定数のＥＲＥＧで構成され、ＥＲＥＧは、ＥＰＤＣＣＨ領域のそれぞれのリソースブロックペアにおける、所定数のリソースエレメントで構成される。
【００１３】
（２）本発明の一態様による基地局は、上記の基地局であって、ＥＰＤＣＣＨ生成部は、それぞれのＥＲＥＧにおけるリソースエレメントに対して、第１のアンテナポートまたは第２のアンテナポートを、周波数優先規則によって交互に関連付け、ＥＰＤＣＣＨの複素シンボルを、第１のアンテナポートまたは第２のアンテナポートに関連付けられたリソースエレメントであり、前記ＥＰＤＣＣＨの送信に割り当てられたＥＲＥＧに含まれるリソースエレメントにマッピングする。
【００１４】
（３）本発明の一態様による基地局は、上記の基地局であって、ＥＰＤＣＣＨ生成部は、ＥＰＤＣＣＨの複素シンボルに対して、第１のアンテナポートまたは第２のアンテナポートを交互に関連付け、第１のアンテナポートまたは第２のアンテナポートに関連付けられたＥＰＤＣＣＨの複素シンボルを、周波数優先規則によって、前記ＥＰＤＣＣＨの送信に割り当てられたＥＲＥＧに含まれるリソースエレメントにマッピングする。
【００１５】
（４）本発明の一態様による基地局は、上記の基地局であって、ＥＰＤＣＣＨ生成部は、ＥＰＤＣＣＨとは異なる信号が、ＥＲＥＧを構成するリソースエレメントにマッピングされる場合、当該リソースエレメントは除外して、第１のアンテナポートまたは第２のアンテナポートを関連付ける。
【００１６】
（５）本発明の一態様による基地局は、上記の基地局であって、ＥＰＤＣＣＨとは異なる信号は、セル固有参照信号、ＰＤＣＣＨ領域、報知チャネル、同期信号、および／または伝送路状況測定用参照信号である。
【００１７】
（６）本発明の一態様による基地局は、上記の基地局であって、ＥＰＤＣＣＨ生成部は、リソースエレメントに対して、ＥＲＥＧを識別するＥＲＥＧ番号に基づいて、第１のアンテナポートまたは第２のアンテナポートからスタートして、交互に関連付ける。
【００１８】
（７）本発明の一態様による基地局は、上記の基地局であって、ＥＰＤＣＣＨ生成部は、ＥＲＥＧ番号が偶数の場合、リソースエレメントに対して、第１のアンテナポートからスタートして交互に関連付け、ＥＲＥＧ番号が奇数の場合、リソースエレメントに対して、第２のアンテナポートからスタートして交互に関連付ける。
【００１９】
（８）本発明の一態様による基地局は、上記の基地局であって、ＥＰＤＣＣＨ生成部は、ＥＲＥＧ番号を所定数で割った商が偶数の場合、リソースエレメントに対して、第１のアンテナポートからスタートして交互に関連付け、ＥＲＥＧ番号を所定数で割った商が奇数の場合、リソースエレメントに対して、第２のアンテナポートからスタートして交互に関連付ける。
【００２０】
（９）本発明の一態様による基地局は、上記の基地局であって、ＥＰＤＣＣＨ生成部は、ＥＰＤＣＣＨ領域のリソースブロックペアにおける、リソースエレメントのＥＲＥＧ番号と、リソースエレメントに関連付けられたアンテナポートとを、ＯＦＤＭシンボル毎に、所定数の巡回シフトを行う。
【００２１】
（１０）本発明の一態様による基地局は、上記の基地局であって、巡回シフトの所定数は、端末にＲＲＣシグナリングを通じて通知する制御情報に基づいて決定される。
【００２２】
（１１）本発明の一態様による基地局は、上記の基地局であって、周波数優先規則は、第１のアンテナポートまたは第２のアンテナポートが、それぞれのＥＲＥＧにおけるリソースエレメントにおいて、先頭のＯＦＤＭシンボルかつ最も低い周波数のサブキャリアのリソースエレメントから、それぞれのＯＦＤＭシンボルにおいて、周波数が高くなる方向のリソースエレメントを優先して順に関連付けられる規則である。
【００２３】
（１２）本発明の一態様による端末は、ＯＦＤＭシンボルとサブキャリアとで構成されるリソースエレメントと、所定数のリソースエレメントで構成されるリソースブロックペアとを用いて、基地局と通信する端末である。端末は、第１のアンテナポートおよび第２のアンテナポートの参照信号と、基地局から通知される制御チャネルであるＥＰＤＣＣＨとを、所定数のリソースブロックペアで構成されるＥＰＤＣＣＨ領域から、分離する分離部と、参照信号を用いて、第１のアンテナポートおよび第２のアンテナポートにおける伝搬路推定値を推定する伝搬路推定部と、伝搬路推定値を用いて、第１のアンテナポートおよび第２のアンテナポートに関連付けられるＥＰＤＣＣＨを検出するＥＰＤＣＣＨ処理部と、を備える。ＥＰＤＣＣＨは、ＥＰＤＣＣＨ領域における、所定数のＥＣＣＥで構成され、ＥＣＣＥは、所定数のＥＲＥＧで構成され、ＥＲＥＧは、ＥＰＤＣＣＨ領域のそれぞれのリソースブロックペアにおける、所定数のリソースエレメントで構成される
【００２４】
（１３）本発明の一態様による端末は、上記の端末であって、ＥＰＤＣＣＨ処理部は、それぞれのＥＲＥＧにおけるリソースエレメントに対して、第１のアンテナポートおよび第２のアンテナポートが、周波数優先規則によって交互に関連付けられ、ＥＰＤＣＣＨの複素シンボルは、第１のアンテナポートまたは第２のアンテナポートに関連付けられたリソースエレメントであり、前記ＥＰＤＣＣＨの送信に割り当てられたＥＲＥＧに含まれるリソースエレメントにマッピングされると想定して検出する。
【００２５】
（１４）本発明の一態様による端末は、上記の端末であって、ＥＰＤＣＣＨ処理部は、ＥＰＤＣＣＨの複素シンボルに対して、第１のアンテナポートおよび第２のアンテナポートが交互に関連付けられ、第１のアンテナポートまたは第２のアンテナポートに関連付けられたＥＰＤＣＣＨの複素シンボルは、周波数優先規則によって、前記ＥＰＤＣＣＨの送信に割り当てられたＥＲＥＧに含まれるリソースエレメントにマッピングされると想定して検出する。
【００２６】
（１５）本発明の一態様による端末は、上記の端末であって、ＥＰＤＣＣＨ処理部は、ＥＰＤＣＣＨとは異なる信号が、ＥＲＥＧを構成するリソースエレメントにマッピングされる場合、当該リソースエレメントは除外して、第１のアンテナポートまたは第２のアンテナポートが関連付けられると想定して検出する。
【００２７】
（１６）本発明の一態様による端末は、上記の端末であって、ＥＰＤＣＣＨとは異なる信号は、セル固有参照信号、ＰＤＣＣＨ領域、報知チャネル、同期信号、および／または伝送路状況測定用参照信号である。
【００２８】
（１７）本発明の一態様による端末は、上記の端末であって、ＥＰＤＣＣＨ処理部は、リソースエレメントに対して、ＥＲＥＧを識別するＥＲＥＧ番号に基づいて、第１のアンテナポートまたは第２のアンテナポートからスタートして交互に関連付けられると想定して検出する。
【００２９】
（１８）本発明の一態様による端末は、上記の端末であって、ＥＰＤＣＣＨ処理部は、ＥＲＥＧ番号が偶数の場合、リソースエレメントに対して、第１のアンテナポートからスタートして交互に関連付けられると想定して検出し、ＥＲＥＧ番号が奇数の場合、リソースエレメントに対して、第２のアンテナポートからスタートして交互に関連付けられると想定して検出する。
【００３０】
（１９）本発明の一態様による端末は、上記の端末であって、ＥＰＤＣＣＨ処理部は、ＥＲＥＧ番号を所定数で割った商が偶数の場合、リソースエレメントに対して、第１のアンテナポートからスタートして交互に関連付けられると想定して検出し、ＥＲＥＧ番号を所定数で割った商が奇数の場合、リソースエレメントに対して、第２のアンテナポートからスタートして交互に関連付けられると想定して検出する。
【００３１】
（２０）本発明の一態様による端末は、上記の端末であって、ＥＰＤＣＣＨ処理部は、ＥＰＤＣＣＨ領域のリソースブロックペアにおける、リソースエレメントのＥＲＥＧ番号と、リソースエレメントに関連付けられたアンテナポートとは、ＯＦＤＭシンボル毎に、所定数の巡回シフトが行われると想定して検出する。
【００３２】
（２１）本発明の一態様による端末は、上記の端末であって、巡回シフトの所定数は、基地局からＲＲＣシグナリングを通じて通知される制御情報に基づいて決定される。
【００３３】
（２２）本発明の一態様による端末は、上記の端末であって、周波数優先規則は、第１のアンテナポートまたは第２のアンテナポートが、それぞれのＥＲＥＧにおけるリソースエレメントにおいて、先頭のＯＦＤＭシンボルかつ最も低い周波数のサブキャリアのリソースエレメントから、それぞれのＯＦＤＭシンボルにおいて、周波数が高くなる方向のリソースエレメントを優先して順に関連付けられる規則である。
【００３４】
（２３）本発明の一態様による通信システムは、ＯＦＤＭシンボルとサブキャリアとで構成されるリソースエレメントと、所定数のリソースエレメントで構成されるリソースブロックペアとを用いて、基地局と端末とが通信する通信システムである。基地局は、第１のアンテナポートおよび第２のアンテナポートの参照信号を生成する参照信号生成部と、端末に通知する制御チャネルであり、第１のアンテナポートおよび第２のアンテナポートに関連付けられるＥＰＤＣＣＨを生成するＥＰＤＣＣＨ生成部と、参照信号とＥＰＤＣＣＨを、所定数のリソースブロックペアで構成されるＥＰＤＣＣＨ領域にマッピングする多重部と、を備える。端末は、参照信号とＥＰＤＣＣＨとを、ＥＰＤＣＣＨ領域から、分離する分離部と、参照信号を用いて、第１のアンテナポートおよび第２のアンテナポートにおける伝搬路推定値を推定する伝搬路推定部と、伝搬路推定値を用いて、ＥＰＤＣＣＨを検出するＥＰＤＣＣＨ処理部と、を備える。ＥＰＤＣＣＨは、ＥＰＤＣＣＨ領域における、所定数のＥＣＣＥで構成され、  ＥＣＣＥは、所定数のＥＲＥＧで構成され、ＥＲＥＧは、ＥＰＤＣＣＨ領域のそれぞれのリソースブロックペアにおける、所定数のリソースエレメントで構成される。
【００３５】
（２４）本発明の一態様による通信方法は、ＯＦＤＭシンボルとサブキャリアとで構成されるリソースエレメントと、所定数のリソースエレメントで構成されるリソースブロックペアとを用いて、端末と通信する基地局の通信方法である。基地局は、第１のアンテナポートおよび第２のアンテナポートの参照信号を生成する第１のステップと、端末に通知する制御チャネルであり、第１のアンテナポートおよび第２のアンテナポートに関連付けられるＥＰＤＣＣＨを生成する第２のステップと、参照信号とＥＰＤＣＣＨを、所定数のリソースブロックペアで構成されるＥＰＤＣＣＨ領域にマッピングする第３のステップと、を有する。ＥＰＤＣＣＨは、ＥＰＤＣＣＨ領域における、所定数のＥＣＣＥで構成され、ＥＣＣＥは、所定数のＥＲＥＧで構成され、ＥＲＥＧは、ＥＰＤＣＣＨ領域のそれぞれのリソースブロックペアにおける、所定数のリソースエレメントで構成される。
【００３６】
（２５）本発明の一態様による通信方法は、ＯＦＤＭシンボルとサブキャリアとで構成されるリソースエレメントと、所定数のリソースエレメントで構成されるリソースブロックペアとを用いて、基地局と通信する端末の通信方法である。端末は、第１のアンテナポートおよび第２のアンテナポートの参照信号と、基地局から通知される制御チャネルであるＥＰＤＣＣＨとを、所定数のリソースブロックペアで構成されるＥＰＤＣＣＨ領域から、分離する第１のステップと、参照信号を用いて、第１のアンテナポートおよび第２のアンテナポートにおける伝搬路推定値を推定する第２のステップと、伝搬路推定値を用いて、第１のアンテナポートおよび第２のアンテナポートに関連付けられるＥＰＤＣＣＨを検出する第３のステップと、を有する。ＥＰＤＣＣＨは、ＥＰＤＣＣＨ領域における、所定数のＥＣＣＥで構成され、ＥＣＣＥは、所定数のＥＲＥＧで構成され、ＥＲＥＧは、ＥＰＤＣＣＨ領域のそれぞれのリソースブロックペアにおける、所定数のリソースエレメントで構成される。
【００３７】
（２６）本発明の一態様による通信方法は、ＯＦＤＭシンボルとサブキャリアとで構成されるリソースエレメントと、所定数のリソースエレメントで構成されるリソースブロックペアとを用いて、基地局と端末とが通信する通信システムの通信方法である。基地局は、第１のアンテナポートおよび第２のアンテナポートの参照信号を生成する第１のステップと、端末に通知する制御チャネルであり、第１のアンテナポートおよび第２のアンテナポートに関連付けられるＥＰＤＣＣＨを生成する第２のステップと、参照信号とＥＰＤＣＣＨを、所定数のリソースブロックペアで構成されるＥＰＤＣＣＨ領域にマッピングする第３のステップと、を有する。端末は、参照信号とＥＰＤＣＣＨとを、ＥＰＤＣＣＨ領域から、分離する第４のステップと、参照信号を用いて、第１のアンテナポートおよび第２のアンテナポートにおける伝搬路推定値を推定する第５のステップと、伝搬路推定値を用いて、ＥＰＤＣＣＨを検出する第６のステップと、を有する。ＥＰＤＣＣＨは、ＥＰＤＣＣＨ領域における、所定数のＥＣＣＥで構成され、ＥＣＣＥは、所定数のＥＲＥＧで構成され、ＥＲＥＧは、ＥＰＤＣＣＨ領域のそれぞれのリソースブロックペアにおける、所定数のリソースエレメントで構成される。
【００３８】
（２７）本発明の一態様による集積回路は、ＯＦＤＭシンボルとサブキャリアとで構成されるリソースエレメントと、所定数のリソースエレメントで構成されるリソースブロックペアとを用いて、端末と通信する基地局で実現される集積回路である。基地局は、第１のアンテナポートおよび第２のアンテナポートの参照信号を生成する第１の機能と、端末に通知する制御チャネルであり、第１のアンテナポートおよび第２のアンテナポートに関連付けられるＥＰＤＣＣＨを生成する第２の機能と、参照信号とＥＰＤＣＣＨを、所定数のリソースブロックペアで構成されるＥＰＤＣＣＨ領域にマッピングする第３の機能と、を実現する。ＥＰＤＣＣＨは、ＥＰＤＣＣＨ領域における、所定数のＥＣＣＥで構成され、ＥＣＣＥは、所定数のＥＲＥＧで構成され、ＥＲＥＧは、ＥＰＤＣＣＨ領域のそれぞれのリソースブロックペアにおける、所定数のリソースエレメントで構成される。
【００３９】
（２８）本発明の一態様による集積回路は、ＯＦＤＭシンボルとサブキャリアとで構成されるリソースエレメントと、所定数のリソースエレメントで構成されるリソースブロックペアとを用いて、基地局と通信する端末で実現される集積回路である。端末は、第１のアンテナポートおよび第２のアンテナポートの参照信号と、基地局から通知される制御チャネルであるＥＰＤＣＣＨとを、所定数のリソースブロックペアで構成されるＥＰＤＣＣＨ領域から、分離する第１の機能と、参照信号を用いて、第１のアンテナポートおよび第２のアンテナポートにおける伝搬路推定値を推定する第２の機能と、伝搬路推定値を用いて、第１のアンテナポートおよび第２のアンテナポートに関連付けられるＥＰＤＣＣＨを検出する第３の機能と、を実現する。ＥＰＤＣＣＨは、ＥＰＤＣＣＨ領域における、所定数のＥＣＣＥで構成され、ＥＣＣＥは、所定数のＥＲＥＧで構成され、ＥＲＥＧは、ＥＰＤＣＣＨ領域のそれぞれのリソースブロックペアにおける、所定数のリソースエレメントで構成される。
【００４０】
（２９）本発明の一態様による集積回路は、ＯＦＤＭシンボルとサブキャリアとで構成されるリソースエレメントと、所定数のリソースエレメントで構成されるリソースブロックペアとを用いて、基地局と端末とが通信する通信システムで実現される集積回路である。基地局は、第１のアンテナポートおよび第２のアンテナポートの参照信号を生成する第１の機能と、端末に通知する制御チャネルであり、第１のアンテナポートおよび第２のアンテナポートに関連付けられるＥＰＤＣＣＨを生成する第２の機能と、参照信号とＥＰＤＣＣＨを、所定数のリソースブロックペアで構成されるＥＰＤＣＣＨ領域にマッピングする第３の機能と、を実現する。端末は、参照信号とＥＰＤＣＣＨとを、ＥＰＤＣＣＨ領域から、分離する第４の機能と、参照信号を用いて、第１のアンテナポートおよび第２のアンテナポートにおける伝搬路推定値を推定する第５の機能と、伝搬路推定値を用いて、ＥＰＤＣＣＨを検出する第６の機能と、を実現する。ＥＰＤＣＣＨは、ＥＰＤＣＣＨ領域における、所定数のＥＣＣＥで構成され、ＥＣＣＥは、所定数のＥＲＥＧで構成され、ＥＲＥＧは、ＥＰＤＣＣＨ領域のそれぞれのリソースブロックペアにおける、所定数のリソースエレメントで構成される。
【発明の効果】
【００４１】
この発明によれば、基地局と端末が通信する無線通信システムにおいて、基地局が端末に対する制御情報を効率的に通知することができる。
【図面の簡単な説明】
【００４２】
【図１】本発明の実施形態に係る基地局の構成を示す概略ブロック図である。
【図２】本発明の実施形態に係る端末の構成を示す概略ブロック図である。
【図３】基地局が送信するサブフレームの一例を示す図である。
【図４】基地局がマッピングする１つのリソースブロックペアの一例を示す図である。
【図５】１つのＲＢペアにおけるＥＲＥＧ構成を示す。
【図６】１つのＲＢペアにおけるＥＲＥＧ番号に対するリソースエレメントの組み合わせを示す図である。
【図７】ＥＰＤＣＣＨの送信に用いられるリソースエレメントとＥＰＤＣＣＨ復調用参照信号のアンテナポートとの関連付けの例を示す。
【図８】ＥＰＤＣＣＨの送信に用いられるリソースエレメントとＥＰＤＣＣＨ復調用参照信号のアンテナポートとの関連付けの例を示す。
【図９】ヘテロジーニアスネットワーク配置を用いた無線通信システムの概要図である。
【発明を実施するための形態】
【００４３】
本明細書で述べられる技術は、符号分割多重アクセス（ＣＤＭＡ）システム、時分割多重アクセス（ＴＤＭＡ）システム、周波数分割多重アクセス（ＦＤＭＡ）システム、直交ＦＤＭＡ（ＯＦＤＭＡ）システム、シングルキャリアＦＤＭＡ（ＳＣ−ＦＤＭＡ）システム、インタリーブ分割多重アクセス（ＩＤＭＡ）、およびその他のシステムの通信システムにおいて使用され得る。用語「システム」及び「ネットワーク」は、しばしば同義的に使用され得る。第３世代パートナーシッププロジェクト（３ＧＰＰ）は、ＬＴＥ（Ｌｏｎｇ  Ｔｅｒｍ  Ｅｖｏｌｕｔｉｏｎ）およびＬＴＥ−Ａ（ＬＴＥ−Ａｄｖａｎｃｅｄ）と呼称される通信システムを規格化している。ＬＴＥは、ダウンリンク上でＯＦＤＭＡを、アップリンク上でＳＣ−ＦＤＭＡを採用するＥ−ＵＴＲＡを使用するＵＭＴＳである。ＬＴＥ−Ａは、ＬＴＥを改良したシステム、無線技術、規格である。以下で述べる技術は、ＬＴＥおよび／またはＬＴＥ−Ａで用いられる場合を説明するが、他の通信システムにも適用することができる。また、以下の説明では、ＬＴＥ規格で用いられる用語、ＬＴＥ−Ａ規格で用いられる用語、および３ＧＰＰで用いられる用語が、用いられる。
【００４４】
＜第１の実施形態＞
以下、本発明の実施形態について説明する。本実施形態における通信システムは、基地局および端末を備える。ここで、基地局は、送信装置、セル、送信点、送信アンテナ群、送信アンテナポート群、コンポーネントキャリア、または、ｅＮｏｄｅＢとすることができる。また、基地局は、マクロセル、ピコセル、フェムトセル、スモールセル、ＲＲＨ（Remote Radio Head）、分散アンテナなどを含む。端末は、端末装置、移動端末、受信点、受信端末、受信装置、受信アンテナ群、受信アンテナポート群、または、ＵＥ（User Equipment）とすることができる。また、端末は、セルに固有のパラメータまたは当該端末に固有のパラメータに基づいて基地局（送信点）を識別できる。例えば、端末は、セルに固有の識別子であるセルＩＤ、当該端末に上位レイヤーのシグナリングを通じて設定されるパラメータ（仮想セルＩＤなど）などに基づいて基地局（送信点）を識別できる。
【００４５】
本発明の通信システムにおいて、基地局１００と端末２００とは、データ通信を行うため、下りリンクおよび／または上りリンクを通じて、制御情報および／またはデータを、送信および／または受信する。基地局１００は、下りリンクを通じて、端末２００に、ＰＤＣＣＨ（Physical Downlink Control Channel、物理下りリンク制御チャネル、第１の制御チャネル）、ＥＰＤＣＣＨ（Enhanced PDCCH、拡張物理下りリンク制御チャネル、第２の制御チャネル）、および／または、ＰＤＳＣＨ（Physical Downlink Shared Channel、物理下りリンク共用チャネル）を送信する。制御情報は、ＰＤＣＣＨおよび／またはＥＰＤＣＣＨを通じて送信される。データは、ＰＤＳＣＨを通じて送信される。また、上位レイヤーの制御情報（ＲＲＣシグナリング）は、ＰＤＳＣＨを通じて送信できる。すなわち、データは、上位レイヤーの制御情報を含んで構成できる。一方、端末２００は、上りリンクを通じて、基地局１００に、ＰＵＣＣＨ（Physical Uplink Control Channel、物理上りリンク制御チャネル）、および／または、ＰＵＳＣＨ（Physical Uplink Shared Channel、物理上りリンク共用チャネル）を送信する。制御情報は、ＰＵＣＣＨおよび／またはＰＵＳＣＨを通じて送信される。データは、ＰＵＳＣＨを通じて送信される。ここで、ＰＤＣＣＨ、ＥＰＤＣＣＨ、ＰＤＳＣＨ、ＰＵＣＣＨ、および、ＰＵＳＣＨは、物理チャネルの一種であり、物理フレーム上に規定されるチャネルである。なお、以下の説明では、基地局１００と端末２００とがデータ通信を行う場合を説明するが、基地局および／または端末は複数であってもよい。
【００４６】
＜送受信機構成＞
図１は、本発明の実施形態に係る基地局の構成を示す概略ブロック図である。図１において、基地局１００は、ＰＤＣＣＨ生成部１１０、ＥＰＤＣＣＨ生成部１２０、ＰＤＳＣＨ１３０、参照信号生成部１４１、多重部１５１、送信信号生成部１５２、送信部１５３を含んで構成される。ＰＤＣＣＨ生成部１１０は、符号部１１１、変調部１１２、レイヤー処理部１１３、プリコーディング部１１４を含んで構成される。ＥＰＤＣＣＨ生成部１２０は、符号部１２１、変調部１２２、レイヤー処理部１２３、プリコーディング部１２４を含んで構成される。ＰＤＳＣＨ生成部１３０は、符号部１３１、変調部１３２、レイヤー処理部１３３、プリコーディング部１３４を含んで構成される。なお、図示しないが、基地局１００は制御部を含んで構成し、制御部は基地局１００における様々な処理を制御することができる。
【００４７】
端末２００に対する制御情報（下りリンク制御情報（ＤＣＩ））は、ＰＤＣＣＨ生成部１１０および／またはＥＰＤＣＣＨ生成部１２０に入力される。また、端末２００に対するデータ（トランスポートブロック、コードワード）は、ＰＤＳＣＨ生成部１３０に入力される。ここで、データは、誤り訂正符号化を行う単位とすることができる。また、データは、ＨＡＲＱ（Ｈｙｂｒｉｄ  Ａｕｔｏｍａｔｉｃ  Ｒｅｐｅａｔ  ｒｅＱｕｅｓｔ）等の再送制御を行う単位とすることができる。また、基地局１００は、端末２００に複数の制御情報および／またはデータを送信することができる。
【００４８】
ＰＤＣＣＨ生成部１１０は、入力された制御情報から、ＰＤＣＣＨを生成する。符号部１１１は、入力された制御情報に、ＣＲＣ（Cyclic Redundancy Check）を用いた誤り検出符号化、畳み込み符号などの誤り訂正符号を用いた誤り訂正符号化、および、擬似雑音系列を用いたスクランブル符号化を行う。また、符号部１１１は、ＣＲＣにおけるパリティビット（冗長ビット）に、端末２００に固有の識別子（ＵＥ−ＩＤ、ＲＮＴＩ（Radio Network Temporary ID））を用いてスクランブルを行う。また、符号部１１１は、所定の方法を用いて符号化率を制御することができる。変調部１１２は、符号部１１１が生成した信号に対して、ＱＰＳＫ（Quadrature Phase Shift Keying）などの変調方式を用いて変調を行う。レイヤー処理部１１３は、変調部１１２が生成した信号に対して、レイヤーマッピングなどのレイヤー処理を行う。レイヤー処理部１１３におけるレイヤーマッピングは、入力された信号を、１つ以上のレイヤーのそれぞれにマッピング（割り当て）を行う。プリコーディング部１１４は、レイヤー処理部１１３が生成した信号に対して、所定の方法を用いてプリコーディング処理を行い、アンテナポート毎の信号を生成する。例えば、プリコーディング部１１４は、周波数ダイバーシチ効果が得られるプリコーディング処理を行う。ＰＤＣＣＨ生成部１１０において、ＰＤＣＣＨのレイヤー数とアンテナポート数は同数にすることができる。ＰＤＣＣＨは、アンテナポート０〜３の一部または全部を用いて送信できる。
【００４９】
ＥＰＤＣＣＨ生成部１２０は、入力された制御情報から、ＥＰＤＣＣＨを生成する。符号部１２１は、入力された制御情報に、ＣＲＣ（Cyclic Redundancy Check）を用いた誤り検出符号化、畳み込み符号などの誤り訂正符号を用いた誤り訂正符号化、および、擬似雑音系列を用いたスクランブル符号化を行う。また、符号部１２１は、ＣＲＣにおけるパリティビットに、端末２００に固有の識別子を用いてスクランブルを行う。また、符号部１２１は、所定の方法を用いて符号化率を制御することができる。変調部１２２は、符号部１２１が生成した信号に対して、ＱＰＳＫなどの変調方式を用いて変調を行う。レイヤー処理部１２３は、変調部１２２が生成した信号に対して、レイヤーマッピングなどのレイヤー処理を行う。レイヤー処理部１２３におけるレイヤーマッピングは、入力された信号を、１つ以上のレイヤーのそれぞれにマッピング（割り当て）を行う。プリコーディング部１２４は、レイヤー処理部１２３が生成した信号に対して、所定の方法を用いて、プリコーディング処理を行い、アンテナポート毎の信号を生成する。例えば、プリコーディング部１２４は、周波数ダイバーシチ効果および／または周波数スケジューリング効果が得られるプリコーディング処理を行う。ＥＰＤＣＣＨ生成部１２０において、ＥＰＤＣＣＨのレイヤー毎の信号とアンテナポート毎の信号は同じにすることができる。ＥＰＤＣＣＨは、アンテナポート１０７〜１１０の一部または全部を用いて送信できる。また、ＥＰＤＣＣＨ生成部１２０は、プレコーディング部１２４が生成したＥＰＤＣＣＨを、所定のリソースエレメントにマッピングをすることができる。また、
【００５０】
ＰＤＳＣＨ生成部１３０は、入力されたデータから、ＰＤＳＣＨを生成する。なお、データは上位レイヤーなどから入力される。符号部１３１は、入力されたデータに、擬似雑音系列を用いたスクランブル符号化、および、ターボ符号などの誤り訂正符号を用いた誤り訂正符号化を行う。また、符号部１３１は、所定の方法を用いて符号化率を制御することができる。変調部１３２は、符号部１３１が生成した信号に対して、ＱＰＳＫまたはＱＡＭ（Quadrature Amplitude Modulation）などの変調方式を用いて変調を行う。レイヤー処理部１３３は、変調部１３２が生成した信号に対して、レイヤーマッピングなどのレイヤー処理を行う。レイヤー処理部１３３におけるレイヤーマッピングは、入力された信号を、１つ以上のレイヤーのそれぞれにマッピング（割り当て）を行う。ＰＤＳＣＨに対するレイヤー数は、端末２００に対するＭＩＭＯの多重数（ランク数）で決定される。プリコーディング部１３４は、レイヤー処理部１３３が生成した信号に対して、所定の方法を用いて、プリコーディング処理を行い、アンテナポート毎の信号を生成する。例えば、プリコーディング部１３４は、周波数スケジューリング効果が得られるプリコーディング処理を行う。ＰＤＳＣＨ生成部１３０において、ＰＤＳＣＨのレイヤー毎の信号とアンテナポート毎の信号は同じにすることができる。ＰＤＳＣＨは、アンテナポート７〜１４の一部または全部を用いて送信できる。
【００５１】
参照信号生成部１４１は、基地局１００および端末２００で互いに既知の信号（系列）である参照信号を生成する。参照信号は、アンテナポートのそれぞれに関連付けることができる。参照信号は、セル固有参照信号（ＣＲＳ；Cell-specific RS）、端末固有参照信号（ＵＥＲＳ；UE-specific RS）、ＥＰＤＣＣＨ復調用参照信号（ＤＭ−ＲＳ）、伝送路状況測定用参照信号（ＣＳＩ−ＲＳ；Channel State Information-RS）を含む。セル固有参照信号は、アンテナポート０〜３に関連付けられ、端末２００がＰＤＣＣＨおよびセル固有の信号を復調するために用いることができる。端末固有参照信号は、アンテナポート７〜１４に関連付けられ、端末２００がＰＤＳＣＨを復調するために用いることができる。ＥＰＤＣＣＨ復調用参照信号は、アンテナポート１０７〜１１０に関連付けられ、端末２００がＥＰＤＣＣＨを復調するために用いることができる。伝送路状況測定用参照信号は、アンテナポート１５〜２２に関連付けられ、端末２００が基地局１００に通知する下りリンクの伝搬路状況を測定するために用いることができる。
ここで、アンテナポートとは、信号処理で用いる論理的なアンテナを意味し、１個のアンテナポートは複数の物理的なアンテナから構成されてもよい。同一のアンテナポートを構成する複数の物理的なアンテナは、同一の信号を送信する。同一のアンテナポート内で、複数の物理的なアンテナは、遅延ダイバーシチ、またはＣＤＤ（Cyclic Delay Diversity）を適用することはできる。
【００５２】
参照信号生成部１４１は、それぞれの参照信号に対して、所定の方法を用いてプリコーディング処理を行い、アンテナポート毎の信号を生成する。ここで、それぞれのアンテナポートにおける参照信号は、そのアンテナポートに関連付けられるチャネルと同じプリコーディング処理が行われる。すなわち、セル固有参照信号は、プリコーディング部１１４と同じプリコーディング処理が行われる。ＥＰＤＣＣＨ復調用参照信号は、プリコーディング部１２４と同じプリコーディング処理が行われる。端末固有参照信号は、プリコーディング部１３４と同じプリコーディング処理が行われる。なお、伝送路状況測定用参照信号は、プリコーディング処理を行わなくてもよい。
【００５３】
ここで、プリコーディング処理は、様々な方法を用いることができる。周波数ダイバーシチ効果が得られるプリコーディング処理は、ＳＦＢＣ（Space Frequency Block Coding）、ＳＴＢＣ（Space Time Block Coding）、ＦＳＴＤ（Frequency Switched Transmit Diversity）および／またはＣＤＤ（Cyclic Delay Diversity）などを用いて行うことができる。周波数スケジューリング効果が得られるプリコーディング処理は、所定のプリコーディング行列を乗算して行うことができる。なお、周波数スケジューリング効果が得られるプリコーディング処理は、端末２００が効率よく受信できるように、伝搬路状況を考慮して、位相回転および／または振幅制御などを行うことが好ましい。
【００５４】
多重部１５１は、ＰＤＣＣＨ生成部１１０が生成したＰＤＣＣＨ、ＥＰＤＣＣＨ生成部１２０が生成したＥＰＤＣＣＨ、ＰＤＳＣＨ生成部１３０が生成したＰＤＳＣＨ、および／または、参照信号生成部１４１が生成した参照信号を多重し、リソースエレメントにマッピングする。ここで、リソースエレメントは、１つのＯＦＤＭシンボルと１つのサブキャリアで構成される信号をマッピングする最小の単位である。また、多重部１５１が多重する信号および／またはチャネルは、それぞれ異なるリソースエレメントおよび／またはアンテナポートにマッピングすることにより、互いに直交または準直交することができる。
なお、ＰＤＣＣＨ生成部１１０、ＥＰＤＣＣＨ生成部１２０、ＰＤＳＣＨ生成部１３０、および参照信号生成部１４１は、ＰＤＣＣＨ、ＥＰＤＣＣＨ、ＰＤＳＣＨ、および参照信号を、それぞれ所定のリソースエレメントへマッピングし、多重部１５１はそれらを多重するという構成でもよい。
【００５５】
送信信号生成部１５２は、多重部１５１が多重した信号から送信信号を生成する。送信信号生成部１５２は、多重部１５１が多重した信号に対して、ＩＦＦＴ（Inverse Fast Fourier Transform）により周波数−時間変換し、所定のサイクリックプレフィックス長のサイクリックプレフィックス（ガードインターバル）を付加する。送信信号生成部１５２は、さらにデジタル−アナログ変換、無線周波数帯への周波数変換などを行い、送信信号を生成する。送信部（送信アンテナ）１５３は、１つまたは複数のアンテナポート（送信アンテナポート）から、送信信号生成部１５２が生成した送信信号を送信する。
【００５６】
図２は、本発明の実施形態に係る端末の構成を示す概略ブロック図である。図２において、端末２００は、受信部２０１、受信信号処理部２０２、分離部２０３、伝搬路推定部２０４、ＰＤＣＣＨ処理部２１０、ＥＰＤＣＣＨ処理部２２０、ＰＤＳＣＨ処理部２３０を含んで構成される。ＰＤＣＣＨ処理部２１０は、伝搬路等化部２１１、復調部２１２、復号部２１３を含んで構成される。ＥＰＤＣＣＨ処理部２２０は、伝搬路等化部２２１、復調部２２２、復号部２２３を含んで構成される。ＰＤＳＣＨ処理部２３０は、伝搬路等化部２３１、復調部２３２、復号部２３３を含んで構成される。なお、図示しないが、端末２００は制御部を含んで構成し、制御部は端末２００における様々な処理を制御することができる。
【００５７】
受信部（受信アンテナ）２０１は、１つまたは複数の受信アンテナポートにより、基地局１００が送信した信号を受信する。受信信号処理部２０２は、受信部２０１が受信した信号に対して、無線周波数からベースバンド信号への周波数変換、アナログ−デジタル変換、付加されたサイクリックプレフィックスの除去、ＦＦＴ（Ｆａｓｔ  Ｆｏｕｒｉｅｒ  Ｔｒａｎｓｆｏｒｍ）などによる時間−周波数変換を行う。
【００５８】
分離部２０３は、基地局１００の多重部１５１で多重（マッピング）された信号を分離（デマッピング）する。具体的には、分離部２０３は、所定の方法により、ＰＤＣＣＨ、ＥＰＤＣＣＨ、ＰＤＳＣＨ、および／または参照信号を分離する。ＰＤＣＣＨはＰＤＣＣＨ処理部２１０に入力される。ＥＰＤＣＣＨはＥＰＤＣＣＨ処理部２２０に入力される。ＰＤＳＣＨはＰＤＳＣＨ処理部２３０に入力される。参照信号は伝搬路推定部２０４に入力される。例えば、チャネルまたは信号がマッピングされる可能性のあるリソースが予め規定されている場合、分離部２０３はその規定されたリソースから、当該チャネルまたは当該信号、または、当該チャネルまたは当該信号の候補を分離するかもしれない。また、例えば、チャネルまたは信号がマッピングされる可能性のあるリソースが通知され設定されている場合、分離部２０３はその設定されたリソースから、当該チャネルまたは当該信号、または、当該チャネルまたは当該信号の候補を分離するかもしれない。なお、ＰＤＳＣＨがマッピングされるリソースを示す情報がＰＤＣＣＨおよび／またはＥＰＤＣＣＨを通じて通知される制御情報に含まれる場合、端末２００がその制御情報を検出した後、分離部２０３は制御情報に基づいてＰＤＳＣＨを分離するかもしれない。
【００５９】
伝搬路推定部２０４は、参照信号を用いて、ＰＤＣＣＨ、ＥＰＤＣＣＨ、および／またはＰＤＳＣＨに対する伝搬路推定を行う。ＰＤＣＣＨに対する伝搬路推定は、セル固有参照信号を用いて行われる。ＥＰＤＣＣＨに対する伝搬路推定は、ＥＰＤＣＣＨ復調用参照信号を用いて行われる。ＰＤＳＣＨに対する伝搬路推定は、端末固有参照信号を用いて行われる。伝搬路推定部２０４は、参照信号を用いて、各送信アンテナポートの各受信アンテナポートに対する、それぞれのリソースエレメントにおける振幅と位相の変動（周波数応答、伝達関数）を推定し、伝搬路推定値を求める。伝搬路推定部２０４は、伝搬路推定値を、ＰＤＣＣＨ処理部２１０、ＥＰＤＣＣＨ処理部２２０、および／またはＰＤＳＣＨ処理部２３０に出力する。
【００６０】
ＰＤＣＣＨ処理部２１０は、ＰＤＣＣＨ領域から、端末２００宛のＰＤＣＣＨの候補を探索し、端末２００宛のＰＤＣＣＨを検出し、端末２００宛の制御情報を識別する。伝搬路等化部２１１は、分離部２０３から入力されるＰＤＣＣＨの候補と、伝搬路推定部２０４から入力される伝搬路推定値とを用いて、ＰＤＣＣＨの候補に対する伝搬路等化（伝搬路補償）を行う。復調部２１２は、伝搬路等化部２１１が伝搬路等化した信号に、所定の変調方式に対する復調を行う。復号部２１３は、復号部２１２が復調した信号に、擬似雑音系列を用いた所定のスクランブル符号化に対するスクランブル復号、所定の誤り訂正符号化に対する誤り訂正復号、および、所定の誤り検出符号化に対する誤り検出復号を行う。ここで、誤り訂正復号により得られたＣＲＣパリティビットは、端末２００に固有の識別子を用いてスクランブル復号が行われ、誤り検出復号が行われる。そのため、誤り検出復号により、そのＰＤＣＣＨから誤りが検出されなければ、ＰＤＣＣＨ処理部２１０はそのＰＤＣＣＨを端末２００宛のＰＤＣＣＨとして検出できる。ＰＤＣＣＨ処理部２１０は、検出されたＰＤＣＣＨから制御情報を識別する。その制御情報は端末２００の様々な制御に用いられる。また、ＰＤＣＣＨ処理部２１０は、全てのＰＤＣＣＨの候補に対して処理を行う。
【００６１】
ＥＰＤＣＣＨ処理部２２０は、ＥＰＤＣＣＨ領域（ＥＰＤＣＣＨセット）から、端末２００宛のＥＰＤＣＣＨの候補を探索し、端末２００宛のＥＰＤＣＣＨを検出し、端末２００宛の制御情報を識別する。伝搬路等化部２２１は、分離部２０３から入力されるＥＰＤＣＣＨの候補と、伝搬路推定部２０４から入力される伝搬路推定値とを用いて、ＥＰＤＣＣＨの候補に対する伝搬路等化（伝搬路補償）を行う。復調部２２２は、伝搬路等化部２２１が伝搬路等化した信号に、所定の変調方式に対する復調を行う。復号部２２３は、復号部２２２が復調した信号に、擬似雑音系列を用いた所定のスクランブル符号化に対するスクランブル復号、所定の誤り訂正符号化に対する誤り訂正復号、および、所定の誤り検出符号化に対する誤り検出復号を行う。ここで、誤り訂正復号により得られたＣＲＣパリティビットは、端末２００に固有の識別子を用いてスクランブル復号が行われ、誤り検出復号が行われる。そのため、誤り検出復号により、そのＥＰＤＣＣＨから誤りが検出されなければ、ＥＰＤＣＣＨ処理部２２０はそのＥＰＤＣＣＨを端末２００宛のＥＰＤＣＣＨとして検出できる。ＥＰＤＣＣＨ処理部２２０は、検出されたＥＰＤＣＣＨから制御情報を識別する。その制御情報は端末２００の様々な制御に用いられる。また、ＥＰＤＣＣＨ処理部２２０は、全てのＥＰＤＣＣＨの候補に対して処理を行う。
【００６２】
＜制御情報＞
ＰＤＳＣＨ処理部２３０は、端末２００宛のＰＤＳＣＨを処理し、端末２００宛のデータを検出する。ＰＤＳＣＨ処理部２３０が行う処理は、同一またはそれ以前のサブフレームで検出された制御情報に基づいて行われるかもしれない。また、ＰＤＳＣＨ処理部２３０が行う処理は、予め規定された制御情報に基づいて行われるかもしれない。また、ＰＤＳＣＨ処理部２３０が行う処理は、上位レイヤーを通じて通知された制御情報に基づいて行われるかもしれない。伝搬路等化部２３１は、分離部２０３から入力されるＰＤＳＣＨと、伝搬路推定部２０４から入力される伝搬路推定値とを用いて、ＰＤＳＣＨに対する伝搬路等化（伝搬路補償）を行う。復調部２３２は、伝搬路等化部２３１が伝搬路等化した信号に、所定の変調方式に対する復調を行う。復号部２３３は、復号部２３２が復調した信号に、擬似雑音系列を用いた所定のスクランブル符号化に対するスクランブル復号、および、所定の誤り訂正符号化に対する誤り訂正復号を行う。ＰＤＳＣＨ処理部２３０は、処理されたＰＤＳＣＨからデータを検出し、上位レイヤーなどに出力する。また、ＰＤＳＣＨ処理部２３０は、複数のＰＤＳＣＨに対して処理を行うことができる。
【００６３】
ここで、ＥＰＤＣＣＨ領域の設定は、基地局１００が、端末２００に対して通知する上位層の制御情報（例えば、ＲＲＣ（Ｒａｄｉｏ  Ｒｅｓｏｕｒｃｅ  Ｃｏｎｔｒｏｌ）シグナリング）を通じて行われる。例えば、ＥＰＤＣＣＨ領域の設定は、ＥＰＤＣＣＨの端末固有設定情報として、ＥＰＤＣＣＨを設定するための制御情報であり、端末２００に固有の設定情報である。ＥＰＤＣＣＨの設定の詳細は、後述する。なお、以降の説明では、ＰＤＣＣＨおよびＥＰＤＣＣＨは、単に制御チャネルとも呼称される。
【００６４】
例えば、基地局１００によって、ＥＰＤＣＣＨの端末固有設定情報が通知され、ＥＰＤＣＣＨ領域が設定される場合、ＥＰＤＣＣＨ処理部２２０は、ＥＰＤＣＣＨ領域にマッピングされた端末２００宛の制御チャネルを探索する。この場合、ＰＤＣＣＨ処理部２１０は、さらにＰＤＣＣＨ領域のＰＤＣＣＨも探索してもよい。例えば、ＰＤＣＣＨ処理部２１０は、さらにＰＤＣＣＨ領域におけるセル固有の探索領域も探索してもよい。また、基地局１００によって、ＥＰＤＣＣＨの端末固有設定情報が通知されず、ＥＰＤＣＣＨ領域が設定されない場合、ＰＤＣＣＨ処理部２１０は、ＰＤＣＣＨ領域にマッピングされた端末２００宛のＰＤＣＣＨを探索する。
【００６５】
ここで、ＥＰＤＣＣＨ処理部２２０は、ＥＰＤＣＣＨ領域にマッピングされた端末２００宛のＥＰＤＣＣＨを探索する場合、可能性のあるＥＰＤＣＣＨを復調するために、端末固有参照信号を用いる。また、ＰＤＣＣＨ処理部２１０は、ＰＤＣＣＨ領域にマッピングされた端末２００宛のＰＤＣＣＨを探索する場合、可能性のあるＰＤＣＣＨを復調するために、セル固有参照信号を用いる。
【００６６】
具体的には、ＰＤＣＣＨ処理部２１０および／またはＥＰＤＣＣＨ処理部２２０は、制御情報（ＤＣＩ；Downlink Control Information）の種類、マッピングされるリソースの位置、マッピングされるリソースの大きさ等に基づいて得られる制御チャネルの候補の全部または一部を、復調および復号処理を行い、逐次探索する。ＰＤＣＣＨ処理部２１０およびＥＰＤＣＣＨ処理部２２０は、端末２００宛の制御情報か否かを判定する方法として、制御情報に付加される誤り検出符号（例えば、ＣＲＣ（Ｃｙｃｌｉｃ  Ｒｅｄｕｎｄａｎｃｙ  Ｃｈｅｃｋ）符号）を用いる。また、このような探索方法は、ブラインドデコーディングとも呼称される。
【００６７】
また、ＰＤＣＣＨ処理部２１０および／またはＥＰＤＣＣＨ処理部２２０は、端末２００宛の制御チャネルを検出した場合、検出された制御チャネルにマッピングされた制御情報を識別し、端末２００全体（上位レイヤーも含む）で共用され、下りリンクデータチャネル（ＰＤＳＣＨ）の受信処理、上りリンクデータチャネル（ＰＵＳＣＨ）や上りリンク制御チャネル（ＰＵＣＣＨ）の送信処理、上りリンクにおける送信電力制御など、端末２００における様々な制御に用いられる。
【００６８】
ＰＤＣＣＨ処理部２１０および／またはＥＰＤＣＣＨ処理部２２０は、検出された制御チャネルに下りリンクデータチャネルの割り当て情報を含む制御情報がマッピングされていた場合、分離部２０３でそのデータチャネルを分離しＰＤＳＣＨ処理部２３０に出力する。
【００６９】
ここで、ＰＤＣＣＨまたはＥＰＤＣＣＨは、下りリンク制御情報（ＤＣＩ）を端末へ通知（指定）するために使用される。例えば、下りリンク制御情報には、ＰＤＳＣＨのリソース割り当てに関する情報、ＭＣＳ（Ｍｏｄｕｌａｔｉｏｎ  ａｎｄ  Ｃｏｄｉｎｇ  ｓｃｈｅｍｅ）に関する情報、スクランブリングアイデンティティ（スクランブリンク識別子とも呼称される）に関する情報、参照信号系列アイデンティティ（ベースシーケンスアイデンティティ、ベースシーケンス識別子、ベースシーケンスインデックスとも呼称される）に関する情報などが含まれる。
【００７０】
また、ＰＤＣＣＨまたはＥＰＤＣＣＨで送信される下りリンク制御情報に対して、複数のフォーマットが定義される。ここで、下りリンク制御情報のフォーマットを、ＤＣＩフォーマットとも呼称する。すなわち、ＤＣＩフォーマットに、上りリンク制御情報のそれぞれに対するフィールドが定義される。
【００７１】
例えば、下りリンクに対するＤＣＩフォーマットとして、１つのセルにおける１つのＰＤＳＣＨ（１つのＰＤＳＣＨのコードワード、１つの下りリンクトランスポートブロックの送信）のスケジューリングに使用されるＤＣＩフォーマット１およびＤＣＩフォーマット１Ａが定義される。すなわち、ＤＣＩフォーマット１およびＤＣＩフォーマット１Ａは、１つの送信アンテナポートを使用したＰＤＳＣＨでの送信に使用される。また、ＤＣＩフォーマット１およびＤＣＩフォーマット１Ａは、複数の送信アンテナポートを使用した送信ダイバーシチ（ＴｘＤ；Ｔｒａｎｓｍｉｓｓｉｏｎ  Ｄｉｖｅｒｓｉｔｙ）によるＰＤＳＣＨでの送信にも使用される。
【００７２】
また、下りリンクに対するＤＣＩフォーマットとしては、１つのセル（送信ポイント）における１つのＰＤＳＣＨ（２つまでのＰＤＳＣＨのコードワード、２つまでの下りリンクトランスポートの送信）のスケジューリングに使用されるＤＣＩフォーマット２、ＤＣＩフォーマット２Ａ、ＤＣＩフォーマット２ＢおよびＤＣＩフォーマット２Ｃが定義される。すなわち、ＤＣＩフォーマット２、ＤＣＩフォーマット２Ａ、ＤＣＩフォーマット２ＢおよびＤＣＩフォーマット２Ｃは、１つのセル（送信ポイント）から、複数の送信アンテナポートによるＭＩＭＯを用いたＰＤＳＣＨでの送信に使用される。また、下りリンクに対するＤＣＩフォーマットとしては、１つまたは複数のセル（送信ポイント）における１つのＰＤＳＣＨ（２つまでのＰＤＳＣＨのコードワード、２つまでの下りリンクトランスポートの送信）のスケジューリングに使用されるＤＣＩフォーマット２Ｄが定義される。すなわち、ＤＣＩフォーマット２Ｄは、１つまたは複数のセル（送信ポイント）から、複数の送信アンテナポートによるＭＩＭＯを用いたＰＤＳＣＨでの送信に使用される。
【００７３】
ここで、制御情報は、そのフォーマットが予め規定される。例えば、制御情報は、基地局１００が端末２００に対して通知する目的に応じて規定されることができる。具体的には、制御情報は、端末２００に対する下りリンクのデータチャネルの割り当て情報、端末２００に対する上りリンクデータチャネル（ＰＵＳＣＨ）、上りリンク制御チャネル（ＰＵＣＣＨ）の割り当て情報、および／または端末２００に対する送信電力を制御するための情報などに対して、規定されることができる。そのため、例えば、基地局１００は、端末２００に対してＰＤＳＣＨを送信する場合、端末２００に対するＰＤＳＣＨの割り当て情報を含む制御情報がマッピングされた制御チャネル、および、その制御情報に基づいて割り当てられたＰＤＳＣＨを送信する。また、例えば、基地局１００は、端末２００に対するＰＵＳＣＨを割り当てる場合、端末２００に対するＰＵＳＣＨの割り当て情報を含む制御情報がマッピングされたＰＵＣＣＨを送信する。また、基地局１００は、同じサブフレームにおいて、同じ端末２００に対して、複数の異なる制御情報または同じ制御情報を、異なるフォーマットまたは同じフォーマットによって、送信することもできる。なお、基地局１００は、端末２００に対して下りリンクのデータを送信する場合、端末２００に対するＰＤＳＣＨの割り当て情報を含む制御情報がマッピングされた制御チャネルを送信するサブフレームとは異なるサブフレームで下りリンクのデータチャネルを送信することもできる。
【００７４】
ここで、ＰＤＣＣＨ領域は、基地局１００に固有の領域であるため、セル固有制御チャネル領域とも呼称される。また、ＥＰＤＣＣＨ領域は、基地局１００からＲＲＣシグナリングを通じて設定される、端末２００に固有の領域であるため、端末固有制御チャネル領域とも呼称される。また、ＥＰＤＣＣＨ領域は、リソースブロックペア、または、複数のリソースブロックペアのグループであるリソースブロックグループを単位として設定される。なお、ＥＰＤＣＣＨ領域は、基地局１００に固有の領域として設定されることができる。すなわち、そのＥＰＤＣＣＨ領域は、基地局１００と通信している端末の一部または全部に共通の領域として用いられる。
【００７５】
また、基地局１００と端末２００は、上位層（Ｈｉｇｈｅｒ  ｌａｙｅｒ）において信号を送受信する。例えば、基地局１００と端末２００は、ＲＲＣ層（レイヤ３）において、無線リソース制御信号（ＲＲＣシグナリング；Ｒａｄｉｏ  Ｒｅｓｏｕｒｃｅ  Ｃｏｎｔｒｏｌ  ｓｉｇｎａｌ、ＲＲＣメッセージ；Ｒａｄｉｏ  Ｒｅｓｏｕｒｃｅ  Ｃｏｎｔｒｏｌ  ｍｅｓｓａｇｅ、ＲＲＣ情報；Ｒａｄｉｏ  Ｒｅｓｏｕｒｃｅ  Ｃｏｎｔｒｏｌ  ｉｎｆｏｒｍａｔｉｏｎとも呼称される）を送受信する。ここで、ＲＲＣ層において、基地局１００によって、ある端末に対して送信される専用の信号は、Ｄｅｄｉｃａｔｅｄ  ｓｉｇｎａｌ（専用の信号）とも呼称される。すなわち、基地局１００によって、Ｄｅｄｉｃａｔｅｄ  ｓｉｇｎａｌを使用して通知される設定（情報）は、ある端末に対して固有な設定である。
【００７６】
また、基地局１００と端末２００は、ＭＡＣ（Ｍｅｄｉａｍ  Ａｃｃｅｓｓ  Ｃｏｎｔｒｏｌ）層（レイヤ２）において、ＭＡＣコントロールエレメントを送受信する。ここで、ＲＲＣシグナリングおよび／またはＭＡＣコントロールエレメントは、上位層の信号（Ｈｉｇｈｅｒ  ｌａｙｅｒ  ｓｉｇｎａｌｉｎｇ）とも呼称される。
【００７７】
＜フレームフォーマット＞
図３は、基地局が送信するサブフレームの一例を示す図である。この例では、システム帯域幅が１２個の物理リソースブロックペア（ＰＲＢ；Ｐｈｙｓｉｃａｌ  Ｒｅｓｏｕｒｃｅ  Ｂｌｏｃｋ）で構成される１個のサブフレームが示される。なお、以下の説明では、リソースブロックペアは、単にリソースブロック、ＰＲＢまたはＲＢとしても説明する。すなわち、以下の説明において、リソースブロック、ＰＲＢまたはＲＢは、リソースブロックペアを含む。また、サブフレームにおいて、先頭の０個以上のＯＦＤＭシンボルはＰＤＣＣＨ領域である。ＰＤＣＣＨ領域のＯＦＤＭシンボル数は、端末２００に対して通知される。例えば、ＰＤＣＣＨ領域は、先頭のＯＦＤＭシンボルに専用の通知領域を設定し、サブフレーム毎に動的に通知することができる。また、ＰＤＣＣＨ領域は、上位レイヤーの制御情報を用いて、準静的に通知することができる。また、ＰＤＣＣＨ領域以外の領域は共用チャネル領域である。共用チャネル領域は、データチャネル領域および／またはＥＰＤＣＣＨ領域を含んで構成される。図３の例では、ＰＲＢ３、ＰＲＢ４、ＰＲＢ９およびＰＲＢ１１がＥＰＤＣＣＨ領域である。
【００７８】
ここで、基地局１００は、端末２００に対して、上位レイヤーの制御情報を通じて、ＥＰＤＣＣＨ領域を通知（設定）する。例えば、ＥＰＤＣＣＨ領域を設定する制御情報は、ＰＲＢペア毎またはＰＲＢペアのグループ毎に設定する制御情報である。図３の例では、ＰＲＢ３、ＰＲＢ４、ＰＲＢ９およびＰＲＢ１１がＥＰＤＣＣＨ領域として設定される。また、ＥＰＤＣＣＨ領域は所定のＰＲＢ数を単位として割り当てられる。例えば、所定のＰＲＢ数は４とすることができる。その場合、基地局１００は、端末２００に、４の倍数個のＰＲＢをＥＰＤＣＣＨ領域として設定する。
【００７９】
図４は、基地局がマッピングする１つのリソースブロックペアの一例を示す図である。１つのリソースブロックは所定の周波数方向の領域と所定の時間方向の領域で構成される。１つのリソースブロックペアは、２つのリソースブロックが時間方向に連続して配置される。また、リソースブロックペアにおいて、時間方向に前半のリソースブロックは、第１のリソースブロックとも呼称され、時間方向に後半のリソースブロックは、第２のリソースブロックとも呼称される。図４は、１つのリソースブロックペアを表しており、１つのリソースブロックは周波数方向に１２個のサブキャリアと時間方向に７個のＯＦＤＭシンボルで構成される。１つのＯＦＤＭシンボルと１つのサブキャリアとで構成されるリソースはリソースエレメントと呼称される。リソースブロックペアは周波数方向に並べられ、そのリソースブロックペアの数は基地局毎に設定できる。例えば、そのリソースブロックペアの数は６〜１１０個に設定できる。その時の周波数方向の幅は、システム帯域幅と呼称される。また、リソースブロックペアの時間方向は、サブフレームと呼称される。それぞれのサブフレームのうち、時間方向に前後の７つのＯＦＤＭシンボルは、それぞれスロットとも呼称される。また、以下の説明では、リソースブロックペアは、単にリソースブロックとも呼称される。また、リソースブロックペアにおいて、時間方向に前半のリソースブロックは、第１のリソースブロックとも呼称され、時間方向に後半のリソースブロックは、第２のリソースブロックとも呼称される。
【００８０】
図４において、網掛けしたリソースエレメントのうち、Ｒ０〜Ｒ３は、それぞれアンテナポート０〜３のセル固有参照信号を示す。以下では、アンテナポート０〜３のセル固有参照信号はＣＲＳ（Ｃｏｍｍｏｎ  Ｒｅｆｅｒｅｎｃｅ  Ｓｉｇｎａｌ）とも呼称される。ここで、図４に示すＣＲＳは、４つのアンテナポートの場合であるが、その数を変えることができ、例えば、１つのアンテナポートや２つのアンテナポートのＣＲＳをマッピングすることができる。また、セル固有参照信号は、セルＩＤに基づいて、周波数方向へシフトすることができる。例えば、セル固有参照信号は、セルＩＤを６で割った余りに基づいて、周波数方向へシフトすることができる。その時のシフトのパターンは６である。すなわち、セル固有参照信号のアンテナポート数が１の場合、セル固有参照信号に用いられるリソースエレメントのパターンは６である。セル固有参照信号のアンテナポート数が２および４の場合、セル固有参照信号に用いられるリソースエレメントのパターンは３である。
【００８１】
ここで、セル固有参照信号は、基地局１００および端末２００が共に既知の信号であれば、任意の信号（系列）を用いることができる。例えば、基地局１００に固有の番号（セルＩＤ）などの予め割り当てられているパラメータに基づいた乱数や疑似雑音系列を用いることができる。また、アンテナポート間で直交させる方法として、セル固有参照信号をマッピングするリソースエレメントをアンテナポート間で互いにヌル（ゼロ）とする方法、疑似雑音系列を用いた符号分割多重する方法、またはそれらを組み合わせた方法などを用いることができる。なお、セル固有参照信号は、全てのサブフレームに多重しなくてもよく、一部のサブフレームのみに多重してもよい。
【００８２】
図４において、アンテナポート０〜３のセル固有参照信号とは異なるセル固有参照信号として、アンテナポート１５〜２２の伝送路状況測定用参照信号をマッピングすることができる。図４において、網掛けしたリソースエレメントのうち、Ｃ１〜Ｃ４は、それぞれＣＤＭ（Ｃｏｄｅ  Ｄｉｖｉｓｉｏｎ  Ｍｕｌｔｉｐｌｅｘｉｎｇ）グループ１〜ＣＤＭグループ４の伝送路状況測定用参照信号を示す。伝送路状況測定用参照信号は、まずＷａｌｓｈ符号を用いた直交符号がマッピングされ、その後にＧｏｌｄ符号または擬似雑音系列を用いたスクランブル符号が重畳される。また、伝送路状況測定用参照信号は、ＣＤＭグループ内において、それぞれＷａｌｓｈ符号等の直交符号により符号分割多重される。また、伝送路状況測定用参照信号は、ＣＤＭグループ間において、互いに周波数分割多重（ＦＤＭ；Ｆｒｅｑｕｅｎｃｙ  Ｄｉｖｉｓｉｏｎ  Ｍｕｌｔｉｐｌｅｘｉｎｇ）される。また、アンテナポート１５および１６の伝送路状況測定用参照信号はＣ１にマッピングされ、アンテナポート１７および１８の伝送路状況測定用参照信号はＣ２にマッピングされ、アンテナポート１９および２０の伝送路状況測定用参照信号はＣ３にマッピングされ、アンテナポート２１および２２の伝送路状況測定用参照信号はＣ４にマッピングされる。また、伝送路状況測定用参照信号は、アンテナポート１５〜２２の８つのアンテナポートに対応する参照信号として設定されることができる。また、伝送路状況測定用参照信号は、アンテナポート１５〜１８の４つのアンテナポートに対応する参照信号として設定されることができる。また、伝送路状況測定用参照信号は、アンテナポート１５〜１６の２つのアンテナポートに対応する参照信号として設定されることができる。また、伝送路状況測定用参照信号は、アンテナポート１５の１つのアンテナポートに対応する参照信号として設定されることができる。また、伝送路状況測定用参照信号は、一部のサブフレームにマッピングされることができ、例えば、複数のサブフレーム毎にマッピングされることができる。また、伝送路状況測定用参照信号をマッピングするリソースエレメントは、図４で示すリソースエレメントとは異なってもよい。また、伝送路状況測定用参照信号のリソースエレメントに対するマッピングパターンは予め複数個のパターンを規定してもよい。また、基地局１００は、端末２００に対して、複数の伝送路状況測定用参照信号を設定することができる。また、伝送路状況測定用参照信号は、その送信電力をさらに設定することができ、例えば、その送信電力をゼロにすることができる。基地局１００は、ＲＲＣシグナリングを通じて、端末２００に対する端末固有の制御情報として、伝送路状況測定用参照信号を設定する。端末２００は、基地局１００からの設定に基づいて、ＣＲＳおよび／または伝送路状況測定用参照信号を用いて、フィードバック情報を生成する。
【００８３】
図４において、網掛けしたリソースエレメントのうち、Ｄ１〜Ｄ２は、それぞれＣＤＭ（Ｃｏｄｅ  Ｄｉｖｉｓｉｏｎ  Ｍｕｌｔｉｐｌｅｘｉｎｇ）グループ１〜ＣＤＭグループ２の端末固有参照信号またはＥＰＤＣＣＨ復調用参照信号を示す。端末固有参照信号またはＥＰＤＣＣＨ復調用参照信号は、まずＷａｌｓｈ符号を用いた直交符号がマッピングされ、その後にＧｏｌｄ符号を用いた擬似ランダム系列がスクランブル系列として重畳される。また、端末固有参照信号またはＥＰＤＣＣＨ復調用参照信号は、ＣＤＭグループ内において、それぞれＷａｌｓｈ符号等の直交符号により符号分割多重される。また、端末固有参照信号またはＥＰＤＣＣＨ復調用参照信号は、ＣＤＭグループ間において、互いにＦＤＭされる。ここで、端末固有参照信号またはＥＰＤＣＣＨ復調用参照信号は、そのリソースブロックペアにマッピングされる制御チャネルやデータチャネルに応じて、８つのアンテナポート（アンテナポート７〜１４）の一部または全部を用いて、最大８ランクまでマッピングすることができる。また、端末固有参照信号またはＥＰＤＣＣＨ復調用参照信号は、マッピングするランク数に応じて、ＣＤＭの拡散符号長やマッピングされるリソースエレメントの数を変えることができる。
【００８４】
アンテナポート７、８、１１および１３の端末固有参照信号は、４チップの系列長により構成され、ＣＤＭグループ１にマッピングされる。アンテナポート９、１０、１２および１４の端末固有参照信号は、４チップの系列長により構成され、ＣＤＭグループ２にマッピングされる。また、アンテナポート１０７および１０８のＥＰＤＣＣＨ復調用参照信号は、４チップの系列長により構成され、ＣＤＭグループ１にマッピングされる。アンテナポート１０９および１１０のＥＰＤＣＣＨ復調用参照信号は、４チップの系列長により構成され、ＣＤＭグループ２にマッピングされる。
【００８５】
アンテナポート１０７〜１１０のＥＰＤＣＣＨ復調用参照信号と、アンテナポート７〜１４の端末固有参照信号とは、一部異なって構成されてもよい。例えば、アンテナポート１０７〜１１０のＥＰＤＣＣＨ復調用参照信号で用いられるスクランブル系列は、アンテナポート７〜１４の端末固有参照信号で用いられるスクランブル系列と異なってもよい。
【００８６】
また、白く塗りつぶされたリソースエレメントは、ＰＤＳＣＨおよび／またはＥＰＤＣＣＨが配置される領域である。ＰＤＳＣＨ領域および／またはＥＰＤＣＣＨ領域は、サブフレーム中のＰＤＣＣＨ領域のＯＦＤＭシンボルとは異なるＯＦＤＭシンボルにマッピングされる。図４の例では、ＰＤＣＣＨ領域のＯＦＤＭシンボル数は３であり、サブフレーム中の先頭のＯＦＤＭシンボルから３番目のＯＦＤＭシンボルで構成される。また、ＰＤＳＣＨ領域および／またはＥＰＤＣＣＨ領域は、サブフレーム中の４番目のＯＦＤＭシンボルから最後のＯＦＤＭシンボルで構成され、ＰＤＳＣＨ領域および／またはＥＰＤＣＣＨ領域のＯＦＤＭシンボル数は１１である。ＰＤＣＣＨ領域、ＰＤＳＣＨ領域および／またはＥＰＤＣＣＨ領域は、サブフレーム毎に所定数のＯＦＤＭシンボルを設定し構成することができる。なお、ＰＤＳＣＨ領域および／またはＥＰＤＣＣＨ領域の全部または一部は、そのサブフレームにおけるＰＤＣＣＨ領域に関わらず、予め規定された所定のＯＦＤＭシンボルにマッピングされることもできる。また、ＰＤＳＣＨ領域および／またはＥＰＤＣＣＨ領域は、リソースブロックペア毎に設定することができる。また、ＥＰＤＣＣＨ領域は、ＰＤＣＣＨ領域のＯＦＤＭシンボル数に関わらず、全てのＯＦＤＭシンボルで構成されてもよい。
【００８７】
ここで、リソースブロックは、通信システムが用いる周波数帯域幅（システム帯域幅）に応じて、その数を変えることができる。例えば、６〜１１０個のリソースブロックを用いることができ、その単位をコンポーネントキャリアとも呼称される。さらに、基地局１００は、端末２００に対して、周波数アグリゲーションにより、複数のコンポーネントキャリアを設定することもできる。例えば、基地局１００は、端末２００に対して、１つのコンポーネントキャリアは２０ＭＨｚで構成し、周波数方向に連続および／または非連続に、５個のコンポーネントキャリアを設定し、通信システムが用いることができるトータルの帯域幅を１００ＭＨｚにすることができる。
【００８８】
次に、本実施形態における無線通信システムでは、下りリンクと上りリンクにおいて、複数のサービングセル（単に、セルとも呼称される）の集約がサポートされる（キャリアアグリゲーションと呼称される）。例えば、サービングセルそれぞれにおいて、１１０リソースブロックまでの送信帯域幅を使用することができる。また、キャリアアグリゲーションにおいて、１つのサービングセルは、プライマリセル（ＰＣｅｌｌ；Ｐｒｉｍａｒｙ  ｃｅｌｌ）と定義される。また、キャリアアグリゲーションにおいて、プライマリセル以外のサービングセルは、セカンダリセル（ＳＣｅｌｌ；Ｓｅｃｏｎｄａｒｙ  Ｃｅｌｌ）と定義される。
【００８９】
さらに、下りリンクにおいてサービングセルに対応するキャリアは、下りリンクコンポーネントキャリア（ＤＬＣＣ；Ｄｏｗｎｌｉｎｋ  Ｃｏｍｐｏｎｅｎｔ  Ｃａｒｒｉｅｒ）と定義される。また、下りリンクにおいてプライマリセルに対応するキャリアは、下りリンクプライマリコンポーネントキャリア（ＤＬＰＣＣ；Ｄｏｗｎｌｉｎｋ  Ｐｒｉｍａｒｙ  Ｃｏｍｐｏｎｅｎｔ  Ｃａｒｒｉｅｒ）と定義される。また、下りリンクにおいてセカンダリセルに対応するキャリアは、下りリンクセカンダリコンポーネントキャリア（ＤＬＳＣＣ；Ｄｏｗｎｌｉｎｋ  Ｓｅｃｏｎｄａｒｙ  Ｃｏｍｐｏｎｅｎｔ  Ｃａｒｒｉｅｒ）と定義される。
【００９０】
さらに、上りリンクにおいてサービングセルに対応するキャリアは、上りリンクコンポーネントキャリア（ＵＬＣＣ；Ｕｐｌｉｎｋ  Ｃｏｍｐｏｎｅｎｔ  Ｃａｒｒｉｅｒ）と定義される。また、上りリンクにおいてプライマリセルに対応するキャリアは、上りリンクプライマリコンポーネントキャリア（ＵＬＰＣＣ；Ｕｐｌｉｎｋ  Ｐｒｉｍａｒｙ  Ｃｏｍｐｏｎｅｎｔ  Ｃａｒｒｉｅｒ）と定義される。また、上りリンクにおいてセカンダリセルに対応するキャリアは、上りリンクセカンダリコンポーネントキャリア（ＵＬＳＣＣ；Ｕｐｌｉｎｋ  Ｓｅｃｏｎｄａｒｙ  Ｃｏｍｐｏｎｅｎｔ  Ｃａｒｒｉｅｒ）と定義される。
【００９１】
すなわち、キャリアアグリゲーションにおいて、広送信帯域幅をサポートするために複数のコンポーネントキャリアが集約される。ここで、例えば、プライマリー基地局をプライマリセルと、セカンダリー基地局をセカンダリセルとみなす（基地局１００が、端末２００へ設定する）こともできる（ＨｅｔＮｅｔ  ｄｅｐｌｏｙｍｅｎｔ  ｗｉｔｈ  ａ  ｃａｒｒｉｅｒ  ａｇｇｒｅｇａｔｉｏｎとも呼称される）。
【００９２】
＜ＰＤＣＣＨ＞
以下では、ＰＤＣＣＨの構成の詳細が説明される。ＰＤＣＣＨ（第１の制御チャネル）は、複数の制御チャネルエレメント（ＣＣＥ；Ｃｏｎｔｒｏｌ  Ｃｈａｎｎｅｌ  Ｅｌｅｍｅｎｔ）により構成される。各下りリンクコンポーネントキャリアで用いられるＣＣＥの数は、下りリンクコンポーネントキャリア帯域幅と、ＰＤＣＣＨを構成するＯＦＤＭシンボル数と、通信に用いる基地局１００の送信アンテナの数に応じた下りリンクのセル固有参照信号の送信アンテナポート数に依存する。ＣＣＥは、複数の下りリンクリソースエレメント（１つのＯＦＤＭシンボルおよび１つのサブキャリアで規定されるリソース）により構成される。
【００９３】
基地局１００と端末２００との間で用いられるＣＣＥには、ＣＣＥを識別するための番号が付与されている。ＣＣＥの番号付けは、予め決められた規則に基づいて行なわれる。ここで、ＣＣＥ＿ｔは、ＣＣＥ番号ｔのＣＣＥを示す。ＰＤＣＣＨは、複数のＣＣＥからなる集合（ＣＣＥ  Ａｇｇｒｅｇａｔｉｏｎ）により構成される。この集合を構成するＣＣＥの数を、「ＣＣＥ集合レベル」（ＣＣＥ  ａｇｇｒｅｇａｔｉｏｎ  ｌｅｖｅｌ）と称す。ＰＤＣＣＨを構成するＣＣＥ集合レベルは、ＰＤＣＣＨに設定される符号化率、ＰＤＣＣＨに含められるＤＣＩのビット数に応じて基地局１００において設定される。なお、端末２００に対して用いられる可能性のあるＣＣＥ集合レベルの組み合わせは予め決められている。また、ｎ個のＣＣＥからなる集合を、「ＣＣＥ集合レベルｎ」という。
【００９４】
１個のリソースエレメントグループ（ＲＥＧ）は周波数領域の隣接する４個の下りリンクリソースエレメントにより構成される。さらに、１個のＣＣＥは、周波数領域及び時間領域に分散した９個の異なるリソースエレメントグループにより構成される。具体的には、下りリンクコンポーネントキャリア全体に対して、番号付けされた全てのリソースエレメントグループに対してブロックインタリーバを用いてリソースエレメントグループ単位でインタリーブが行なわれ、インタリーブ後の番号の連続する９個のリソースエレメントグループにより１個のＣＣＥが構成される。
【００９５】
各端末には、ＰＤＣＣＨを探索する領域ＳＳ（Ｓｅａｒｃｈ  Ｓｐａｃｅ）が設定される。ＳＳは、複数のＣＣＥから構成される。最も小さいＣＣＥから番号の連続する複数のＣＣＥからＳＳは構成され、番号の連続する複数のＣＣＥの数は予め決められている。各ＣＣＥ集合レベルのＳＳは、複数のＰＤＣＣＨの候補の集合体により構成される。ＳＳは、最も小さいＣＣＥから番号がセル内で共通であるＣＳＳ（Ｃｅｌｌ−ｓｐｅｃｉｆｉｃ  ＳＳ）と、最も小さいＣＣＥから番号が端末固有であるＵＳＳ（ＵＥ−ｓｐｅｃｉｆｉｃ  ＳＳ）とに分類される。ＣＳＳには、システム情報あるいはページングに関する情報など、複数の端末が読む制御情報が割り当てられたＰＤＣＣＨ、あるいは下位の送信方式へのフォールバックやランダムアクセスの指示を示す下りリンク／上りリンクグラントが割り当てられたＰＤＣＣＨを配置することができる。
【００９６】
基地局１００は、端末２００において設定されるＳＳ内の１個以上のＣＣＥを用いてＰＤＣＣＨを送信する。端末２００は、ＳＳ内の１個以上のＣＣＥを用いて受信信号の復号を行ない、自身宛てのＰＤＣＣＨを検出するための処理を行なう（ブラインドデコーディングと呼称される）。端末２００は、ＣＣＥ集合レベル毎に異なるＳＳを設定する。その後、端末２００は、ＣＣＥ集合レベル毎に異なるＳＳ内の予め決められた組み合わせのＣＣＥを用いてブラインドデコーディングを行なう。言い換えると、端末２００は、ＣＣＥ集合レベル毎に異なるＳＳ内の各ＰＤＣＣＨの候補に対してブラインドデコーディングを行なう。端末２００におけるこの一連の処理をＰＤＣＣＨのモニタリングという。
【００９７】
＜ＥＰＤＣＣＨ＞
以下では、ＥＰＤＣＣＨ領域にマッピングされるＥＰＤＣＣＨの詳細が説明される。ＥＰＤＣＣＨ（第２の制御チャネル、ＰＤＣＣＨ  ｏｎ  ＰＤＳＣＨ、Ｅｎｈａｎｃｅｄ  ＰＤＣＣＨ）は、ＥＰＤＣＣＨ領域にマッピングされる。基地局１００が端末２００に対してＥＰＤＣＣＨ領域を通じてＥＰＤＣＣＨを通知する場合、基地局１００は端末２００に対してＥＰＤＣＣＨのモニタリングを設定し、ＥＰＤＣＣＨ領域に端末２００に対するＥＰＤＣＣＨをマッピングする。また、基地局１００が端末２００に対してＰＤＣＣＨ領域を通じてＰＤＣＣＨを通知する場合、基地局１００は端末２００に対してＥＰＤＣＣＨのモニタリングの設定に関わらず、ＰＤＣＣＨ領域に端末２００に対するＰＤＣＣＨをマッピングしてもよい。また、基地局１００が端末２００に対してＰＤＣＣＨ領域を通じてＰＤＣＣＨを通知する場合、基地局１００は端末２００に対してＥＰＤＣＣＨのモニタリングを設定しない時に、ＰＤＣＣＨ領域に端末２００に対するＰＤＣＣＨをマッピングするとしてもよい。
【００９８】
一方、端末２００は、基地局１００によってＥＰＤＣＣＨのモニタリングが設定された場合、ＰＤＣＣＨ領域における端末２００宛のＰＤＣＣＨおよび／またはＥＰＤＣＣＨ領域における端末２００宛のＥＰＤＣＣＨをブラインドデコーディングする。また、端末２００は、基地局１００によってＥＰＤＣＣＨのモニタリングが設定されない場合、ＰＤＣＣＨ領域における端末２００宛のＰＤＣＣＨをブラインドデコーディングしない。
【００９９】
基地局１００は、端末２００にＥＰＤＣＣＨ領域を設定する。ＥＰＤＣＣＨ領域は、１つ以上のＲＢペアにより構成される。すなわち、ＥＰＤＣＣＨ領域は、ＲＢペアまたはＲＢペアのグループであるＲＢＧを単位として設定できる。ここで、ＥＰＤＣＣＨ領域を構成するＲＢペアの数は、予め規定された複数の所定の値である。例えば、ＥＰＤＣＣＨ領域を構成するＲＢペアの数は、１、２、４、８または１６のいずれかとすることができる。また、基地局１００は、端末２００に設定されたＥＰＤＣＣＨ領域に探索領域（サーチスペース）を設定できる。
【０１００】
基地局１００は、端末２００に対するＥＰＤＣＣＨを、設定したＥＰＤＣＣＨ領域の探索領域にマッピングする。また、基地局１００は、複数の端末に対して、ＥＰＤＣＣＨ領域および／または探索領域の全部または一部を共通化することができる。すなわち、複数の端末に対する複数のＥＰＤＣＣＨは、ＥＰＤＣＣＨ領域および／または探索領域内で多重することができる。ここで、ＥＰＤＣＣＨは、所定数の拡張制御チャネルエレメント（ＥＣＣＥ；Ｅｎｈａｎｃｅｄ  ＣＣＥ）により構成されるＥＣＣＥは、ＥＰＤＣＣＨを構成する単位であるＥＣＣＥは、所定数の拡張リソースエレメントグループ（ＥＲＥＧ；Ｅｎｈａｎｃｅｄ  ＲＥＧ）により構成される。
【０１０１】
以下では、ＥＰＤＣＣＨの詳細が説明される。ＥＰＤＣＣＨ領域にマッピングされるＥＰＤＣＣＨは、１つまたは複数の端末に対する制御情報毎に処理され、ＰＤＳＣＨと同様に、スクランブル処理、変調処理、レイヤーマッピング処理、プレコーディング処理等が行われる。また、ＥＰＤＣＣＨとＥＰＤＣＣＨ復調用参照信号とに対して、同一のプレコーディング処理が行われることができる。
【０１０２】
以下では、端末２００におけるＥＰＤＣＣＨを検索（探索、ブラインドデコーディング）するための領域であるＳＳ（Ｓｅａｒｃｈ  Ｓｐａｃｅ、探索領域）が説明される。端末２００は、基地局１００によってＥＰＤＣＣＨ領域が設定され、ＥＰＤＣＣＨ領域における複数のＥＣＣＥを認識する。また、端末２００は、基地局１００によってＳＳが設定される。例えば、端末２００は、基地局１００によってＳＳとして認識するＥＣＣＥ番号が設定される。例えば、端末２００は、基地局１００によってＳＳとして認識するための、スタートＥＣＣＥ番号（基準となるＥＣＣＥ番号）となる１つのＥＣＣＥ番号が設定される。端末２００は、そのスタートＥＣＣＥ番号と、予め規定された規則とに基づいて、端末２００に固有のＳＳを認識する。ここで、スタートＥＣＣＥ番号は、基地局１００から端末２００に固有に通知される制御情報により設定される。また、スタートＥＣＣＥ番号は、基地局１００から端末２００に固有に設定されるＲＮＴＩに基づいて決定されてもよい。また、スタートＥＣＣＥ番号は、基地局１００から端末２００に固有に通知される制御情報と、基地局１００から端末２００に固有に設定されるＲＮＴＩに基づいて決定されてもよい。また、スタートＥＣＣＥ番号は、サブフレーム毎に番号付けされるサブフレーム番号またはスロット毎に番号付けされるスロット番号にさらに基づいて決定されてもよい。これにより、スタートＥＣＣＥ番号は、端末２００に固有であり、サブフレーム毎またはスロット毎に固有の情報となる。そのため、端末２００のＳＳは、サブフレーム毎またはスロット毎に異なるように設定することができる。また、そのＳＳをスタートＥＣＣＥ番号から認識するための規則は、様々な方法を用いることができる。
【０１０３】
端末２００におけるＥＰＤＣＣＨを検索するためのＳＳは、１つ以上のＥＣＣＥからＳＳを構成することができる。すなわち、ＥＰＤＣＣＨ領域として設定された領域内のＥＣＣＥを単位とし、１つ以上のＥＣＣＥからなる集合（ＥＣＣＥ  Ａｇｇｒｅｇａｔｉｏｎ）により構成される。この集合を構成するＥＣＣＥの数を、「ＥＣＣＥ集合レベル」（ＥＣＣＥ  ａｇｇｒｅｇａｔｉｏｎ  ｌｅｖｅｌ）と称す。最も小さいＥＣＣＥから番号の連続する複数のＥＣＣＥからＳＳは構成され、番号の連続する１つ以上のＥＣＣＥの数は予め決められている。各ＥＣＣＥ集合レベルのＳＳは、複数のＥＰＤＣＣＨの候補の集合体により構成される。また、ＥＰＤＣＣＨの候補の数は、ＥＣＣＥ集合レベル毎に規定されてもよい。また、ＳＳは、ＥＣＣＥ集合レベル毎に設定されてもよい。例えば、ＳＳを設定するスタートＥＣＣＥは、ＥＣＣＥ集合レベル毎に設定されてもよい。
【０１０４】
基地局１００は、端末２００において設定されるＥＣＣＥ内の１個以上のＥＣＣＥを用いてＥＰＤＣＣＨを送信する。端末２００は、ＳＳ内の１個以上のＥＣＣＥを用いて受信信号の復号を行ない、自身宛てのＥＰＤＣＣＨを検出するための処理を行なう（ブラインドデコーディングする）。端末２００は、ＥＣＣＥ集合レベル毎に異なるＳＳを設定する。その後、端末２００は、ＥＣＣＥ集合レベル毎に異なるＳＳ内の予め決められた組み合わせのＥＣＣＥを用いてブラインドデコーディングを行なう。言い換えると、端末２００は、ＥＣＣＥ集合レベル毎に異なるＳＳ内の各ＥＰＤＣＣＨの候補に対してブラインドデコーディングを行なう（ＥＰＤＣＣＨをモニタリングする）。
【０１０５】
端末２００におけるＥＰＤＣＣＨを検索するためのＳＳの一例を説明する。ＥＰＤＣＣＨ領域におけるＥＣＣＥの数は１６である。スタートＥＣＣＥ番号は、ＥＣＣＥ１２である。ＳＳは、スタートＥＣＣＥ番号から順に、ＥＣＣＥ番号が大きくなる方向にシフトしていく。また、ＳＳにおいて、ＥＣＣＥ番号がＥＰＤＣＣＨ領域におけるＥＣＣＥのうち最も大きいＥＣＣＥ番号となった場合、次にシフトするＥＣＣＥ番号はＥＰＤＣＣＨ領域におけるＥＣＣＥのうち最も小さいＥＣＣＥ番号となる。すなわち、ＥＰＤＣＣＨ領域におけるＥＣＣＥの数がＮであり、スタートＥＣＣＥ番号がＸである場合、ｍ番目にシフトするＥＣＣＥ番号は、ｍｏｄ（Ｘ＋ｍ，Ｎ）となる。ここで、ｍｏｄ（Ａ，Ｂ）はＡをＢで除算した余りを示す。すなわち、ＳＳは、ＥＰＤＣＣＨ領域におけるＥＣＣＥ内で巡回的に設定される。例えば、ＥＣＣＥ集合レベル４の場合、ＥＰＤＣＣＨの候補数は２つである。１つ目のＥＰＤＣＣＨの候補は、ＥＣＣＥ１２、ＥＣＣＥ１３、ＥＣＣＥ１４およびＥＣＣＥ１５によって構成される。２つ目のＥＰＤＣＣＨの候補は、ＥＣＣＥ１６、ＥＣＣＥ１、ＥＣＣＥ２およびＥＣＣＥ３によって構成される。これにより、ＥＰＤＣＣＨ領域が所定のＲＢを単位に設定されることにより、ＥＰＤＣＣＨがその所定のＲＢ内にマッピングされることができる。すなわち、ＥＰＤＣＣＨをマッピングするリソースが効率的に設定されることができる。
【０１０６】
また、端末２００におけるＥＰＤＣＣＨを検索するためのＳＳの別の一例を説明する。既に説明したＳＳの例と異なる点は、以下の通りである。１つのＥＰＤＣＣＨが構成するＥＣＣＥは、ＥＰＤＣＣＨ領域におけるＥＣＣＥよりも小さい所定のＥＣＣＥ内で、巡回的に設定される。例えば、１６個のＥＣＣＥのうち、ＥＣＣＥ番号の小さい方から４個のＥＣＣＥ毎のリソースが、１つのＥＰＤＣＣＨをマッピングする単位として設定される。例えば、ＥＣＣＥ集合レベル２の場合、ＥＰＤＣＣＨの候補数は６つである。また、それぞれのＥＰＤＣＣＨの候補は、１つのＥＰＤＣＣＨをマッピングする単位において、なるべく多くの単位にマッピングされるように設定（規定）される。例えば、１つ目のＥＰＤＣＣＨの候補は、ＥＣＣＥ１２およびＥＣＣＥ９によって構成される。２つ目のＥＰＤＣＣＨの候補は、ＥＣＣＥ１６およびＥＣＣＥ１３によって構成される。３つ目のＥＰＤＣＣＨの候補は、ＥＣＣＥ４およびＥＣＣＥ１によって構成される。４つ目のＥＰＤＣＣＨの候補は、ＥＣＣＥ８およびＥＣＣＥ５によって構成される。５つ目のＥＰＤＣＣＨの候補は、ＥＣＣＥ１０およびＥＣＣＥ１１によって構成される。６つ目のＥＰＤＣＣＨの候補は、ＥＣＣＥ１４およびＥＣＣＥ１５によって構成される。これにより、ＥＰＤＣＣＨ領域が所定のＲＢを単位に設定されることにより、ＥＰＤＣＣＨがその所定のＲＢ内にマッピングされることができる。すなわち、ＥＰＤＣＣＨをマッピングするリソースが効率的に設定されることができる。また、局所マッピングにおいて、１つのＲＢが所定のＥＣＣＥで構成される場合、１つのＥＰＤＣＣＨは１つのＲＢのみにマッピングされることができる。なお、ＥＣＣＥ集合レベル８の場合のＥＰＤＣＣＨは、２つのＲＢにマッピングされる。そのため、ＥＰＤＣＣＨに対して端末固有のプレコーディング処理を行う場合、プレコーディング処理による利得が効率的に得られる。また、端末２００は、そのようなマッピングされたＥＰＤＣＣＨを検出するための候補を認識することができる。
【０１０７】
なお、以上の説明では、ＥＰＤＣＣＨ領域として設定されたＲＢペアから得られるＥＣＣＥ全体が、ＳＳを設定する範囲としていたが、これに限定するものではない。例えば、ＥＰＤＣＣＨ領域として設定されたＲＢペアの一部から得られるＥＣＣＥが、ＳＳを設定する範囲としてもよい。すなわち、ＥＰＤＣＣＨ領域として設定されるＲＢペアまたはＥＣＣＥと、ＳＳとして設定されるＲＢペアまたはＥＣＣＥとはそれぞれ異なってもよい。その場合でも、ＳＳとして設定されるＲＢペアは、所定の数の倍数を単位とすることが好ましい。例えば、ＥＰＤＣＣＨ領域として設定されたＲＢペアの数が１６であり、ＥＰＤＣＣＨ領域におけるＲＢ番号がＲＢ１〜ＲＢ１６である場合、ＳＳとして設定されるＥＣＣＥは、ＲＢ５〜ＲＢ８およびＲＢ１３〜ＲＢ１６から得られるＥＣＣＥとすることができる。また、ＳＳとして設定されるリソースは、所定の数の倍数を単位としたＥＣＣＥとしてもよい。ＥＰＤＣＣＨ領域として設定されたＰＲＢの一部から得られるＥＣＣＥがＳＳを設定する範囲とする場合、基地局１００は端末２００に、ＥＰＤＣＣＨ領域として設定するＲＢペアを示す情報と、その中からＳＳとして設定する範囲を示す情報とをＲＲＣシグナリングを通じて通知する。
【０１０８】
なお、ＥＣＣＥ集合レベルが１、２、４および８の場合を説明したが、これに限定するものではない。サブフレームの種類および／またはサイクリックプレフィックス長に応じて、第１のＥＣＣＥ集合レベルの組み合わせと第２のＥＣＣＥ集合レベルの組み合わせとが切り替えられる。第１のＥＣＣＥ集合レベルの組み合わせは１、２、４および８である。第２のＥＣＣＥ集合レベルの組み合わせは２、４、８および１６である。これにより、サブフレームの種類および／またはサイクリックプレフィックス長によってＥＰＤＣＣＨを送信するためのリソースエレメントの数が変わる場合、ＥＰＤＣＣＨの所要品質が大きく劣化することなく通信できる。また、ＥＰＤＣＣＨの所定の受信品質またはＥＰＤＣＣＨによるオーバーヘッドを変更するために、他のＥＣＣＥ集合レベルが用いられてもよい。
【０１０９】
以下では、ＲＢペアにおけるＥＲＥＧの構成の詳細を説明する。１つのＲＢペアは、所定数のＥＲＥＧを構成する。例えば、１つのＲＢペアは、１６のＥＲＥＧを構成する。それぞれのＥＲＥＧは、識別するための番号（インデックス）が付与される。例えば、１つのＲＢペアが１６のＥＲＥＧを構成する場合、ＥＲＥＧを識別するＥＲＥＧ番号は０〜１５が用いられる。ＥＲＥＧ番号は０〜１５のＥＲＥＧは、ＥＲＥＧ０〜ＥＲＥＧ１５とも呼称される。１つのＲＢペアにおけるＥＲＥＧの番号付けは、予め決められた規則に基づいて行なわれる。
【０１１０】
図５は、１つのＲＢペアにおけるＥＲＥＧ構成を示す。それぞれのリソースエレメントに付された番号はＥＲＥＧ番号を示す。１つのＲＢペアにおいて、ＥＲＥＧ０〜ＥＲＥＧ１５のＥＲＥＧ番号は、周波数優先マッピング規則（frequency-first and time-second）により、順にマッピングされる。
【０１１１】
また、以下の説明では、それぞれのＲＢにおいて、ｋ番目のサブキャリアとｌ番目のＯＦＤＭシンボルとで示されるリソースエレメントは（ｋ，ｌ）と表される。それぞれのＲＢペアのそれぞれのスロットにおける、７個のＯＦＤＭシンボルに対して、時間方向のＯＦＤＭシンボル毎にインデックス（ｌ＝０，１，．．．，６）が付与される。ＯＦＤＭシンボルに対するインデックスはＯＦＤＭシンボル番号とも呼称される。また、それぞれのＲＢペアにおける、１２個のサブキャリアに対して、周波数方向のサブキャリア毎にインデックス（ｋ＝０，１，．．．，１１）が付与される。サブキャリアに対するインデックスはサブキャリア番号とも呼称される。なお、サブキャリア番号は、システム帯域（コンポーネントキャリア）に渡って連続に付与できる。例えば、それぞれのＲＢペアにおけるサブキャリア番号（ｋ-０＝０，１，．．．，１１）が付与される時、システム帯域におけるサブキャリア番号ｋはＮｓｃＲＢ×ｎＲＢ＋ｋ０とも表される。ただし、ＮｓｃＲＢは１つのＲＢまたはＲＢペアにおけるサブキャリア数を示す。ｎＲＢはシステム帯域（コンポーネントキャリア）に渡って連続に付与できるＲＢまたはＲＢペアのインデックスを示し、ｎＲＢ＝０，１，．．．，ＮＲＢＤＬ−１である。ＲＢまたはＲＢペアのインデックスはＲＢ番号またはＲＢペア番号とも呼称される。また、それぞれのスロットは、スロットに対するインデックス（スロット番号）が付与される。例えば、偶数番目のスロット番号は、それぞれのサブフレームにおける前半のスロット（スロット０）である。また、奇数番目のスロット番号は、それぞれのサブフレームにおける後半のスロット（スロット１）である。
【０１１２】
ここで、周波数優先マッピング規則は、マッピングの対象が、マッピングする領域内の複数のリソースエレメントにおいて、先頭のＯＦＤＭシンボルであり最も低い周波数のサブキャリアのリソースエレメントから、それぞれのＯＦＤＭシンボルにおいて、周波数が高くなる方向のリソースエレメントを優先して順にマッピングし、以降のＯＦＤＭシンボルに対しても同様にマッピングする規則である。具体的には、周波数優先マッピング規則は、マッピングの対象が、マッピングする領域内の複数のリソースエレメントにおいて、以下のようにマッピングされる規則である。ここで、マッピングの対象は、ＥＲＥＧ、ＥＲＥＧ番号、ＥＣＣＥ、ＥＣＣＥ番号、ＲＢペア、ＲＢペア番号、アンテナポート、アンテナポート番号、信号、データ、チャネル、ＥＰＤＣＣＨ、および／またはＥＰＤＣＣＨ番号などを含む。なお、周波数優先マッピング規則におけるマッピングは、アンテナポート等の関連付けにも適用できるため、マッピングは関連付けとも言い換えることができる。すなわち、周波数優先マッピング規則は、周波数優先関連付け規則とも言い換えることができる。また、周波数優先マッピング規則および周波数優先関連付け規則は、周波数優先規則とも呼称される。
（１）マッピングの対象は、時間方向に早いＯＦＤＭシンボル、かつ、最も低い周波数のサブキャリアのリソースエレメントにマッピングされる。さらに、マッピングの対象は、そのリソースエレメントから周波数が高くなる方向のリソースエレメントに順にマッピングされる。
（２）マッピングするリソースエレメントがそのＯＦＤＭシンボルに存在しない場合、マッピングの対象は、次のＯＦＤＭシンボル、かつ、最も低い周波数のサブキャリアのリソースエレメントにマッピングされる。さらに、マッピングの対象は、そのリソースエレメントから周波数が高くなる方向のリソースエレメントに順にマッピングされる。
（３）マッピングするリソースエレメントがその領域内に存在しなくなるまで、（２）が繰り返される。
【０１１３】
また、そのマッピングは、マッピングの対象とは異なる衝突信号（上書き信号、割り込み信号）がマッピングされるリソースエレメントは除外される。すなわち、マッピングの対象がマッピングされる領域内のリソースエレメントに、マッピングの対象とは異なる衝突信号（上書き信号、割り込み信号）がマッピングされる場合、そのマッピングの対象は、そのリソースエレメントを飛び越して（スキップして）、次にマッピングするリソースエレメントにマッピングされる。ここで、衝突信号は、セル固有参照信号、伝送路状況測定用参照信号、端末固有参照信号、ＥＰＤＣＣＨ復調用参照信号、ＥＰＤＣＣＨ、ＰＤＣＣＨ、チャネル、報知チャネル、同期信号、および／またはデータなどを含む。なお、マッピングの対象がマッピングされる領域内のリソースエレメントに、マッピングの対象とは異なる衝突信号がマッピングされる場合、そのマッピングの対象は、そのリソースエレメントを飛び越さず（スキップせず）にマッピングするが、衝突信号がそのリソースエレメントに上書きすることが出来る。すなわち、衝突信号がマッピングされるリソースエレメントに対するマッピングの対象は、パンクチャされる。また、衝突信号がマッピングされるリソースエレメントに対して、マッピングの対象が飛び越すか、パンクチャされるかは、衝突信号に応じて決定されてもよい。
【０１１４】
図５では、ＥＲＥＧ０〜ＥＲＥＧ１５のＥＲＥＧ番号は、スロット０において、（０，０）からｋが増加するリソースエレメントに順にマッピングされる。さらに、ｋが最大値になった場合、ＥＲＥＧ番号は、ｌを増加し、（０，１）からｋが増加するリソースエレメントに順にマッピングされ、ｌが最大値になるまで繰り返される。さらに、スロット１は、スロット０に続いて、同様にマッピングが行われる。
【０１１５】
また、ＥＲＥＧ番号は、ＥＰＤＣＣＨ復調用参照信号がマッピングされるリソースエレメントを飛び越えてマッピングされる。また、ＥＲＥＧ番号は、セル固有参照信号、伝送路状況測定用参照信号および／またはＰＤＣＣＨ領域のマッピングに関わらず、マッピングされる。すなわち、ＥＲＥＧ番号は、ＥＰＤＣＣＨ復調用参照信号を除いて、リソースエレメントにマッピングされる信号に依存せずに、ＲＢペア内のリソースエレメントにマッピングされる。端末２００は、ＥＰＤＣＣＨ復調用参照信号、セル固有参照信号、伝送路状況測定用参照信号および／またはＰＤＣＣＨ領域がマッピングされるリソースエレメントに、ＥＰＤＣＣＨがマッピングされていないものと認識する。これにより、ＥＲＥＧの定義が、リソースエレメントにマッピングされる信号に依存せずに決まるため、基地局１００および端末２００における処理や記憶容量を低減することができる。
【０１１６】
図６は、１つのＲＢペアにおけるＥＲＥＧ番号に対するリソースエレメントの組み合わせを示す図である。図６は、図５で示したＥＲＥＧ構成におけるＥＲＥＧ番号に対するリソースエレメントの組み合わせである。それぞれのＥＲＥＧは、９つのリソースエレメントで構成される。
【０１１７】
また、ＥＣＣＥは、所定数のＥＲＥＧにより構成される。例えばＥＣＣＥは、４または８のＥＲＥＧにより構成される。ここで、ＲＢペアにおいて、ＥＰＤＣＣＨのマッピングに用いることができるリソースエレメントの数は、セル固有参照信号、伝送路状況測定用参照信号および／またはＰＤＣＣＨ領域がマッピングされるリソースエレメントの数に依存して決定される。すなわち、ＥＰＤＣＣＨのマッピングに用いることができるリソースエレメントの数は、セル固有参照信号、伝送路状況測定用参照信号および／またはＰＤＣＣＨ領域を除いたリソースエレメントの数であるＥＣＣＥを構成するＥＲＥＧの数は、ＲＢペアにおいて、ＥＰＤＣＣＨのマッピングに用いることができるリソースエレメントの数に応じて決定される。例えば、ＥＰＤＣＣＨのマッピングに用いることができるリソースエレメントの数が所定数以上である時ＥＣＣＥを構成するＥＲＥＧの数は４である。ＥＰＤＣＣＨのマッピングに用いることができるリソースエレメントの数が所定数より少ない時ＥＣＣＥを構成するＥＲＥＧの数は８である。その所定数は、そのＥＣＣＥを用いてマッピングされるＥＰＤＣＣＨが所定の符号化率を下回らないように設定されることが好ましい。これにより、端末２００は、ＥＰＤＣＣＨの受信に際して、所定の受信品質を保つことが可能になる。
【０１１８】
また、ＥＣＣＥは、１つまたは複数のＲＢペアにおけるＥＲＥＧにより構成される。すなわち、ＥＲＥＧとＥＣＣＥとのマッピング規則（マッピング方法、関連付け）は、複数規定される。ＥＲＥＧとＥＣＣＥとのマッピング規則は、分散マッピング（分散送信）または局所マッピング（局所送信）である。また、ＥＲＥＧとＥＣＣＥとのマッピング規則は、ＥＰＤＣＣＨ領域毎に設定することができる。それぞれのＥＰＤＣＣＨ領域には、分散マッピングまたは局所マッピングが設定される。基地局１００は、端末２００に対するＥＰＤＣＣＨに関する設定に、分散マッピングまたは局所マッピングを示す設定を含むことができる。分散マッピングではＥＣＣＥは、複数のＲＢペアにおけるＥＲＥＧを用いてマッピングされ、複数のＲＢペアに分散されて構成される。分散マッピングの場合ＥＣＣＥを構成するＥＲＥＧの一部は、異なるＲＢペアにおけるＥＲＥＧにマッピングされる。局所マッピングではＥＣＣＥは、１つのＲＢペアに、局所的にマッピングされる。局所マッピングの場合ＥＣＣＥを構成するＥＲＥＧの全部は、１つのＲＢペアにおけるＥＲＥＧを用いてマッピングされる。
【０１１９】
また、ＥＣＣＥを構成するＥＲＥＧは、所定のＥＲＥＧ番号のＥＲＥＧにすることができる。
ＥＣＣＥが４つのＥＲＥＧにより構成される場合、そのＥＲＥＧのＥＲＥＧ番号は、mod(i,16)、mod(i+4,16)、mod(i+8,16)、およびmod(i+12,16)とすることができる。ただし、ｉは整数であり、mod(a,b)はａをbで除算した余りを示す。
ＥＣＣＥが８つのＥＲＥＧにより構成される場合、そのＥＲＥＧのＥＲＥＧ番号は、mod(i,16)、mod(i+2,16)、mod(i+4,16)、mod(i+6,16)、mod(i+8,16)、mod(i+10,16)、mod(i+12,16)、およびmod(i+14,16)とすることができる。
【０１２０】
ＥＣＣＥが４つのＥＲＥＧにより構成され、ＥＰＤＣＣＨが局所マッピングされる場合、それぞれのＲＢペアにおいて、４つのＥＣＣＥが構成される。その場合、ｉは０から３の整数である。あるＥＣＣＥは、同一のＲＢペアにおけるＥＲＥＧ０、ＥＲＥＧ４、ＥＲＥＧ８およびＥＲＥＧ１２で構成される。別のＥＣＣＥは、同一のＲＢペアにおけるＥＲＥＧ１、ＥＲＥＧ５、ＥＲＥＧ９およびＥＲＥＧ１３で構成される。別のＥＣＣＥは、同一のＲＢペアにおけるＥＲＥＧ２、ＥＲＥＧ６、ＥＲＥＧ１０およびＥＲＥＧ１４で構成される。別のＥＣＣＥは、同一のＲＢペアにおけるＥＲＥＧ３、ＥＲＥＧ７、ＥＲＥＧ１１およびＥＲＥＧ１５で構成される。
【０１２１】
ＥＣＣＥが８つのＥＲＥＧにより構成され、ＥＰＤＣＣＨが局所マッピングされる場合、それぞれのＲＢペアにおいて、２つのＥＣＣＥが構成される。その場合、ｉは０または１である。あるＥＣＣＥは、同一のＲＢペアにおけるＥＲＥＧ０、ＥＲＥＧ２、ＥＲＥＧ４、ＥＲＥＧ６、ＥＲＥＧ８、ＥＲＥＧ１０、ＥＲＥＧ１２およびＥＲＥＧ１４で構成される。別のＥＣＣＥは、同一のＲＢペアにおけるＥＲＥＧ１、ＥＲＥＧ３、ＥＲＥＧ５、ＥＲＥＧ７、ＥＲＥＧ９、ＥＲＥＧ１１、ＥＲＥＧ１３およびＥＲＥＧ１５で構成される。
【０１２２】
ＥＰＤＣＣＨが分散マッピングされる場合、それぞれのＥＣＣＥは、複数のＲＢペアにおけるＥＲＥＧで構成される。また、あるＥＣＣＥの構成において、ＥＲＥＧを構成するＲＢペアは、ＥＰＤＣＣＨ領域を構成するＲＢペアの数によって決定することができる。
【０１２３】
ＥＣＣＥが４つのＥＲＥＧにより構成され、ＥＰＤＣＣＨ領域が４つのＲＢペアで構成される場合、それぞれのＥＣＣＥは異なるＲＢペアにおけるＥＲＥＧで構成される。その場合、１６のＥＣＣＥが構成され、ｉは０から１５の整数である。例えば、あるＥＣＣＥは、異なるＲＢペアにおけるＥＲＥＧ０、ＥＲＥＧ４、ＥＲＥＧ８およびＥＲＥＧ１２で構成される。別のＥＣＣＥは、異なるＲＢペアにおけるＥＲＥＧ１、ＥＲＥＧ５、ＥＲＥＧ９およびＥＲＥＧ１３で構成される。別のＥＣＣＥは、異なるＲＢペアにおけるＥＲＥＧ２、ＥＲＥＧ６、ＥＲＥＧ１０およびＥＲＥＧ１４で構成される。別のＥＣＣＥは、異なるＲＢペアにおけるＥＲＥＧ３、ＥＲＥＧ７、ＥＲＥＧ１１およびＥＲＥＧ１５で構成される。
またＥＣＣＥが４つのＥＲＥＧにより構成され、ＥＰＤＣＣＨ領域が４つを超えるＲＢペアで構成される場合、ＥＰＤＣＣＨ領域が４つのＲＢペアで構成される場合と同様に、それぞれのＥＣＣＥは異なるＲＢペアにおけるＥＲＥＧで構成される。またＥＣＣＥが４つのＥＲＥＧにより構成され、ＥＰＤＣＣＨ領域が２つのＲＢペアで構成される場合、それぞれのＥＣＣＥはそれぞれのＲＢペアにおいて２つずつのＥＲＥＧで構成される。
【０１２４】
ＥＣＣＥが８つのＥＲＥＧにより構成され、ＥＰＤＣＣＨ領域が８つのＲＢペアで構成される場合、それぞれのＥＣＣＥは異なるＲＢペアにおけるＥＲＥＧで構成される。その場合、１６のＥＣＣＥが構成され、ｉは０から１５の整数である。例えば、あるＥＣＣＥは、異なるＲＢペアにおけるＥＲＥＧ０、ＥＲＥＧ２、ＥＲＥＧ４、ＥＲＥＧ６、ＥＲＥＧ８、ＥＲＥＧ１０、ＥＲＥＧ１２およびＥＲＥＧ１４で構成される。別のＥＣＣＥは、異なるＲＢペアにおけるＥＲＥＧ１、ＥＲＥＧ３、ＥＲＥＧ５、ＥＲＥＧ７、ＥＲＥＧ９、ＥＲＥＧ１１、ＥＲＥＧ１３およびＥＲＥＧ１５で構成される。
なおＥＣＣＥが８つのＥＲＥＧにより構成され、ＥＰＤＣＣＨ領域が８つ以上のＲＢペアで構成される場合であっても、それぞれのＥＣＣＥは４つのＲＢペアにおけるＥＲＥＧで構成されてもよい。これにより、ＥＰＤＣＣＨ領域にマッピングするＥＰＤＣＣＨの数が少ない場合、ＥＰＤＣＣＨ領域の一部のＲＢペアをＥＰＤＣＣＨのマッピングに用いず、ＰＤＳＣＨなどの他のチャネルのマッピングに用いることができる。そのため、リソースの利用効率が向上される。
またＥＣＣＥが８つのＥＲＥＧにより構成され、ＥＰＤＣＣＨ領域が８つを超えるＲＢペアで構成される場合、ＥＰＤＣＣＨ領域が８つのＲＢペアで構成される場合と同様に、それぞれのＥＣＣＥは異なるＲＢペアにおけるＥＲＥＧで構成される。またＥＣＣＥが８つのＥＲＥＧにより構成され、ＥＰＤＣＣＨ領域が４つのＲＢペアで構成される場合、それぞれのＥＣＣＥはそれぞれのＲＢペアにおいて２つずつのＥＲＥＧで構成される。またＥＣＣＥが４つのＥＲＥＧにより構成され、ＥＰＤＣＣＨ領域が２つのＲＢペアで構成される場合、それぞれのＥＣＣＥはそれぞれのＲＢペアにおいて４つずつのＥＲＥＧで構成される。
【０１２５】
以上のことから、基地局１００が端末２００に対するＥＰＤＣＣＨのＰＲＢペアへのマッピング方法は、以下の通りである。まず、ＥＰＤＣＣＨは、１つまたは複数のＥＣＣＥにマッピングされる。次に、分散マッピングの場合ＥＣＣＥを構成する複数のＥＲＥＧは、複数のＲＢペアにおけるＥＲＥＧにマッピングされる。また、局所マッピングの場合ＥＣＣＥを構成する複数のＥＲＥＧは、１つのＲＢペアにおけるＥＲＥＧにマッピングされる。次に、それぞれのＥＲＥＧを構成する１つまたは複数のＲＢペアは、ＥＰＤＣＣＨ領域のＰＲＢペアにマッピングされる。
【０１２６】
ここで、ＥＰＤＣＣＨ領域として用いられるＲＢペアの番号付けは、様々な方法を用いることができる。ＥＰＤＣＣＨ領域として用いられるＲＢペアの番号付けは、予め規定された規則によって行われる。例えば、ＥＰＤＣＣＨ領域として用いられるＲＢペアの番号は、ＥＰＤＣＣＨ領域において、周波数の低いＲＢペアから順に設定されてもよい。
【０１２７】
一方、端末２００が基地局１００から通知されるＥＰＤＣＣＨを検出するための方法は、以下の通りである。まず、端末２００は、基地局１００から設定されるＥＰＤＣＣＨ領域のＰＲＢペアを、ＥＰＤＣＣＨ領域として用いられるＲＢペアとして認識する。次に、端末２００は、ＥＰＤＣＣＨ領域として用いられるＲＢペアの各々においてＥＣＣＥを構成するＥＲＥＧを認識する。次に、端末２００は、ＥＰＤＣＣＨが局所マッピングまたは分散マッピングされているかに応じて、認識されたＥＲＥＧまたはリソースエレメントに基づいてＥＣＣＥを認識する。さらに、端末２００は、認識したＥＣＣＥに基づいて、ＥＰＤＣＣＨの検出処理（ブラインドデコーディング）を行う。
【０１２８】
次に、以上で説明したＥＲＥＧ構成およびＥＣＣＥ構成による効果を説明する。ＥＰＤＣＣＨ領域として用いられるＲＢペアのリソースエレメントは、ＰＤＣＣＨ、セル固有参照信号、伝送路状況測定用参照信号、端末固有参照信号、報知チャネル、同期信号等がマッピング（多重）されるかもしれない。特に、端末固有参照信号がＥＰＤＣＣＨを検出（復調）するために用いられる場合、アンテナポート１０７〜１１０のＥＰＤＣＣＨ復調用参照信号の一部または全部は、ＥＰＤＣＣＨがマッピングされるＲＢペアに、マッピング（多重）される。なお、ＥＰＤＣＣＨ領域として用いられるＲＢペアのリソースエレメントは、ＰＤＣＣＨ、セル固有参照信号、伝送路状況測定用参照信号、報知チャネル、同期信号はマッピングされなくてもよい。また、ＥＰＤＣＣＨがマッピングされる１つのＲＢペアにおいて、図４に示されるようにＣＤＭグループ１およびＣＤＭグループ２のＥＰＤＣＣＨ復調用参照信号が用いられる場合、ＥＰＤＣＣＨをマッピングできるリソースエレメントの数は、そのＥＰＤＣＣＨ復調用参照信号がマッピングされるリソースエレメントを除いて、１４４である。
【０１２９】
以上で説明した方法を用いて構成されるＥＲＥＧおよびＥＲＥＧにおいて、ＣＤＭグループ１およびＣＤＭグループ２のＥＰＤＣＣＨ復調用参照信号のみがマッピングされる場合、それぞれのＥＲＥＧを構成するリソースエレメントの数は９または１８である。また、そのＥＲＥＧ構成に基づいて得られるＥＣＣＥ構成において、ＣＤＭグループ１およびＣＤＭグループ２のＥＰＤＣＣＨ復調用参照信号のみがマッピングされる場合、それぞれのＥＣＣＥを構成するリソースエレメントの数は３６である。ここで、ＰＤＣＣＨに用いられるＣＣＥを構成するリソースエレメントの数は３６である。ＥＰＤＣＣＨに用いられるＥＣＣＥを構成するリソースエレメントの数と、ＰＤＣＣＨに用いられるＣＣＥを構成するリソースエレメントの数とが同じである。そのため、ＥＰＤＣＣＨは、ＰＤＣＣＨと同様の送信方法、受信方法、信号処理などを用いることができる。すなわち、ＰＤＣＣＨおよびＥＰＤＣＣＨの送信方法、受信方法、信号処理などは共通化することができるため、基地局１００および端末２００の負荷は軽減できる。
【０１３０】
また、ＥＰＤＣＣＨがマッピングされるＲＢペアにおいて、ＰＤＣＣＨおよび／またはセル固有参照信号がマッピングされる場合、ＥＰＤＣＣＨがマッピングできるリソースエレメントの数は減少する。ここで、ＥＰＤＣＣＨがマッピングできるリソースエレメントの数が減少する場合において、図５に示すＥＲＥＧ構成に基づいて得られるＥＣＣＥ間におけるリソースエレメントの数のばらつきを説明する。まず、セル固有参照信号のアンテナポート数が１（アンテナポート０）である場合、ＰＤＣＣＨの数（０〜３）に関わらずＥＣＣＥ間におけるリソースエレメントの数の最大値と最小値との差は１である。また、セル固有参照信号のアンテナポート数が２（アンテナポート０および１）である場合、ＰＤＣＣＨの数（０〜３）に関わらずＥＣＣＥ間におけるリソースエレメントの数の最大値と最小値との差は０でありＥＣＣＥ間におけるリソースエレメントの数のばらつきは無い。また、セル固有参照信号のアンテナポート数が４（アンテナポート０〜３）である場合、ＰＤＣＣＨの数（０〜３）に関わらずＥＣＣＥ間におけるリソースエレメントの数の最大値と最小値との差は０でありＥＣＣＥ間におけるリソースエレメントの数のばらつきは無い。すなわち、図５に示すＥＲＥＧ構成を用いることによって、そのＥＲＥＧ構成に基づいて得られるＥＣＣＥ間におけるリソースエレメントの数のバラツキは、ＰＤＣＣＨ領域とセル固有参照信号のアンテナポート数との可能性のある組み合わせに関わらず、抑制される。そのため、ＥＰＤＣＣＨの送信に用いるＥＣＣＥによって、リソースの大きさはほとんど変わらないことになる。すなわち、ＥＰＤＣＣＨの送信に用いるＥＣＣＥによって、ＥＰＤＣＣＨに対する符号化利得による伝送特性の差は小さいことになる。これにより、基地局１００が端末２００に対してＥＰＤＣＣＨを送信する際のスケジューリング処理の負荷は大幅に低減できる。
【０１３１】
また、セル固有参照信号のアンテナポート数が１（アンテナポート０）である場合、ＥＰＤＣＣＨがマッピングされるＲＢペアは、セル固有参照信号のアンテナポート数が２（アンテナポート０および１）であると見なすことができる。すなわち、基地局１００は、その基地局が送信するセル固有参照信号のアンテナポート数が１（アンテナポート０）である場合、端末２００に対してＥＰＤＣＣＨを送信する際に、セル固有参照信号のアンテナポート数が２（アンテナポート０および１）であると想定して、ＥＰＤＣＣＨをマッピングする。端末２００は、基地局１００が送信するセル固有参照信号のアンテナポート数が１（アンテナポート０）である場合、その基地局１００から送信されるＥＰＤＣＣＨを検出する際に、セル固有参照信号のアンテナポート数が２（アンテナポート０および１）であると想定して、ＥＰＤＣＣＨをデマッピングする。
【０１３２】
以下では、ＥＰＤＣＣＨの送信に用いられるリソースとＥＰＤＣＣＨ復調用参照信号のアンテナポートとの関連付け（マッピング、対応）について説明する。既に説明したように、基地局１００は、ＥＰＤＣＣＨと、そのＥＰＤＣＣＨに関連付けられるＥＰＤＣＣＨ復調用参照信号とを送信する。また、端末２００は、ＥＰＤＣＣＨ復調用参照信号を用いてＥＰＤＣＣＨを検出（復調）する。ＥＰＤＣＣＨの送信に用いられるリソースと、ＥＰＤＣＣＨ復調用参照信号のアンテナポートとは、所定の方法を用いて関連付けられる。ここで、ＥＰＤＣＣＨの送信に用いられるリソースは、ＥＰＤＣＣＨ領域、ＥＰＤＣＣＨ、ＥＲＥＧ、ＥＲＥＧセット、ＥＣＣＥ、またはリソースエレメントである。なお、ＥＰＤＣＣＨ復調用参照信号は、単に参照信号とも呼称される。
【０１３３】
また、ＥＰＤＣＣＨの送信に用いられるリソースとＥＰＤＣＣＨ復調用参照信号のアンテナポートとの関連付けは、ＥＰＤＣＣＨに関する設定に基づいて切り替えることができる。例えば、ＥＰＤＣＣＨの送信に用いられるリソースとＥＰＤＣＣＨ復調用参照信号のアンテナポートとの関連付けは、ＥＰＤＣＣＨが局所マッピングにより送信される場合と、ＥＰＤＣＣＨが分散マッピングにより送信される場合とで異なることができる。すなわち、ＥＰＤＣＣＨ領域に設定されるマッピング規則が局所マッピングまたは分散マッピングに応じて、ＥＰＤＣＣＨの送信に用いられるリソースとＥＰＤＣＣＨ復調用参照信号のアンテナポートとの関連付けが決定される。
【０１３４】
ＥＰＤＣＣＨが局所マッピングを用いて送信される場合、ＥＰＤＣＣＨ毎に、関連付けられるアンテナポートが決定される。まず、それぞれのＲＢペアにおいて、それぞれのＥＣＣＥはアンテナポート１０７〜１１０のいずれかに関連付けられる。例えば、それぞれのＲＢペアにおいて、ＥＣＣＥ番号の小さいＥＣＣＥから、アンテナポート１０７〜１１０が順に関連付けられる。すなわち、局所マッピングにおけるＥＣＣＥの各々は、異なるアンテナポートに対応付けられる。また、ＥＣＣＥ集合レベルが２以上の場合、それぞれのＥＰＤＣＣＨは、マッピングされる分割リソースに関連付けられるアンテナポートのいずれかを用いて送信されることができる。その場合、その関連付けは、端末固有ＩＤ、ＲＮＴＩ、ＲＢ番号、ＲＢペア番号、および／またはスロット番号にさらに基づいて決定されてもよい。
なお、端末２００は、ブラインドデコーディングするＥＰＤＣＣＨの候補に対するＥＰＤＣＣＨ復調用参照信号のアンテナポートを、基地局１００から通知されてもよい。
【０１３５】
ＥＰＤＣＣＨが分散マッピングを用いて送信される場合、リソースエレメント毎に、関連付けられるアンテナポートが決定される。その関連付けは、様々な方法を用いることができる。また、以下の説明では、関連付けられるアンテナポートがアンテナポート１０７およびアンテナポート１０９を用いる場合を説明するが、これに限定されるものではない。例えば、関連付けられるアンテナポートがアンテナポート１０７およびアンテナポート１０８を用いてもよい。
また、アンテナポート１０７は、第１のアンテナポートとも呼称される。アンテナポート１０９またはアンテナポート１０８は、第２のアンテナポートとも呼称される。
【０１３６】
ＥＰＤＣＣＨの送信に用いられるリソースエレメントとＥＰＤＣＣＨ復調用参照信号のアンテナポートとの関連付けの一例は、アンテナポート１０７およびアンテナポート１０９が、それぞれのＥＲＥＧにおいて、周波数優先マッピング規則によって交互に関連付けられる。
図７は、ＥＰＤＣＣＨの送信に用いられるリソースエレメントとＥＰＤＣＣＨ復調用参照信号のアンテナポートとの関連付けの例を示す。また図７では、図５に示したＥＲＥＧ構成（つまりリソースエレメントとＥＲＥＧ番号の関連付け）を用いた場合のリソースエレメントとＥＰＤＣＣＨ復調用参照信号のアンテナポートとの関連付けが示されている。また、図７では、それぞれのリソースエレメントに記載される数字はアンテナポート番号を示す。図中の７はアンテナポート１０７を示し、９はアンテナポート１０９を示す。例えば、ＥＲＥＧ０を構成する９つのリソースエレメント（スロット０における(0,0), (4,1), (8,2), (0,4), (8,5)、および、スロット１における(8,0), (0,2), (4,3), (8,4)）に対して、アンテナポート１０７およびアンテナポート１０９が、周波数優先マッピング規則によって交互に関連付けられる。すなわち、５つのリソースエレメント（スロット０における(0,0), (8,2), (8,5)、および、スロット１における (0,2), (8,4)）はアンテナポート１０７が関連付けられる。４つのリソースエレメント（スロット０における(4,1), (0,4)、および、スロット１における(8,0), (4,3)）はアンテナポート１０９が関連付けられる。なお、それぞれのＥＲＥＧにおいて、アンテナポートの関連付けは、アンテナポート１０７から行われる場合を説明したが、アンテナポート１０９から行なってもよい。
これにより、それぞれのＥＲＥＧにおいて、アンテナポート１０７に関連付けられるリソースエレメントの数とアンテナポート１０９に関連付けられるリソースエレメントの数とがほぼ同じにできる。アンテナポート間の偏りを少なくできるため、周波数ダイバーシチの効果が向上する。
【０１３７】
ＥＰＤＣＣＨの送信に用いられるリソースエレメントとＥＰＤＣＣＨ復調用参照信号のアンテナポートとの関連付けの別の一例は、アンテナポート１０７およびアンテナポート１０９が、それぞれのＥＲＥＧにおいて、周波数優先マッピング規則によって交互に関連付けられる。さらに、関連付けるＥＲＥＧのＥＲＥＧ番号に応じて、アンテナポートの関連付けは、それぞれのＥＲＥＧにおいて、アンテナポート１０７またはアンテナポート１０９から行われる。例えば、アンテナポートの関連付けは、ＥＲＥＧ番号が奇数または偶数に応じて、それぞれのＥＲＥＧにおいて、アンテナポート１０７またはアンテナポート１０９から行われる。
いいかえると、分散マッピングにおいては、物理リソースはＥＲＥＧを単位として与えられる。あるＥＲＥＧにあるそれぞれのリソースエレメントは２つのアンテナポート（つまりアンテナポート１０７と１０９）のうち片方と、交互に関連付けられる。このときリソースエレメントが含まれるＥＲＥＧ番号が偶数であればアンテナポート１０７から順に関連付けられ、このときリソースエレメントが含まれるＥＲＥＧ番号が奇数であればアンテナポート１０９から順に関連付けられる。
図８は、ＥＰＤＣＣＨの送信に用いられるリソースエレメントとＥＰＤＣＣＨ復調用参照信号のアンテナポートとの関連付けの例を示す。図８では、図５に示したＥＲＥＧ構成（つまりリソースエレメントとＥＲＥＧ番号の関連付け）を用いた場合のリソースエレメントとＥＰＤＣＣＨ復調用参照信号のアンテナポートとの関連付けが示されている。また、図８では、それぞれのリソースエレメントに記載される数字はアンテナポート番号を示す。図中の７はアンテナポート１０７を示し、９はアンテナポート１０９を示す。
ＥＲＥＧ番号が偶数のＥＲＥＧの場合、アンテナポートの関連付けは、それぞれのＥＲＥＧにおいて、アンテナポート１０７から行われる。ＥＲＥＧ番号が奇数のＥＲＥＧの場合、アンテナポートの関連付けは、それぞれのＥＲＥＧにおいて、アンテナポート１０９から行われる。これにより、それぞれのＥＲＥＧ、ＯＦＤＭシンボルおよびＲＢペアにおいて、アンテナポート１０７に関連付けられるリソースエレメントの数とアンテナポート１０９に関連付けられるリソースエレメントの数とがほぼ同じにできる。アンテナポート間の偏りを少なくできるため、周波数ダイバーシチの効果が向上する。また、アンテナポート間の送信電力の平均が同じになる。
【０１３８】
ＥＰＤＣＣＨの送信に用いられるリソースエレメントとＥＰＤＣＣＨ復調用参照信号のアンテナポートとの関連付けの別の一例は、アンテナポート１０７およびアンテナポート１０９が、それぞれのＥＲＥＧにおいて、周波数優先マッピング規則によって交互に関連付けられる。さらに、関連付けるＥＲＥＧのＥＲＥＧ番号に応じて、アンテナポートの関連付けは、それぞれのＥＲＥＧにおいて、アンテナポート１０７またはアンテナポート１０９から行われる。
例えば、アンテナポートの関連付けは、それぞれのＥＲＥＧにおいて、ＥＲＥＧ番号を所定数Ｍで割った商（つまり、ＥＲＥＧ番号をＭで割った数に対し、基準値１としてフロア関数をとったもの）に基づいて、アンテナポート１０７またはアンテナポート１０９から行われる。
例えば、Ｍが４であり、ＥＲＥＧ番号を４で割った商が偶数である場合、アンテナポートの関連付けはアンテナポート１０７から行われ、ＥＲＥＧ番号を４で割った商が奇数である場合、アンテナポートの関連付けはアンテナポート１０９から行われる。いいかえると、分散マッピングにおいては、物理リソースはＥＲＥＧを単位として与えられる。あるＥＲＥＧにあるそれぞれのリソースエレメントは２つのアンテナポート（つまりアンテナポート１０７と１０９）のうち片方と、交互に関連付けられる。このときリソースエレメントが含まれるＥＲＥＧ番号を４で割った商が偶数であればアンテナポート１０７から順に関連付けられ、このときリソースエレメントが含まれるＥＲＥＧ番号を４で割った商（つまり、ＥＲＥＧ番号を４で割った数に対し、基準値１としてフロア関数をとったもの）が奇数であればアンテナポート１０９から順に関連付けられる。
具体的に例をあげると、アンテナポートの関連付けは、それぞれのＥＲＥＧにおいて、ＥＲＥＧ番号が０、１、２、３、８、９、１０および１１のＥＲＥＧの場合、アンテナポート１０７から行われ、ＥＲＥＧ番号が４、５、６、７、１２、１３、１４および１５のＥＲＥＧの場合、アンテナポート１０９から行われる。すなわち、ＥＣＣＥを構成するＥＲＥＧに関連付けられるアンテナポートの偏りが、ＥＣＣＥにおいて同じになるように、アンテナポートの関連付けを行なう。これにより、それぞれのＥＲＥＧ、ＯＦＤＭシンボル、ＲＢペアおよびＥＣＣＥにおいて、アンテナポート１０７に関連付けられるリソースエレメントの数とアンテナポート１０９に関連付けられるリソースエレメントの数とがほぼ同じにできる。アンテナポート間の偏りを少なくできるため、周波数ダイバーシチの効果が向上する。また、アンテナポート間の送信電力の平均が同じになる。
【０１３９】
なお、以上の説明では、ＥＰＤＣＣＨの送信に用いられるリソースエレメントとＥＰＤＣＣＨ復調用参照信号のアンテナポートとの関連付けが、ＥＲＥＧ番号に基づいて、アンテナポート１０７およびアンテナポート１０９が交互に関連付けられる場合を説明したが、これに限定されるものではない。例えば、ＥＰＤＣＣＨの送信に用いられるリソースエレメントとＥＰＤＣＣＨ復調用参照信号のアンテナポートとの関連付けは、ＲＢペア番号、ＥＣＣＥ番号、サブフレーム番号、スロット番号、ＥＰＤＣＣＨ領域を識別する番号、および／または、ＥＰＤＣＣＨを識別する番号に基づいて、アンテナポート１０７およびアンテナポート１０９が交互に関連付けられることができる。
なお、以上の説明では、ＥＰＤＣＣＨの送信に用いられるリソースエレメントとＥＰＤＣＣＨ復調用参照信号のアンテナポートとの関連付けが、それぞれのＥＲＥＧに対して、アンテナポート１０７およびアンテナポート１０９が交互に関連付けられる場合を説明したが、これに限定されるものではない。例えば、ＥＰＤＣＣＨの送信に用いられるリソースエレメントとＥＰＤＣＣＨ復調用参照信号のアンテナポートとの関連付けが行われるリソースは、ＲＢペア、ＥＣＣＥ、サブフレーム、スロット、ＥＰＤＣＣＨ領域、および／または、ＥＰＤＣＣＨであってもよい。
具体的な例として、ＥＰＤＣＣＨの送信に用いられるリソースエレメントとＥＰＤＣＣＨ復調用参照信号のアンテナポートとの関連付けの別の一例は、アンテナポート１０７およびアンテナポート１０９が、それぞれのＥＲＥＧにおいて、ＲＢペア番号に基づいて、周波数優先マッピング規則によって交互に関連付けられることができる。ＥＰＤＣＣＨの送信に用いられるリソースエレメントとＥＰＤＣＣＨ復調用参照信号のアンテナポートとの関連付けは、ＲＢペア番号が偶数の場合、それぞれのＥＲＥＧにおいて、アンテナポート１０７から行われ、ＲＢペア番号が奇数の場合、それぞれのＥＲＥＧにおいて、アンテナポート１０９から行われる。
【０１４０】
また、以上で説明したアンテナポートの関連付けにおいては、衝突信号がマッピングされるリソースエレメントを除外するかもしれない。すなわち、アンテナポートの関連付けにおいて、アンテナポート１０７とアンテナポート１０９とが交互に（順に）関連付けられるＥＲＥＧ内のリソースエレメントに、衝突信号（上書き信号、割り込み信号）がマッピングされる場合、そのアンテナポートは、そのリソースエレメントを飛び越して（スキップして）、次に関連付けられるべきリソースエレメントに関連付けるかもしれない。ここで、衝突信号は、セル固有参照信号、伝送路状況測定用参照信号、端末固有参照信号、報知チャネル、同期信号、および／またはＰＤＣＣＨ領域などを含む。これにより、衝突信号に依存せず、それぞれのＥＲＥＧ、ＯＦＤＭシンボル、ＲＢペアおよび／またはＥＣＣＥにおいて、アンテナポート１０７に関連付けられるリソースエレメントの数とアンテナポート１０９に関連付けられるリソースエレメントの数とがほぼ同じにできる。
【０１４１】
なお、別の例として、アンテナポートが交互に（順に）関連付けられるＥＲＥＧ内のリソースエレメントに、伝送路状況測定用参照信号がマッピングされる場合、そのアンテナポートは、そのリソースエレメントを飛び越さず（スキップせず）に関連付け、さらに伝送路状況測定用参照信号がそのリソースエレメントに上書きされることが出来る。すなわち、伝送路状況測定用参照信号がマッピングされるリソースエレメントに対するアンテナポートは、パンクチャされる。これにより、ＥＰＤＣＣＨ領域を複数の端末で共有する場合、端末固有に設定される伝送路状況測定用参照信号がマッピングできる。
【０１４２】
また、衝突信号がＰＤＣＣＨ領域である場合、端末はそのＰＤＣＣＨ領域を、基地局１００から通知されるＣＦＩ（Control Field Indicator）から設定される。ＣＦＩがＲＲＣシグナリングを通じて設定されない場合、端末はサブフレーム中の所定のリソースエレメントにマッピングされるＰＣＦＩＣＨを通じて通知されるＣＦＩに基づいてＰＤＣＣＨ領域を認識する。ＣＦＩがＲＲＣシグナリングを通じて設定される場合、端末はＰＣＦＩＣＨを通じて通知されるＣＦＩに関わらず、ＲＲＣシグナリングを通じて通知されたＣＦＩに基づいてＰＤＣＣＨ領域を認識する。なお、ＣＦＩがＲＲＣシグナリングを通じて設定されない場合、端末はＰＣＦＩＣＨを通じて通知されるＣＦＩに関わらず、予め規定されたＣＦＩに基づいてＰＤＣＣＨ領域を認識してもよい。
【０１４３】
なお、アンテナポートの関連付けが、アンテナポート１０７から行われるか、アンテナポート１０９から行われるかは、ＥＲＥＧ番号に基づいて決定されることを説明したが、これに限定されるものではない。例えば、アンテナポートの関連付けが、アンテナポート１０７から行われるか、アンテナポート１０９から行われるかは、ＥＣＣＥ番号、ＥＰＤＣＣＨ番号、ＲＢペア番号、セルＩＤ、ＲＮＴＩなどに基づいて決定されてもよい。また、例えば、アンテナポートの関連付けが、アンテナポート１０７から行われるか、アンテナポート１０９から行われるかは、基地局１００から設定されてもよい。
【０１４４】
なお、アンテナポートの関連付けは、衝突信号に関わらず、固定されてもよい。例えば、それぞれのサブフレームにおいて、偶数番目のＯＦＤＭシンボルのリソースエレメントはアンテナポート１０７が関連付けられ、奇数番目のＯＦＤＭシンボルのリソースエレメントはアンテナポート１０９が関連付けられる。また、例えば、それぞれのサブフレームにおいて、奇数番目のＯＦＤＭシンボルのリソースエレメントはアンテナポート１０７が関連付けられ、偶数番目のＯＦＤＭシンボルのリソースエレメントはアンテナポート１０９が関連付けられる。
【０１４５】
また、以上で説明したアンテナポートの関連付けを行うＥＰＤＣＣＨ生成部の動作の一例を説明する。ＥＰＤＣＣＨ生成部は、端末に通知する制御チャネルであり、第１のアンテナポートおよび第２のアンテナポートに関連付けられるＥＰＤＣＣＨを生成する。ＥＰＤＣＣＨ生成部は、ＥＰＤＣＣＨの送信に割り当てられたＥＲＥＧに含まれるリソースエレメントにマッピングする。ＥＰＤＣＣＨ生成部は、それぞれのＥＲＥＧにおけるリソースエレメントに対して、第１のアンテナポートまたは第２のアンテナポートを、周波数優先規則によって交互に関連付ける。ＥＰＤＣＣＨ生成部は、ＥＰＤＣＣＨの複素シンボルを、第１のアンテナポートまたは第２のアンテナポートに関連付けられたリソースエレメントであり、前記ＥＰＤＣＣＨの送信に割り当てられたＥＲＥＧに含まれるリソースエレメントにマッピングする。
また、以上で説明したアンテナポートの関連付けが行われたＥＰＤＣＣＨの検出を行うＥＰＤＣＣＨ処理部の動作の一例を説明する。ＥＰＤＣＣＨ処理部は、伝搬路推定部が推定した伝搬路推定値を用いて、ＥＰＤＣＣＨの送信に割り当てられたＥＲＥＧに含まれるリソースエレメントにマッピングされ、第１のアンテナポートおよび第２のアンテナポートに関連付けられるＥＰＤＣＣＨを検出する。ＥＰＤＣＣＨ処理部は、それぞれのＥＲＥＧにおけるリソースエレメントに対して、第１のアンテナポートおよび第２のアンテナポートが、周波数優先規則によって交互に関連付けられると想定して検出する。ＥＰＤＣＣＨ処理部は、ＥＰＤＣＣＨの複素シンボルが、前記第１のアンテナポートまたは前記第２のアンテナポートに関連付けられた前記リソースエレメントであり、前記ＥＰＤＣＣＨの送信に割り当てられたＥＲＥＧに含まれるリソースエレメントにマッピングされると想定して検出する。
【０１４６】
また、以上で説明したＥＲＥＧ構成は、複数のパターンを用いることができる。ここでのＥＲＥＧ構成は、ＲＢペアにおけるＥＲＥＧ番号および関連付けられたアンテナポートを含む。複数のパターンが用いられるＥＲＥＧ構成は、所定のパラメータや構成に基づいて、切り替えることができる。例えば、複数のパターンが用いられるＥＲＥＧ構成は、送信ポイント（基地局、セル）毎に異なって用いることができる。また、例えば、ＥＲＥＧ構成における複数のパターンは、それぞれのＲＢペアにおいて所定のリソースエレメントのセットを任意に入れ替えるための、入れ替えパターンに基づいて、切り替えることができる。また、ＥＲＥＧ構成のパターンを切り替える（決定する、選択する、設定する）ためのパラメータは、基地局１００は端末２００に対して、ＲＲＣシグナリングやＰＤＣＣＨシグナリングを通じて明示的に通知することができる。また、ＥＲＥＧ構成のパターンを切り替える（決定する、選択する、設定する）ためのパラメータは、他のパラメータや構成に基づいて黙示的に決定されることができる。以上のように、複数のパターンのＥＲＥＧ構成が用いられることにより、異なるパターンのＥＲＥＧおよび／またはＥＣＣＥ間において、ＥＰＤＣＣＨの送信に用いられるリソースを互いにランダム化できるため、ＥＰＤＣＣＨの伝送特性が向上する。
【０１４７】
複数のパターンのＥＲＥＧを構成するために、図５で示したＥＲＥＧ構成は、それぞれのＯＦＤＭシンボルにおいて、１つのＲＢペア内で周波数方向に巡回シフトされる。具体的には、所定の方法により、ＯＦＤＭシンボル毎の巡回シフトの数が決定される。図５で示したＥＲＥＧ構成は、その巡回シフトの数に基づいて、ＯＦＤＭシンボル毎に、１つのＲＢペア内で周波数方向に巡回シフトされる。例えば、１番目のＯＦＤＭシンボルに対する巡回シフトの数が５である場合、１番目のＯＦＤＭシンボルにおける１２のリソースエレメントは、周波数が高くなる方向または低くなる方向に、５つのリソースエレメント分の巡回シフトが行われる。また、ＥＰＤＣＣＨ復調用参照信号が含まれるＯＦＤＭシンボルは、ＥＰＤＣＣＨ復調用参照信号を除いたリソースエレメントに対して巡回シフトする。
【０１４８】
ＯＦＤＭシンボル毎の巡回シフトの数の決定方法は、様々な方法を用いることができる。その決定方法の１つは、巡回シフトの数はｓ＊α＋βの演算によって求められることである。ここで、ｓは、ＲＢペア内のＯＦＤＭシンボル番号であり、１から１４の整数である。αは、ＯＦＤＭシンボル間の巡回シフトの数の差である。βは、ＲＢペア内の全てのＯＦＤＭシンボルに共通に加算される巡回シフトの数である。αとβは、基地局１００から端末２００にＲＲＣシグナリングまたはＰＤＣＣＨシグナリングによって設定される。また、αとβは、基地局１００から端末２００にＲＲＣシグナリングまたはＰＤＣＣＨシグナリングによって設定されるパラメータに基づいて得られる。また、αとβは、予め規定され、他のパラメータによって決定される。また、αとβの両方が用いられる必要はなく、αとβのどちらか一方のみが用いられてもよい。また、巡回シフトの数は、所定のハッシュ関数に基づいて、決定されてもよい。
【０１４９】
また、ＯＦＤＭシンボル毎の巡回シフトは、リソースエレメントに関連付けられるアンテナポートに対しても行なうことが可能である。言い換えると、前述のリソースエレメントとアンテナポートの関連付けの一例では、ＥＲＥＧ構成に基づいてリソースエレメントとアンテナポートの関連付けが行われていた。従って、リソースエレメントとアンテナポートの関連付けは、ＥＲＥＧ構成に依存するため、ＯＦＤＭシンボル毎の巡回シフトは、リソースエレメントに関連付けられるアンテナポートに対しても行なわれているとみなすことも可能である。これにより、それぞれのＥＲＥＧ、ＯＦＤＭシンボル、ＲＢペアおよび／またはＥＣＣＥにおいて、巡回シフトを行った場合でも、アンテナポート１０７に関連付けられるリソースエレメントの数とアンテナポート１０９に関連付けられるリソースエレメントの数とがほぼ同じにできる。
【０１５０】
なお、ＯＦＤＭシンボル毎の巡回シフトは、リソースエレメントに関連付けられるアンテナポートに対しては行わず、リソースエレメントに関連付けられるＥＲＥＧ番号のみに対して行われてもよい。言い換えると、前述のリソースエレメントとアンテナポートの関連付けの別の一例では、ＥＲＥＧ構成に基づいて、リソースエレメントとアンテナポートの関連付けがＥＲＥＧ番号と共に行われるが、ＯＦＤＭシンボル毎の巡回シフトはＥＲＥＧ番号のみに対して行われる。すなわち、アンテナポートの関連付けは、ＯＦＤＭシンボル毎の巡回シフトを行う前のＥＲＥＧ構成（ＥＲＥＧ番号）に基づいて、行われることができる。これにより、アンテナポートの関連付けは、ＯＦＤＭシンボル毎の巡回シフトによらず、固定することができる。
【０１５１】
以下では、基地局１００が端末２００に対するＥＰＤＣＣＨの設定方法（ＥＰＤＣＣＨ領域の設定方法・ＥＰＤＣＣＨのモニタリングの設定方法）が説明される。その一例として、ＥＰＤＣＣＨ領域の設定および送信モードの設定が、黙示的にＥＰＤＣＣＨのモニタリングの設定を示す。基地局１００は、端末２００に対して、上位層の制御情報（ＲＲＣシグナリング）を通じて、無線リソースに対する端末固有設定情報（ＲａｄｉｏＲｅｓｏｕｒｃｅＣｏｎｆｉｇＤｅｄｉｃａｔｅｄ）を通知することにより、ＥＰＤＣＣＨを設定する。無線リソースに対する端末固有設定情報は、リソースブロックの設定／変更／解放、物理チャネルに対する端末固有の設定等を行うために用いられる制御情報である。
【０１５２】
基地局１００は、端末２００に対して、無線リソースに対する端末固有設定情報を通知する。端末２００は、基地局１００からの無線リソースに対する端末固有設定情報に基づいて、無線リソースに対する端末固有の設定を行い、基地局１００に対して無線リソースに対する端末固有設定情報の設定完了を通知する。
【０１５３】
無線リソースに対する端末固有設定情報は、物理チャネルに対する端末固有設定情報（ＰｈｙｓｉｃａｌＣｏｎｆｉｇＤｅｄｉｃａｔｅｄ）を含んで構成される。物理チャネルに対する端末固有設定情報は、物理チャネルに対する端末固有の設定を規定する制御情報である。物理チャネルに対する端末固有設定情報は、伝送路状況レポートの設定情報（ＣＱＩ−ＲｅｐｏｒｔＣｏｎｆｉｇ）、アンテナ情報の端末固有設定情報（ＡｎｔｅｎｎａＩｎｆｏＤｅｄｉｃａｔｅｄ）、ＥＰＤＣＣＨの端末固有設定情報（ＥＰＤＣＣＨ−ＣｏｎｆｉｇＤｅｄｉｃａｔｅｄ）を含んで構成される。伝送路状況レポートの設定情報は、下りリンクにおける伝送路状況をレポートするための設定情報を規定するために用いられる。アンテナ情報の端末固有設定情報は、基地局１００における端末固有のアンテナ情報を規定するために用いられる。ＥＰＤＣＣＨの端末固有設定情報は、ＥＰＤＣＣＨの端末固有の設定情報を規定するために用いられる。また、ＥＰＤＣＣＨの端末固有の設定情報は、端末２００に固有の制御情報として通知および設定されるので、設定されるＥＰＤＣＣＨ領域は、端末２００に固有の領域として設定される。
【０１５４】
伝送路状況レポートの設定情報は、非周期的な伝送路状況レポートの設定情報（ｃｑｉ−ＲｅｐｏｒｔＭｏｄｅＡｐｅｒｉｏｄｉｃ）、周期的な伝送路状況レポートの設定情報（ＣＱＩ−ＲｅｐｏｒｔＰｅｒｉｏｄｉｃ）を含んで構成される。非周期的な伝送路状況レポートの設定情報は、上りリンク共用チャネル（ＰＵＳＣＨ；Ｐｈｙｓｉｃａｌ  Ｕｐｌｉｎｋ  Ｓｈａｒｅｄ  Ｃｈａｎｎｅｌ）を通じて、下りリンク１０３における伝送路状況を非周期的にレポートするための設定情報である。周期的な伝送路状況レポートの設定情報は、上りリンク制御チャネル（ＰＵＣＣＨ；Ｐｈｙｓｉｃａｌ  Ｕｐｌｉｎｋ  Ｃｏｎｔｒｏｌ  Ｃｈａｎｎｅｌ）を通じて、下りリンクにおける伝送路状況を周期的にレポートするための設定情報である。
【０１５５】
アンテナ情報の端末固有設定情報は、送信モード（ｔｒａｎｓｍｉｓｓｉｏｎＭｏｄｅ）を含んで構成される。送信モードは、基地局１００が端末２００に対して通信する送信方法を示す情報である。例えば、送信モードは、送信モード１〜１０として予め規定される。送信モード１はアンテナポート０を用いるシングルアンテナポート送信方式を用いる送信モードである。送信モード２は送信ダイバーシチ方式を用いる送信モードである。送信モード３は、循環遅延ダイバーシチ方式を用いる送信モードである。送信モード４は、閉ループ空間多重方式を用いる送信モードである。送信モード５は、マルチユーザＭＩＭＯ方式を用いる送信モードである。送信モード６は、シングルアンテナポートを用いる閉ループ空間多重方式を用いる送信モードである。送信モード７は、アンテナポート５を用いるシングルアンテナポート送信方式を用いる送信モードである。送信モード８は、アンテナポート７〜８を用いる閉ループ空間多重方式を用いる送信モードである。送信モード９は、アンテナポート７〜１４を用いる閉ループ空間多重方式を用いる送信モードである。また、送信モード１〜９は、第１の送信モードとも呼ばれる。
【０１５６】
送信モード１０は、送信モード１〜９とは異なる送信モードとして定義される。例えば、送信モード１０は、ＣｏＭＰ方式を用いる送信モードとすることができる。ここで、ＣｏＭＰ方式の導入による拡張は、伝送路状況レポートの最適化や精度の向上（例えば、ＣｏＭＰ通信時に好適なプレコーディング情報や基地局間の位相差情報等の導入）等を含む。また、送信モード１０は、送信モード１〜９で示す通信方式で実現できるマルチユーザＭＩＭＯ方式を拡張（高度化）した通信方式を用いる送信モードとすることができる。ここで、マルチユーザＭＩＭＯ方式の拡張は、伝送路状況のレポートの最適化や精度の向上（例えば、マルチユーザＭＩＭＯ通信時に好適なＣＱＩ（Ｃｈａｎｎｅｌ  Ｑｕａｌｉｔｙ  Ｉｎｄｉｃａｔｏｒ）情報等の導入）、同一リソースに多重される端末間の直交性の向上等を含む。また、送信モード１０は、ＥＰＤＣＣＨ領域を設定できる送信モードとすることができる。また、送信モード１０は、送信モード１〜９で示した全部または一部の通信方式に加えて、ＣｏＭＰ方式および／または拡張したマルチユーザＭＩＭＯ方式を用いる送信モードとすることができる。例えば、送信モード１０は、送信モード９で示した通信方式に加えて、ＣｏＭＰ方式および／または拡張したマルチユーザＭＩＭＯ方式を用いる送信モードとすることができる。また、送信モード１０は、複数の伝送路状況測定用の参照信号（ＣＳＩ−ＲＳ；Ｃｈａｎｎｅｌ  Ｓｔａｔｅ  Ｉｎｆｏｒｍａｔｉｏｎ−ＲＳ）を設定することができる送信モードとすることができる。また、送信モード１０は、第２の送信モードとも呼ばれる。
【０１５７】
なお、基地局１００は、複数の送信方式を用いることができる送信モード１０に設定した端末２００に対して、データチャネルを送信するに際し、複数の送信方式のいずれかを用いたことを通知しなくても通信できる。すなわち、端末２００は、複数の送信方式を用いることができる送信モード１０に設定されたとしても、データチャネルを受信するに際し、複数の送信方式のいずれかを用いたことが通知されなくても通信できる。
【０１５８】
ここで、第２の送信モードは、ＥＰＤＣＣＨを設定できる送信モードである。すなわち、基地局１００は、端末２００に対して、第１の送信モードに設定した場合、端末２００に対する制御チャネルをＰＤＣＣＨ領域にマッピングする。また、基地局１００は、端末２００に対して、第２の送信モードに設定した場合、端末２００に対する制御チャネルをＰＤＣＣＨ領域および／またはＥＰＤＣＣＨ領域にマッピングする。一方、端末２００は、基地局１００によって、第１の送信モードに設定された場合、ＰＤＣＣＨに対してブラインドデコーディングする。また、端末２００は、基地局１００によって、第２の送信モードに設定された場合、ＰＤＣＣＨおよび／またはＥＰＤＣＣＨに対してブラインドデコーディングする。
【０１５９】
また、端末２００は、送信モードに関わらず、基地局１００によってＥＰＤＣＣＨの端末固有設定情報が設定されたか否かに基づいて、ブラインドデコーディングする制御チャネルを設定する。すなわち、基地局１００は、端末２００に対して、ＥＰＤＣＣＨの端末固有設定情報が設定していない場合、端末２００に対する制御チャネルをＰＤＣＣＨ領域にマッピングする。また、基地局１００は、端末２００に対して、ＥＰＤＣＣＨの端末固有設定情報が設定した場合、端末２００に対する制御チャネルをＰＤＣＣＨ領域および／またはＥＰＤＣＣＨ領域にマッピングする。一方、端末２００は、基地局１００によって、ＥＰＤＣＣＨの端末固有設定情報が設定された場合、ＰＤＣＣＨおよび／またはＥＰＤＣＣＨをブラインドデコーディングする。また、端末２００は、基地局１００によって、ＥＰＤＣＣＨの端末固有設定情報が設定されない場合、ＰＤＣＣＨをブラインドデコーディングする。
【０１６０】
ＥＰＤＣＣＨの端末固有設定情報は、ＥＰＤＣＣＨのサブフレーム設定情報（ＥＰＤＣＣＨ−ＳｕｂｆｒａｍｅＣｏｎｆｉｇ−ｒ１１）を含んで構成される。ＥＰＤＣＣＨのサブフレーム設定情報は、ＥＰＤＣＣＨを設定するためのサブフレーム情報を規定するために用いられる。ＥＰＤＣＣＨのサブフレーム設定情報は、サブフレーム設定パターン（ｓｕｂｆｒａｍｅＣｏｎｆｉｇＰａｔｔｅｒｎ−ｒ１１）、ＥＰＤＣＣＨの設定情報（ｅｐｄｃｃｈ−Ｃｏｎｆｉｇ−ｒ１１）を含んで構成される。
【０１６１】
サブフレーム設定パターンは、ＥＰＤＣＣＨを設定するサブフレームを示す情報である。例えば、サブフレーム設定パターンは、ｎビットのビットマップ形式の情報である。各ビットに示す情報は、ＥＰＤＣＣＨとして設定されるサブフレームであるか否かを示す。すなわち、サブフレーム設定パターンは、ｎ個のサブフレームを周期として設定できる。そのとき、同期信号や報知チャネル等がマッピングされる所定のサブフレームは除外されることができる。具体的には、それぞれのサブフレームに規定されるサブフレーム番号をｎで除算した余りが、サブフレーム設定パターンの各ビットに対応する。例えば、ｎは８や４０等の値を予め規定しておく。サブフレーム設定パターンのあるサブフレームに対する情報が「１」である場合、そのサブフレームは、ＥＰＤＣＣＨとして設定される。サブフレーム設定パターンのあるサブフレームに対する情報が「０」である場合、そのサブフレームは、ＥＰＤＣＣＨとして設定されない。また、端末２００が基地局１００と同期を取るための同期信号や基地局１００の制御情報を報知する報知チャネル等がマッピングされる所定のサブフレームは、ＥＰＤＣＣＨとして予め設定されないようにすることができる。また、サブフレーム設定パターンの別の例では、ＥＰＤＣＣＨとして設定されるサブフレームのパターンが予めインデックス化され、そのインデックスを示す情報がサブフレーム設定パターンとして規定される。
【０１６２】
ＥＰＤＣＣＨの端末固有設定情報は、リソース割り当て情報（ｒｅｓｏｕｒｃｅＢｌｏｃｋＡｓｓｉｇｎｍｅｎｔ−ｒ１１）を含んで構成される。リソース割り当て情報は、ＥＰＤＣＣＨとして設定するリソースブロックを指定する情報である。例えば、ＥＰＤＣＣＨ領域は、１つのＲＢペアを単位として、設定することができる。
【０１６３】
ここで、制御情報は、誤り検出符号化処理等が施され、物理制御チャネルであるＰＤＣＣＨおよび／またはＥＰＤＣＣＨにマッピングされる。ＰＤＣＣＨおよびＥＰＤＣＣＨは、誤り訂正符号化処理や変調処理が施され、それぞれＰＤＣＣＨ領域、およびＰＤＣＣＨとは異なるＥＰＤＣＣＨ領域を介して送受信される。ただし、ここで言う物理制御チャネルは物理チャネルの一種であり、物理フレーム上に規定される制御チャネルである。
【０１６４】
なお、１つの観点から見ると、ＰＤＣＣＨは、セル固有参照信号と同じ送信ポート（アンテナポート）を用いる物理制御チャネルである。また、ＥＰＤＣＣＨは、ＥＰＤＣＣＨ復調用参照信号と同じ送信ポートを用いる物理制御チャネルである。端末２００は、ＰＤＣＣＨに対して、セル固有参照信号を用いて復調し、ＥＰＤＣＣＨに対して、ＥＰＤＣＣＨ復調用参照信号を用いて復調する。セル固有参照信号は、セル内の全端末に共通の参照信号であって、ほぼすべてのリソースに挿入されているためにいずれの端末も使用可能な参照信号である。このため、ＰＤＣＣＨは、いずれの端末も復調可能である。一方、ＥＰＤＣＣＨ復調用参照信号は、割り当てられたリソースのみに挿入される参照信号であって、データと同じように適応的にプレコーディング処理やビームフォーミング処理を行うことができる。この場合におけるＥＰＤＣＣＨ領域に配置される制御チャネルは、適応的なプレコーディングやビームフォーミングの利得、周波数スケジューリング利得を得ることができる。また、ＥＰＤＣＣＨ復調用参照信号は、複数の端末によって共用されることもできる。例えば、ＥＰＤＣＣＨ領域に配置される制御チャネルが、複数のリソース（例えば、リソースブロック）に分散されて通知される場合、そのＥＰＤＣＣＨ領域の端末固有参照信号は、複数の端末によって供用されることができる。その場合におけるＥＰＤＣＣＨ領域に配置される制御チャネルは、周波数ダイバーシチ利得を得ることができる。
【０１６５】
また、異なる観点から見ると、ＰＤＣＣＨ領域にマッピングされる制御チャネル（ＰＤＣＣＨ）は、物理サブフレームの前部に位置するＯＦＤＭシンボル（シンボル）上の物理制御チャネルであり、これらのＯＦＤＭシンボル上のシステム帯域（コンポーネントキャリア（ＣＣ；Ｃｏｍｐｏｎｅｎｔ  Ｃａｒｒｉｅｒ））全域に配置されうる。また、ＥＰＤＣＣＨ領域にマッピングされる制御チャネル（ＥＰＤＣＣＨ）は、物理サブフレームのＰＤＣＣＨよりも後方に位置するＯＦＤＭシンボル上の物理制御チャネルであり、これらのＯＦＤＭシンボル上のシステム帯域幅内のうち、一部の帯域に配置されうる。ＰＤＣＣＨは、物理サブフレームの前部に位置する制御チャネル専用のＯＦＤＭシンボル上に配置されるため、物理データチャネル用の後部のＯＦＤＭシンボルよりも前に受信および復調することができる。また、制御チャネル専用のＯＦＤＭシンボルのみをモニターする端末も受信することができる。また、ＣＣ全域に拡散されて配置されうるため、セル間干渉をランダム化することができる。また、ＰＤＣＣＨ領域は、基地局１００固有に設定される領域であり、基地局１００に接続する全ての端末に共通の領域である。一方、ＥＰＤＣＣＨは、通信中の端末が通常受信する共用チャネル（物理データチャネル）用の後部のＯＦＤＭシンボル上に配置される。また、周波数分割多重することにより、ＥＰＤＣＣＨ同士あるいはＥＰＤＣＣＨと物理データチャネルとを直交多重（干渉無しの多重）することができる。また、ＥＰＤＣＣＨ領域は、端末２００固有に設定される領域であり、基地局１００に接続する端末毎に設定される領域である。なお、基地局１００は、ＥＰＤＣＣＨ領域を、複数の端末で共有するように設定することができる。また、ＰＤＣＣＨ領域とＥＰＤＣＣＨ領域は、同一の物理サブフレームに配置される。ここで、ＯＦＤＭシンボルは、各チャネルのビットをマッピングする時間方向の単位である。
【０１６６】
また、異なる観点から見ると、ＰＤＣＣＨは、セル固有の物理制御チャネルであり、アイドル状態の端末およびコネクト状態の端末の両方が取得（検出）できる物理チャネルである。また、ＥＰＤＣＣＨは、端末固有の物理制御チャネルであり、コネクト状態の端末のみが取得できる物理チャネルである。ここで、アイドル状態とは、基地局がＲＲＣ（Ｒａｄｉｏ  Ｒｅｓｏｕｒｃｅ  Ｃｏｎｔｒｏｌ）の情報を蓄積してない状態（ＲＲＣ＿ＩＤＬＥ状態）や、移動局が間欠受信（ＤＲＸ）を行っている状態など、直ちにデータの送受信を行わない状態である。一方、コネクト状態とは、端末がネットワークの情報を保持している状態（ＲＲＣ＿ＣＯＮＮＥＣＴＥＤ状態）や、移動局が間欠受信（ＤＲＸ）を行っていない状態など、直ちにデータの送受信を行うことができる状態である。ＰＤＣＣＨは、端末固有のＲＲＣシグナリングに依存せず端末２００が受信可能なチャネルである。ＥＰＤＣＣＨは、端末固有のＲＲＣシグナリングによって設定されるチャネルであり、端末固有のＲＲＣシグナリングによって端末２００が受信可能なチャネルである。すなわち、ＰＤＣＣＨは、予め限定された設定により、いずれの端末も受信可能なチャネルであり、ＥＰＤＣＣＨは端末固有の設定変更が容易なチャネルである。
【０１６７】
以上のように、基地局１００は、端末２００に対して、ＥＰＤＣＣＨを設定する場合、専用ＲＲＣシグナリングにより、無線リソースに対する端末固有設定情報にＥＰＤＣＣＨの端末固有設定情報を含めて通知する。また、基地局１００は、端末２００に対して、設定されたＥＰＤＣＣＨを変更する場合、同様に専用ＲＲＣシグナリングにより、パラメータを変更したＥＰＤＣＣＨの端末固有設定情報を含む無線リソースに対する端末固有設定情報を通知する。また、基地局１００は、端末２００に対して、設定されたＥＰＤＣＣＨを解放（リリース）する場合、同様に専用ＲＲＣシグナリングにより通知する。例えば、ＥＰＤＣＣＨの端末固有設定情報を含まない無線リソースに対する端末固有設定情報を通知する。また、ＥＰＤＣＣＨの端末固有設定情報を解放するための制御情報を通知してもよい。
【０１６８】
＜第２の実施形態＞
第１の実施形態では、分散マッピングにおけるアンテナポートの関連付けはリソースエレメントに対して行われた場合を説明した。本第２の実施形態では、複素シンボルのブロックのそれぞれに対してアンテナポートの関連付けが行われる。複素シンボルのブロックは、ＥＰＤＣＣＨの全部または一部とすることができる。なお、以下では、第１の実施形態と異なる部分が説明され、説明されない部分は第１の実施形態と同じである。
【０１６９】
アンテナポートの関連付けは、ＥＰＤＣＣＨの複素シンボルに対して行われる。その複素シンボルが、それぞれのＥＲＥＧにおけるリソースエレメントに、周波数優先マッピング規則でマッピングされる。複素シンボルのリソースエレメントへのマッピングは、衝突信号がマッピングされないリソースエレメントに対して行われる。その結果として、アンテナポートは衝突信号に対して飛び越して関連付けられることが可能となる。
そのため、第１の実施形態で説明した、アンテナポートの関連付けがリソースエレメントに対して行われた場合と同様の効果が得られる。すなわち、それぞれのＥＲＥＧ、ＯＦＤＭシンボル、ＲＢペアおよびＥＣＣＥにおいて、アンテナポート１０７に関連付けられるリソースエレメントの数とアンテナポート１０９に関連付けられるリソースエレメントの数とがほぼ同じにできる。アンテナポート間の偏りを少なくできるため、周波数ダイバーシチの効果が向上する。また、アンテナポート間の送信電力の平均が同じになる。
【０１７０】
以下では、ＥＰＤＣＣＨの送信に用いられるリソースとＥＰＤＣＣＨ復調用参照信号のアンテナポートとの関連付け（マッピング、対応）について説明する。既に説明したように、基地局１００は、ＥＰＤＣＣＨと、そのＥＰＤＣＣＨに関連付けられるＥＰＤＣＣＨ復調用参照信号とを送信する。また、端末２００は、ＥＰＤＣＣＨ復調用参照信号を用いてＥＰＤＣＣＨを検出（復調）する。ＥＰＤＣＣＨの送信に用いられるリソースと、ＥＰＤＣＣＨ復調用参照信号のアンテナポートとは、所定の方法を用いて関連付けられる。ここで、ＥＰＤＣＣＨの送信に用いられるリソースは、ＥＰＤＣＣＨ領域、ＥＰＤＣＣＨ、ＥＲＥＧ、ＥＲＥＧセット、ＥＣＣＥ、またはリソースエレメントである。なお、ＥＰＤＣＣＨ復調用参照信号は、単に参照信号とも呼称される。
【０１７１】
また、ＥＰＤＣＣＨの送信に用いられるリソースとＥＰＤＣＣＨ復調用参照信号のアンテナポートとの関連付けは、ＥＰＤＣＣＨに関する設定に基づいて切り替えることができる。例えば、ＥＰＤＣＣＨの送信に用いられるリソースとＥＰＤＣＣＨ復調用参照信号のアンテナポートとの関連付けは、ＥＰＤＣＣＨが局所マッピングにより送信される場合と、ＥＰＤＣＣＨが分散マッピングにより送信される場合とで異なることができる。すなわち、ＥＰＤＣＣＨ領域に設定されるマッピング規則が局所マッピングまたは分散マッピングに応じて、ＥＰＤＣＣＨの送信に用いられるリソースとＥＰＤＣＣＨ復調用参照信号のアンテナポートとの関連付けが決定される。
【０１７２】
ＥＰＤＣＣＨが局所マッピングを用いて送信される場合、ＥＰＤＣＣＨ毎に、関連付けられるアンテナポートが決定される。まず、それぞれのＲＢペアにおいて、それぞれのＥＣＣＥはアンテナポート１０７〜１１０のいずれかに関連付けられる。例えば、それぞれのＲＢペアにおいて、ＥＣＣＥ番号の小さいＥＣＣＥから、アンテナポート１０７〜１１０が順に関連付けられる。すなわち、局所マッピングにおけるＥＣＣＥの各々は、異なるアンテナポートに対応付けられる。また、ＥＣＣＥ集合レベルが２以上の場合、それぞれのＥＰＤＣＣＨは、マッピングされる分割リソースに関連付けられるアンテナポートのいずれかを用いて送信されることができる。その場合、その関連付けは、端末固有ＩＤ、ＲＮＴＩ、ＲＢ番号、ＲＢペア番号、および／またはスロット番号にさらに基づいて決定されてもよい。
なお、端末２００は、ブラインドデコーディングするＥＰＤＣＣＨの候補に対するＥＰＤＣＣＨ復調用参照信号のアンテナポートを、基地局１００から通知されてもよい。
【０１７３】
ＥＰＤＣＣＨが分散マッピングを用いて送信される場合、リソースエレメント毎に、関連付けられるアンテナポートが決定される。その関連付けは、様々な方法を用いることができる。また、以下の説明では、関連付けられるアンテナポートがアンテナポート１０７およびアンテナポート１０９を用いる場合を説明するが、これに限定されるものではない。例えば、関連付けられるアンテナポートがアンテナポート１０７およびアンテナポート１０８を用いてもよい。
また、アンテナポート１０７は、第１のアンテナポートとも呼称される。アンテナポート１０９またはアンテナポート１０８は、第２のアンテナポートとも呼称される。
【０１７４】
ＥＰＤＣＣＨの送信に用いられるリソースエレメントとＥＰＤＣＣＨ復調用参照信号のアンテナポートとの関連付けの一例は、アンテナポート１０７およびアンテナポート１０９が、それぞれのＥＲＥＧにおいて、周波数優先マッピング規則によって交互に関連付けられる。
図７は、ＥＰＤＣＣＨの送信に用いられるリソースエレメントとＥＰＤＣＣＨ復調用参照信号のアンテナポートとの関連付けの例を示す。また図７では、図５に示したＥＲＥＧ構成（つまりリソースエレメントとＥＲＥＧ番号の関連付け）を用いた場合のリソースエレメントとＥＰＤＣＣＨ復調用参照信号のアンテナポートとの関連付けが示されている。また、図７では、それぞれのリソースエレメントに記載される数字はアンテナポート番号を示す。図中の７はアンテナポート１０７を示し、９はアンテナポート１０９を示す。例えば、ＥＲＥＧ０を構成する９つのリソースエレメント（スロット０における(0,0), (4,1), (8,2), (0,4), (8,5)、および、スロット１における(8,0), (0,2), (4,3), (8,4)）に対して、アンテナポート１０７およびアンテナポート１０９が、周波数優先マッピング規則によって交互に関連付けられる。すなわち、５つのリソースエレメント（スロット０における(0,0), (8,2), (8,5)、および、スロット１における (0,2), (8,4)）はアンテナポート１０７が関連付けられる。４つのリソースエレメント（スロット０における(4,1), (0,4)、および、スロット１における(8,0), (4,3)）はアンテナポート１０９が関連付けられる。なお、それぞれのＥＲＥＧにおいて、アンテナポートの関連付けは、アンテナポート１０７から行われる場合を説明したが、アンテナポート１０９から行なってもよい。
これにより、それぞれのＥＲＥＧにおいて、アンテナポート１０７に関連付けられるリソースエレメントの数とアンテナポート１０９に関連付けられるリソースエレメントの数とがほぼ同じにできる。アンテナポート間の偏りを少なくできるため、周波数ダイバーシチの効果が向上する。
【０１７５】
ＥＰＤＣＣＨの送信に用いられるリソースエレメントとＥＰＤＣＣＨ復調用参照信号のアンテナポートとの関連付けの別の一例は、アンテナポート１０７およびアンテナポート１０９が、それぞれのＥＲＥＧにおいて、周波数優先マッピング規則によって交互に関連付けられる。さらに、関連付けるＥＲＥＧのＥＲＥＧ番号に応じて、アンテナポートの関連付けは、それぞれのＥＲＥＧにおいて、アンテナポート１０７またはアンテナポート１０９から行われる。例えば、アンテナポートの関連付けは、ＥＲＥＧ番号が奇数または偶数に応じて、それぞれのＥＲＥＧにおいて、アンテナポート１０７またはアンテナポート１０９から行われる。
いいかえると、分散マッピングにおいては、物理リソースはＥＲＥＧを単位として与えられる。あるＥＲＥＧにあるそれぞれのリソースエレメントは２つのアンテナポート（つまりアンテナポート１０７と１０９）のうち片方と、交互に関連付けられる。このときリソースエレメントが含まれるＥＲＥＧ番号が偶数であればアンテナポート１０７から順に関連付けられ、このときリソースエレメントが含まれるＥＲＥＧ番号が奇数であればアンテナポート１０９から順に関連付けられる。
図８は、ＥＰＤＣＣＨの送信に用いられるリソースエレメントとＥＰＤＣＣＨ復調用参照信号のアンテナポートとの関連付けの例を示す。図８では、図５に示したＥＲＥＧ構成（つまりリソースエレメントとＥＲＥＧ番号の関連付け）を用いた場合のリソースエレメントとＥＰＤＣＣＨ復調用参照信号のアンテナポートとの関連付けが示されている。また、図８では、それぞれのリソースエレメントに記載される数字はアンテナポート番号を示す。図中の７はアンテナポート１０７を示し、９はアンテナポート１０９を示す。
ＥＲＥＧ番号が偶数のＥＲＥＧの場合、アンテナポートの関連付けは、それぞれのＥＲＥＧにおいて、アンテナポート１０７から行われる。ＥＲＥＧ番号が奇数のＥＲＥＧの場合、アンテナポートの関連付けは、それぞれのＥＲＥＧにおいて、アンテナポート１０９から行われる。これにより、それぞれのＥＲＥＧ、ＯＦＤＭシンボルおよびＲＢペアにおいて、アンテナポート１０７に関連付けられるリソースエレメントの数とアンテナポート１０９に関連付けられるリソースエレメントの数とがほぼ同じにできる。アンテナポート間の偏りを少なくできるため、周波数ダイバーシチの効果が向上する。また、アンテナポート間の送信電力の平均が同じになる。
【０１７６】
ＥＰＤＣＣＨの送信に用いられるリソースエレメントとＥＰＤＣＣＨ復調用参照信号のアンテナポートとの関連付けの別の一例は、アンテナポート１０７およびアンテナポート１０９が、それぞれのＥＲＥＧにおいて、周波数優先マッピング規則によって交互に関連付けられる。さらに、関連付けるＥＲＥＧのＥＲＥＧ番号に応じて、アンテナポートの関連付けは、それぞれのＥＲＥＧにおいて、アンテナポート１０７またはアンテナポート１０９から行われる。
例えば、アンテナポートの関連付けは、それぞれのＥＲＥＧにおいて、ＥＲＥＧ番号を所定数Ｍで割った商（つまり、ＥＲＥＧ番号をＭで割った数に対し、基準値１としてフロア関数をとったもの）に基づいて、アンテナポート１０７またはアンテナポート１０９から行われる。
例えば、Ｍが４であり、ＥＲＥＧ番号を４で割った商が偶数である場合、アンテナポートの関連付けはアンテナポート１０７から行われ、ＥＲＥＧ番号を４で割った商が奇数である場合、アンテナポートの関連付けはアンテナポート１０９から行われる。いいかえると、分散マッピングにおいては、物理リソースはＥＲＥＧを単位として与えられる。あるＥＲＥＧにあるそれぞれのリソースエレメントは２つのアンテナポート（つまりアンテナポート１０７と１０９）のうち片方と、交互に関連付けられる。このときリソースエレメントが含まれるＥＲＥＧ番号を４で割った商が偶数であればアンテナポート１０７から順に関連付けられ、このときリソースエレメントが含まれるＥＲＥＧ番号を４で割った商（つまり、ＥＲＥＧ番号を４で割った数に対し、基準値１としてフロア関数をとったもの）が奇数であればアンテナポート１０９から順に関連付けられる。
具体的に例をあげると、アンテナポートの関連付けは、それぞれのＥＲＥＧにおいて、ＥＲＥＧ番号が０、１、２、３、８、９、１０および１１のＥＲＥＧの場合、アンテナポート１０７から行われ、ＥＲＥＧ番号が４、５、６、７、１２、１３、１４および１５のＥＲＥＧの場合、アンテナポート１０９から行われる。すなわち、ＥＣＣＥを構成するＥＲＥＧに関連付けられるアンテナポートの偏りが、ＥＣＣＥにおいて同じになるように、アンテナポートの関連付けを行なう。これにより、それぞれのＥＲＥＧ、ＯＦＤＭシンボル、ＲＢペアおよびＥＣＣＥにおいて、アンテナポート１０７に関連付けられるリソースエレメントの数とアンテナポート１０９に関連付けられるリソースエレメントの数とがほぼ同じにできる。アンテナポート間の偏りを少なくできるため、周波数ダイバーシチの効果が向上する。また、アンテナポート間の送信電力の平均が同じになる。
【０１７７】
なお、以上の説明では、ＥＰＤＣＣＨの送信に用いられるリソースエレメントとＥＰＤＣＣＨ復調用参照信号のアンテナポートとの関連付けが、ＥＲＥＧ番号に基づいて、アンテナポート１０７およびアンテナポート１０９が交互に関連付けられる場合を説明したが、これに限定されるものではない。例えば、ＥＰＤＣＣＨの送信に用いられるリソースエレメントとＥＰＤＣＣＨ復調用参照信号のアンテナポートとの関連付けは、ＲＢペア番号、ＥＣＣＥ番号、サブフレーム番号、スロット番号、ＥＰＤＣＣＨ領域を識別する番号、および／または、ＥＰＤＣＣＨを識別する番号に基づいて、アンテナポート１０７およびアンテナポート１０９が交互に関連付けられることができる。
なお、以上の説明では、ＥＰＤＣＣＨの送信に用いられるリソースエレメントとＥＰＤＣＣＨ復調用参照信号のアンテナポートとの関連付けが、それぞれのＥＲＥＧに対して、アンテナポート１０７およびアンテナポート１０９が交互に関連付けられる場合を説明したが、これに限定されるものではない。例えば、ＥＰＤＣＣＨの送信に用いられるリソースエレメントとＥＰＤＣＣＨ復調用参照信号のアンテナポートとの関連付けが行われるリソースは、ＲＢペア、ＥＣＣＥ、サブフレーム、スロット、ＥＰＤＣＣＨ領域、および／または、ＥＰＤＣＣＨであってもよい。
具体的な例として、ＥＰＤＣＣＨの送信に用いられるリソースエレメントとＥＰＤＣＣＨ復調用参照信号のアンテナポートとの関連付けの別の一例は、アンテナポート１０７およびアンテナポート１０９が、それぞれのＥＲＥＧにおいて、ＲＢペア番号に基づいて、周波数優先マッピング規則によって交互に関連付けられることができる。ＥＰＤＣＣＨの送信に用いられるリソースエレメントとＥＰＤＣＣＨ復調用参照信号のアンテナポートとの関連付けは、ＲＢペア番号が偶数の場合、それぞれのＥＲＥＧにおいて、アンテナポート１０７から行われ、ＲＢペア番号が奇数の場合、それぞれのＥＲＥＧにおいて、アンテナポート１０９から行われる。
【０１７８】
また、以上で説明したアンテナポートの関連付けにおいては、衝突信号がマッピングされるリソースエレメントを除外するかもしれない。すなわち、アンテナポートの関連付けにおいて、アンテナポート１０７とアンテナポート１０９とが交互に（順に）関連付けられるＥＲＥＧ内のリソースエレメントに、衝突信号（上書き信号、割り込み信号）がマッピングされる場合、そのアンテナポートは、そのリソースエレメントを飛び越して（スキップして）、次に関連付けられるべきリソースエレメントに関連付けるかもしれない。ここで、衝突信号は、セル固有参照信号、伝送路状況測定用参照信号、端末固有参照信号、報知チャネル、同期信号、および／またはＰＤＣＣＨ領域などを含む。これにより、衝突信号に依存せず、それぞれのＥＲＥＧ、ＯＦＤＭシンボル、ＲＢペアおよび／またはＥＣＣＥにおいて、アンテナポート１０７に関連付けられるリソースエレメントの数とアンテナポート１０９に関連付けられるリソースエレメントの数とがほぼ同じにできる。
【０１７９】
なお、別の例として、アンテナポートが交互に（順に）関連付けられるＥＲＥＧ内のリソースエレメントに、伝送路状況測定用参照信号がマッピングされる場合、そのアンテナポートは、そのリソースエレメントを飛び越さず（スキップせず）に関連付け、さらに伝送路状況測定用参照信号がそのリソースエレメントに上書きされることが出来る。すなわち、伝送路状況測定用参照信号がマッピングされるリソースエレメントに対するアンテナポートは、パンクチャされる。これにより、ＥＰＤＣＣＨ領域を複数の端末で共有する場合、端末固有に設定される伝送路状況測定用参照信号がマッピングできる。
【０１８０】
また、衝突信号がＰＤＣＣＨ領域である場合、端末はそのＰＤＣＣＨ領域を、基地局１００から通知されるＣＦＩ（Control Field Indicator）から設定される。ＣＦＩがＲＲＣシグナリングを通じて設定されない場合、端末はサブフレーム中の所定のリソースエレメントにマッピングされるＰＣＦＩＣＨを通じて通知されるＣＦＩに基づいてＰＤＣＣＨ領域を認識する。ＣＦＩがＲＲＣシグナリングを通じて設定される場合、端末はＰＣＦＩＣＨを通じて通知されるＣＦＩに関わらず、ＲＲＣシグナリングを通じて通知されたＣＦＩに基づいてＰＤＣＣＨ領域を認識する。なお、ＣＦＩがＲＲＣシグナリングを通じて設定されない場合、端末はＰＣＦＩＣＨを通じて通知されるＣＦＩに関わらず、予め規定されたＣＦＩに基づいてＰＤＣＣＨ領域を認識してもよい。
【０１８１】
なお、アンテナポートの関連付けが、アンテナポート１０７から行われるか、アンテナポート１０９から行われるかは、ＥＲＥＧ番号に基づいて決定されることを説明したが、これに限定されるものではない。例えば、アンテナポートの関連付けが、アンテナポート１０７から行われるか、アンテナポート１０９から行われるかは、ＥＣＣＥ番号、ＥＰＤＣＣＨ番号、ＲＢペア番号、セルＩＤ、ＲＮＴＩなどに基づいて決定されてもよい。また、例えば、アンテナポートの関連付けが、アンテナポート１０７から行われるか、アンテナポート１０９から行われるかは、基地局１００から設定されてもよい。
【０１８２】
なお、アンテナポートの関連付けは、衝突信号に関わらず、固定されてもよい。例えば、それぞれのサブフレームにおいて、偶数番目のＯＦＤＭシンボルのリソースエレメントはアンテナポート１０７が関連付けられ、奇数番目のＯＦＤＭシンボルのリソースエレメントはアンテナポート１０９が関連付けられる。また、例えば、それぞれのサブフレームにおいて、奇数番目のＯＦＤＭシンボルのリソースエレメントはアンテナポート１０７が関連付けられ、偶数番目のＯＦＤＭシンボルのリソースエレメントはアンテナポート１０９が関連付けられる。
【０１８３】
以下では、本第２の実施形態におけるＥＰＤＣＣＨ生成部の動作の一例が説明される。ＥＰＤＣＣＨ生成部は、端末に通知する制御チャネルであり、第１のアンテナポートおよび第２のアンテナポートに関連付けられるＥＰＤＣＣＨを生成する。ＥＰＤＣＣＨ生成部は、ＥＰＤＣＣＨの送信に割り当てられたＥＲＥＧに含まれるリソースエレメントにマッピングする。ＥＰＤＣＣＨ生成部は、ＥＰＤＣＣＨの複素シンボルに対して、第１のアンテナポートまたは第２のアンテナポートを、交互に関連付ける。ＥＰＤＣＣＨ生成部は、第１のアンテナポートまたは第２のアンテナポートが関連付けられたＥＰＤＣＣＨの複素シンボルを、周波数優先規則によって、前記ＥＰＤＣＣＨの送信に割り当てられたＥＲＥＧに含まれるリソースエレメントにマッピングする。
【０１８４】
また、ＥＰＤＣＣＨ生成部は、ＥＰＤＣＣＨとは異なる信号が、ＥＲＥＧを構成するリソースエレメントにマッピングされる場合、当該リソースエレメントは除外して、第１のアンテナポートまたは第２のアンテナポートが関連付けられたＥＰＤＣＣＨの複素シンボルを関連付ける。
【０１８５】
また、ＥＰＤＣＣＨとは異なる信号は、セル固有参照信号、ＰＤＣＣＨ領域、報知チャネル、同期信号、および／または伝送路状況測定用参照信号である。
【０１８６】
また、ＥＰＤＣＣＨ生成部は、ＥＲＥＧを識別するＥＲＥＧ番号に基づいて、第１のアンテナポートまたは第２のアンテナポートからスタートして、それらのアンテナポートを、そのＥＲＥＧにおけるＥＰＤＣＣＨの複素シンボルに対して、交互に関連付ける。
【０１８７】
また、ＥＰＤＣＣＨ生成部は、ＥＲＥＧ番号が偶数の場合、そのＥＲＥＧにおけるＥＰＤＣＣＨの複素シンボルに対して、第１のアンテナポートからスタートして交互に関連付け、ＥＲＥＧ番号が奇数の場合、そのＥＲＥＧにおけるＥＰＤＣＣＨの複素シンボルに対して、第２のアンテナポートからスタートして交互に関連付ける。
【０１８８】
また、ＥＰＤＣＣＨ生成部は、ＥＲＥＧ番号を所定数で割った商が偶数の場合、そのＥＲＥＧにおけるＥＰＤＣＣＨの複素シンボルに対して、第１のアンテナポートからスタートして交互に関連付け、ＥＲＥＧ番号を所定数で割った商が奇数の場合、そのＥＲＥＧにおけるＥＰＤＣＣＨの複素シンボルに対して、第２のアンテナポートからスタートして交互に関連付ける。
【０１８９】
また、ＥＰＤＣＣＨ生成部は、ＥＰＤＣＣＨ領域のリソースブロックペアにマッピングされたＥＰＤＣＣＨの複素シンボルを、ＯＦＤＭシンボル毎に、所定数の巡回シフトを行う。
【０１９０】
また、巡回シフトの所定数は、端末にＲＲＣシグナリングを通じて通知する制御情報に基づいて決定される。
【０１９１】
また、周波数優先規則は、第１のアンテナポートまたは第２のアンテナポートが、それぞれのＥＲＥＧにおけるＥＰＤＣＣＨの複素シンボルにおいて、先頭のＯＦＤＭシンボルかつ最も低い周波数のサブキャリアのリソースエレメントから、それぞれのＯＦＤＭシンボルにおいて、周波数が高くなる方向のリソースエレメントを優先して順に関連付けられる規則である。
【０１９２】
以下では、本第２の実施形態におけるＥＰＤＣＣＨ処理部の動作の一例が説明される。ＥＰＤＣＣＨ処理部は、伝搬路推定部が推定した伝搬路推定値を用いて、ＥＰＤＣＣＨの送信に割り当てられたＥＲＥＧに含まれるリソースエレメントにマッピングされ、第１のアンテナポートおよび第２のアンテナポートに関連付けられるＥＰＤＣＣＨを検出する。ＥＰＤＣＣＨ処理部は、ＥＰＤＣＣＨの複素シンボルに対して、第１のアンテナポートまたは第２のアンテナポートが、交互に関連付けられると想定して検出する。ＥＰＤＣＣＨ処理部は、第１のアンテナポートまたは第２のアンテナポートが関連付けられたＥＰＤＣＣＨの複素シンボルが、周波数優先規則によって、前記ＥＰＤＣＣＨの送信に割り当てられたＥＲＥＧに含まれるリソースエレメントにマッピングされると想定して検出する。
【０１９３】
また、ＥＰＤＣＣＨ処理部は、ＥＰＤＣＣＨとは異なる信号が、ＥＲＥＧを構成するリソースエレメントにマッピングされる場合、当該リソースエレメントは除外して、第１のアンテナポートまたは第２のアンテナポートが関連付けられたＥＰＤＣＣＨの複素シンボルが関連付けられると想定して検出する。
【０１９４】
また、ＥＰＤＣＣＨとは異なる信号は、セル固有参照信号、ＰＤＣＣＨ領域、報知チャネル、同期信号、および／または伝送路状況測定用参照信号である。
【０１９５】
また、ＥＰＤＣＣＨ処理部は、ＥＲＥＧを識別するＥＲＥＧ番号に基づいて、第１のアンテナポートまたは第２のアンテナポートからスタートして、それらのアンテナポートが、そのＥＲＥＧにおけるＥＰＤＣＣＨの複素シンボルに対して、交互に関連付けられると想定して検出する。
【０１９６】
また、ＥＰＤＣＣＨ処理部は、ＥＲＥＧ番号が偶数の場合、そのＥＲＥＧにおけるＥＰＤＣＣＨの複素シンボルに対して、第１のアンテナポートからスタートして交互に関連付け、ＥＲＥＧ番号が奇数の場合、そのＥＲＥＧにおけるＥＰＤＣＣＨの複素シンボルに対して、第２のアンテナポートからスタートして交互に関連付けられると想定して検出する。
【０１９７】
また、ＥＰＤＣＣＨ処理部は、ＥＲＥＧ番号を所定数で割った商が偶数の場合、そのＥＲＥＧにおけるＥＰＤＣＣＨの複素シンボルに対して、第１のアンテナポートからスタートして交互に関連付け、ＥＲＥＧ番号を所定数で割った商が奇数の場合、そのＥＲＥＧにおけるＥＰＤＣＣＨの複素シンボルに対して、第２のアンテナポートからスタートして交互に関連付けられると想定して検出する。
【０１９８】
また、ＥＰＤＣＣＨ処理部は、ＥＰＤＣＣＨ領域のリソースブロックペアにマッピングされたＥＰＤＣＣＨの複素シンボルは、ＯＦＤＭシンボル毎に、所定数の巡回シフトが行われると想定して検出する。
【０１９９】
また、巡回シフトの所定数は、端末にＲＲＣシグナリングを通じて通知する制御情報に基づいて決定される。
【０２００】
また、周波数優先規則は、第１のアンテナポートまたは第２のアンテナポートが、それぞれのＥＲＥＧにおけるＥＰＤＣＣＨの複素シンボルにおいて、先頭のＯＦＤＭシンボルかつ最も低い周波数のサブキャリアのリソースエレメントから、それぞれのＯＦＤＭシンボルにおいて、周波数が高くなる方向のリソースエレメントを優先して順に関連付けられる規則である。
【０２０１】
なお、以上の説明では、ＥＲＥＧ番号が、それぞれのＲＢペアで割り振られる場合を説明したが、これに限定されるものではない。例えば、ＥＲＥＧ番号は、ＥＰＤＣＣＨ領域の全てのＲＢペアに渡って割り振られる場合でも本発明は適用できる。例えば、ＥＰＤＣＣＨ領域が４つのＲＢペアで構成される場合、それぞれのＲＢペアは１６のＥＲＥＧを構成するため、そのＥＰＤＣＣＨ領域は６４のＥＲＥＧで構成される。その場合、ＥＲＥＧ番号は０〜６３となり、周波数の低いＲＢペアから順に割り振られることができる。すなわち、１番目のＲＢペアにおけるＥＲＥＧ番号は０〜１５であり、２番目のＲＢペアにおけるＥＲＥＧ番号は１６〜３１であり、３番目のＲＢペアにおけるＥＲＥＧ番号は３２〜４７であり、４番目のＲＢペアにおけるＥＲＥＧ番号は４８〜６３である。
【０２０２】
なお、上記の各実施形態では、周波数優先マッピング規則を用いる場合を説明したが、これに限定されるものではない。すなわち、時間優先マッピング規則が用いられてもよい。時間優先マッピング規則は、マッピングの対象が、マッピングする領域内の複数のリソースエレメントにおいて、先頭のＯＦＤＭシンボルであり最も低い周波数のサブキャリアのリソースエレメントから、それぞれのサブキャリアにおいて、時間が遅くなる方向のＯＦＤＭシンボルのリソースエレメントを優先して順にマッピングし、次に周波数が高くなる方向のサブキャリアに対しても同様にマッピングする規則である。なお、時間優先マッピング規則におけるマッピングは、アンテナポート等の関連付けにも適用できるため、マッピングは関連付けとも言い換えることができる。すなわち、時間優先マッピング規則は、時間優先関連付け規則とも言い換えることができる。また、時間優先マッピング規則および時間優先関連付け規則は、時間優先規則とも呼称される。
【０２０３】
なお、上記の各実施形態では、それぞれのＥＲＥＧにおける、リソースエレメントまたはＥＰＤＣＣＨの複素シンボルに対して、アンテナポート１０７とアンテナポート１０９とが、所定の規則によって交互に関連付けられる場合を説明したが、これに限定されるものではない。例えば、それぞれのＥＲＥＧにおいて、アンテナポート１０７に関連付けられるリソースエレメントまたはＥＰＤＣＣＨの複素シンボルの数と、アンテナポート１０９に関連付けられるリソースエレメントまたはＥＰＤＣＣＨの複素シンボルの数との差が、小さいほど、本発明の効果が得られることになる。そのため、それぞれのＥＲＥＧにおいて、アンテナポートと、リソースエレメントまたはＥＰＤＣＣＨの複素シンボルとの関連付けが、アンテナポート１０７とアンテナポート１０９との間で、１または０になるように行われればよい。具体的な一例は、９個のリソースエレメントまたはＥＰＤＣＣＨの複素シンボルに、アンテナポート１０７とアンテナポート１０９を関連付ける場合、５つのアンテナポート１０７と４つのアンテナポート１０９が順に所定の規則によって関連付けられることができる。
【０２０４】
なお、上記の各実施形態では、データチャネル、制御チャネル、ＰＤＳＣＨ、ＰＤＣＣＨ、ＥＰＤＣＣＨおよび参照信号のマッピング単位としてリソースエレメントやリソースブロックを用い、時間方向の送信単位としてサブフレームや無線フレームを用いて説明したが、これに限るものではない。任意の周波数と時間で構成される領域および時間単位をこれらに代えて用いても、同様の効果を得ることができる。
【０２０５】
また、上記の各実施形態では、ＰＤＳＣＨ領域に配置される拡張された物理下りリンク制御チャネル１０３をＥＰＤＣＣＨと呼称し、従来の物理下りリンク制御チャネル（ＰＤＣＣＨ）との区別を明確にして説明したが、これに限るものではない。両方をＰＤＣＣＨと称する場合であっても、ＰＤＳＣＨ領域に配置される拡張された物理下りリンク制御チャネルとＰＤＣＣＨ領域に配置される従来の物理下りリンク制御チャネルとで異なる動作をすれば、ＥＰＤＣＣＨとＰＤＣＣＨとを区別する上記各実施形態と実質的に同じである。
【０２０６】
なお、端末２００が基地局１００と通信を開始する際に、基地局１００に対して、上記の各実施形態で記載の機能が使用可能であるか否かを示す情報（端末能力情報，あるいは機能グループ情報）を基地局１００に通知することにより、基地局１００は上記各実施形態で記載の機能が使用可能であるか否かを判断することができる。より具体的には、上記各実施形態で記載の機能が使用可能である場合に、端末能力情報にそれを示す情報を含め、上記各実施形態で記載の機能が使用可能ではない場合には、端末能力情報に本機能に関する情報を含めないようにすればよい。あるいは、上記各実施形態で記載の機能が使用可能である場合に、機能グループ情報の所定ビットフィールドに１を立て、上記各実施形態で記載の機能が使用可能ではない場合には、機能グループ情報の所定ビットフィールドを０とするようにすればよい。
【０２０７】
なお、上記各実施形態では、データチャネル、制御チャネル、ＰＤＳＣＨ、ＰＤＣＣＨ、ＥＰＤＣＣＨおよび参照信号のマッピング単位としてリソースエレメントやリソースブロックを用い、時間方向の送信単位としてサブフレームや無線フレームを用いて説明したが、これに限るものではない。任意の周波数と時間で構成される領域および時間単位をこれらに代えて用いても、同様の効果を得ることができる。なお、上記各実施形態では、プレコーディング処理されたＲＳを用いて復調する場合について説明し、プレコーディング処理されたＲＳに対応するポートとして、ＭＩＭＯのレイヤーと等価であるポートを用いて説明したが、これに限るものではない。この他にも、互いに異なる参照信号に対応するポートに対して、本発明を適用することにより、同様の効果を得ることができる。例えば、Ｐｒｅｃｏｄｅｄ  ＲＳではなくＵｎｐｒｅｃｏｄｅｄ  ＲＳを用い、ポートとしては、プリコーディング処理後の出力端と等価であるポートあるいは物理アンテナ（あるいは物理アンテナの組み合わせ）と等価であるポートを用いることができる。
【０２０８】
本発明に関わる基地局１００および端末２００で動作するプログラムは、本発明に関わる上記実施形態の機能を実現するように、ＣＰＵ等を制御するプログラム（コンピュータを機能させるプログラム）である。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行なわれる。プログラムを格納する記録媒体としては、半導体媒体（例えば、ＲＯＭ、不揮発性メモリカード等）、光記録媒体（例えば、ＤＶＤ、ＭＯ、ＭＤ、ＣＤ、ＢＤ等）、磁気記録媒体（例えば、磁気テープ、フレキシブルディスク等）等のいずれであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【０２０９】
また、市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれる。また、上述した実施形態における基地局１００および端末２００の一部、または全部を典型的には集積回路であるＬＳＩとして実現してもよい。基地局１００および端末２００の各機能ブロックは個別にチップ化してもよいし、一部、または全部を集積してチップ化してもよい。また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いることも可能である。
【０２１０】
なお、本願発明は上述の実施形態に限定されるものではない。本願発明の端末装置は、移動局装置への適用に限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などに適用できる。
【０２１１】
以上、この発明の実施形態に関して図面を参照して詳述してきたが、具体的な構成はこの実施形態に限られるものではなく、この発明の要旨を逸脱しない範囲の設計変更等も含まれる。例えば、一連の処理のうち、一部の処理の順序を逆転させるような設計の変更を行ってもよい。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【産業上の利用可能性】
【０２１２】
本発明は、無線基地局装置や無線端末装置や無線通信システムや無線通信方法に用いて好適である。
【符号の説明】
【０２１３】
１００  基地局
１１０  ＰＤＣＣＨ生成部
１２０  ＥＰＤＣＣＨ生成部
１３０  ＰＤＳＣＨ生成部
１１１、１２１、１３１  符号部
１１２、１２２、１３２  変調部
１１３、１２３、１３３  レイヤー処理部
１１４、１２４、１３４  プレコーディング部
１４１  端末固有参照信号多重部
１５１  多重部
１５２  送信信号生成部
１５３  送信部
２００  端末
２０１  受信部
２０２  受信信号処理部
２０３  分離部
２０４  伝搬路推定部
２１０  ＰＤＣＣＨ処理部
２２０  ＥＰＤＣＣＨ処理部
２３０  ＰＤＳＣＨ処理部
２１１、２２１、２３１  伝搬路等化部
２１２、２２２、２３２  復調部
２１３、２２３、２３３  復号部
９０１  マクロ基地局
９０２、９０３  ＲＲＨ
９０４  端末
９０８、９０９  回線
９０５、９０６、９０７  カバレッジ
【図１】
2014064068.tif 000003
【図２】
2014064068.tif 000004
【図３】
2014064068.tif 000005
【図４】
2014064068.tif 000006
【図５】
2014064068.tif 000007
【図６】
2014064068.tif 000008
【図７】
2014064068.tif 000009
【図８】
2014064068.tif 000010
【図９】
2014064068.tif 000011